(57)【要約】【課題】ＩＰ網に接続されているネットワークファクシミリ装置と、公衆網に接続されているＧ３／Ｇ４ファクシミリ装置との間の通信を可能とする通信システムを提供することを目的としている。【解決手段】Ｄ−ＳＭＴＰ方式通信機能を拡張した拡張Ｄ−ＳＭＴＰ方式通信機能を利用することで、インターネットＩＮＥＴに接続されているネットワークファクシミリ装置ＦＸから、アナログ公衆網ＰＳＴＮに接続されているグループ３ファクシミリ装置ＧＸへ、画情報を送信することができるので、非常に便利である。【選択図】　　　　図１
2004104200.tif 000002
【特許請求の範囲】
【請求項１】
ＩＰ網に接続するＩＰ網接続手段と、公衆網に接続する公衆網接続手段を備えたネットワークゲートウェイ装置を備え、
ＩＰ網に接続されたネットワークファクシミリ装置と、公衆網に接続されたファクシミリ装置との間のファクシミリ通信を電子メールプロトコルを利用してリアルタイム的に行うことを特徴とする通信システム。
【請求項２】
前記ネットワークゲートウェイ装置は、前記ネットワークファクシミリ装置との間ではＤ−ＳＭＴＰを用いて通信するとともに、前記ファクシミリ装置との間では、所定のファクシミリ通信動作を行うことを特徴とする請求項１記載の通信システム。
【請求項３】
前記ネットワークゲートウェイ装置は、前記ネットワークファクシミリ装置からＥＨＬＯコマンドを受信すると、当該ＥＨＬＯコマンドの応答メッセージを用いて自端末のゲートウェイ機能を通知することを特徴とする請求項２記載の通信システム。
【請求項４】
前記ネットワークファクシミリ装置は、前記ファクシミリ装置に対して発呼する際、前記ネットワークゲートウェイ装置に対して通信能力情報を通知した後に宛先情報を通知し、上記ネットワークゲートウェイ装置は、その通知された宛先情報の上記ファクシミリ装置へ発呼し、上記通知された通信能力情報を用いて、宛先の上記ファクシミリ装置との間で伝送前手順を行い、それによって上記ファクシミリ装置との間で設定された通信機能情報を上記ネットワークファクシミリ装置へ通知することを特徴とする請求項２または請求項３記載の通信システム。
【請求項５】
前記ネットワークファクシミリ装置は、前記ファクシミリ装置に対して発呼する際、前記ネットワークゲートウェイ装置に対して宛先情報を通知し、上記ネットワークゲートウェイ装置は、その通知された宛先情報の上記ファクシミリ装置へ発呼し、当該ファクシミリ装置より能力情報を受信すると、その受信した能力情報を上記ネットワークファクシミリ装置へ通知することを特徴とする請求項２または請求項３記載の通信システム。
【請求項６】
複数送信ページがあり、かつ、次のページでは通信モードを変更する場合には、当該次のページについては、前記ネットワークファクシミリ装置が前記ネットワークゲートウェイ装置に対して通信能力情報を通知する段階から通信動作を行うことを特徴とする請求項４または請求項５記載の通信システム。
【請求項７】
非ＥＣＭモードの通信動作を行う場合、１ページ分の画情報送信後に、前記ファクシミリ装置より受信エラーが通知された場合には、前記ネットワークファクシミリ装置は、受信エラーが通知されたページの画情報を再送することを特徴とする請求項２または請求項３または請求項４または請求項５または請求項６記載の通信システム。
【請求項８】
ＥＣＭモードの通信動作を行う場合、前記ネットワークファクシミリ装置は、前記ファクシミリ装置より通知された再送要求フレームの画情報を再送することを特徴とする請求項２または請求項３または請求項４または請求項５または請求項６記載の通信システム。
【請求項９】
ポーリング送信要求時、前記ネットワークファクシミリ装置は、前記ネットワークゲートウェイ装置に対してポーリング要求を通知し、上記ネットワークゲートウェイ装置は、所定のポーリング要求用の伝送手順信号を前記ファクシミリ装置へ送信し、それ以降は、送受信方向を逆転することを特徴とする請求項２または請求項３または請求項４または請求項５または請求項６記載の通信システム。
【請求項１０】
前記ファクシミリ装置は、発呼時、宛先の前記ネットワークファクシミリ装置を指定する宛先情報を前記ネットワークゲートウェイ装置に通知し、上記ネットワークゲートウェイ装置は、その通知された宛先情報に対応した上記ネットワークファクシミリ装置へ接続要求することを特徴とする請求項１または請求項２記載の通信システム。
【請求項１１】
前記ネットワークゲートウェイ装置は、前記ファクシミリ装置から発呼されたとき、当該ファクシミリ装置よりファクシミリ番号が通知されている場合には、そのファクシミリ番号を、宛先の前記ネットワークファクシミリ装置へ通知することを特徴とする請求項１０記載の通信システム。
【請求項１２】
ＩＰ網に接続するＩＰ網接続手段と、
公衆網に接続する公衆網接続手段と、
ＩＰ網に接続されたネットワークファクシミリ装置と、公衆網に接続されたファクシミリ装置との間のファクシミリ通信を電子メールプロトコルを使用してリアルタイム的に行うプロトコル変換手段を備えたことを特徴とするネットワークゲートウェイ装置。
【請求項１３】
前記プロトコル変換手段は、前記ネットワークファクシミリ装置との間ではＤ−ＳＭＴＰを用いて通信するとともに、前記ファクシミリ装置との間では、所定のファクシミリ通信動作を行うことを特徴とする請求項１２記載のネットワークゲートウェイ装置。
【請求項１４】
前記ネットワークファクシミリ装置からＥＨＬＯコマンドを受信すると、当該ＥＨＬＯコマンドの応答メッセージを用いて、自端末のゲートウェイ機能を通知することを特徴とする請求項１２または請求項１３記載のネットワークゲートウェイ装置。
【請求項１５】
前記ネットワークファクシミリ装置から発呼要求を受信した場合、指定された宛先の前記ファクシミリ装置との間で、上記ネットワークファクシミリ装置より通知された通信能力情報を用いて伝送前手順を行い、それによって上記ファクシミリ装置との間で設定された通信機能情報を上記ネットワークファクシミリ装置へ通知することを特徴とする請求項１３または請求項１４記載のネットワークゲートウェイ装置。
【請求項１６】
前記ネットワークファクシミリ装置から発呼要求を受信した場合、指定された宛先の前記ファクシミリ装置より能力情報を受信すると、その受信した能力情報を上記ネットワークファクシミリ装置へ通知することを特徴とする請求項１３または請求項１４記載のネットワークゲートウェイ装置。
【請求項１７】
複数送信ページがあり、かつ、次のページでは通信モードを変更する旨が前記ネットワークファクシミリ装置より通知された場合には、当該次のページについては、前記ネットワークファクシミリ装置から通信能力情報を通知する段階から通信動作を行うことを特徴とする請求項１５または請求項１６記載のネットワークゲートウェイ装置。
【請求項１８】
非ＥＣＭモードの通信動作を行う場合、１ページ分の画情報送信後に、前記ファクシミリ装置より受信エラーが通知された場合には、受信エラーが通知されたページの画情報を再送することを特徴とする請求項１３または請求項１４または請求項１５または請求項１６または請求項１７記載のネットワークゲートウェイ装置。
【請求項１９】
ＥＣＭモードの通信動作を行う場合、前記ファクシミリ装置より通知された再送要求フレームの画情報を再送することを特徴とする請求項１３または請求項１４または請求項１５または請求項１６または請求項１７記載のネットワークゲートウェイ装置。
【請求項２０】
前記ネットワークファクシミリ装置よりポーリング要求が通知されると、所定のポーリング要求用の伝送手順信号を前記ファクシミリ装置へ送信し、それ以降は、送受信方向を逆転することを特徴とする請求項１３または請求項１４または請求項１５または請求項１６または請求項１７記載のネットワークゲートウェイ装置。
【請求項２１】
前記ファクシミリ装置より発呼されて、宛先の前記ネットワークファクシミリ装置を指定する宛先情報を受信すると、その通知された宛先情報に対応した上記ネットワークファクシミリ装置へ接続要求することを特徴とする請求項１２または請求項１３記載のネットワークゲートウェイ装置。
【請求項２２】
前記ファクシミリ装置から発呼されたとき、当該ファクシミリ装置よりファクシミリ番号が通知されている場合には、そのファクシミリ番号を、宛先の前記ネットワークファクシミリ装置へ通知することを特徴とする請求項２１記載のネットワークゲートウェイ装置。
【請求項２３】
ＩＰ網に接続し、Ｄ−ＳＭＴＰ通信機能により画情報をやりとりするネットワークファクシミリ機能を備えたネットワークファクシミリ装置において、
ＩＰ網に接続された通信装置と公衆網に接続された通信装置との間のプロトコル変換機能を備えたネットワークゲートウェイ装置に対して、公衆網に接続されているファクシミリ装置への発呼要求を行う発呼要求機能を備えたことを特徴とするネットワークファクシミリ装置。
【請求項２４】
前記ネットワークゲートウェイ装置から受信したＥＨＬＯコマンドの応答メッセージの内容に基づいて、上記ネットワークゲートウェイ装置の機能を判別し、Ｄ−ＳＭＴＰ通信機能を使用するか否かを判断することを特徴とする請求項２３記載のネットワークファクシミリ装置。
【請求項２５】
前記ファクシミリ装置に対して発呼する際、前記ネットワークゲートウェイ装置に対して通信能力情報を通知した後に宛先情報を通知し、上記ネットワークゲートウェイ装置より通信機能情報を受信すると、その受信した通信機能情報に基づいてＤ−ＳＭＴＰ通信機能を用いて画情報を送信することを特徴とする請求項２３または請求項２４記載のネットワークファクシミリ装置。
【請求項２６】
前記ファクシミリ装置に対して発呼する際、前記ネットワークゲートウェイ装置に対して宛先情報を通知し、上記ネットワークゲートウェイ装置より上記ファクシミリ装置の能力情報を受信すると、その受信した能力情報に基づいて通信機能を設定し、その設定した通信機能情報に基づいてＤ−ＳＭＴＰ通信機能を用いて画情報を送信することを特徴とする請求項２３または請求項２４記載の通信システム。
【請求項２７】
複数送信ページがあり、かつ、次のページでは通信モードを変更する場合には、当該次のページについては、前記ネットワークゲートウェイ装置に対して通信能力情報を通知する段階から通信動作を行うことを特徴とする請求項２５または請求項２６記載の通信システム。
【請求項２８】
非ＥＣＭモードの通信動作を行う場合、１ページ分の画情報送信後に、前記ファクシミリ装置より受信エラーが通知された場合には、受信エラーが通知されたページの画情報を再送することを特徴とする請求項２３または請求項２４または請求項２５または請求項２６または請求項２７記載のネットワークファクシミリ装置。
【請求項２９】
ＥＣＭモードの通信動作を行う場合、前記ファクシミリ装置より通知された再送要求フレームの画情報を再送することを特徴とする請求項２３または請求項２４または請求項２５または請求項２６または請求項２７記載のネットワークファクシミリ装置。
【請求項３０】
ポーリング送信要求時、前記ネットワークゲートウェイ装置に対してポーリング要求を通知し、それ以降は、送受信方向を逆転することを特徴とする請求項２３または請求項２４または請求項２５または請求項２６または請求項２７記載のネットワークファクシミリ装置。
【請求項３１】
ＩＰ網に接続し、Ｄ−ＳＭＴＰ通信機能により画情報をやりとりするネットワークファクシミリ機能を備えたネットワークファクシミリ装置において、
ＩＰ網に接続された通信装置と公衆網に接続された通信装置との間のプロトコル変換機能を備えたネットワークゲートウェイ装置に対して、ＩＰ網に接続されているネットワークファクシミリ装置への発呼要求を行う発呼要求機能を備えたことを特徴とするファクシミリ装置。
【請求項３２】
発呼時、宛先の前記ネットワークファクシミリ装置を指定する宛先情報を前記ネットワークゲートウェイ装置に通知することを特徴とする請求項３１のファクシミリ装置。
【発明の詳細な説明】
【０００１】
【発明の属する技術分野】
本発明は、ＩＰ網に接続するＩＰ網接続手段と、公衆網に接続する公衆網接続手段を備えたネットワークゲートウェイ装置を備えた通信システム、および、その通信システムに適用するネットワークゲートウェイ装置、および、その通信システムに適用するネットワークファクシミリ装置、および、その通信システムに適用するファクシミリ装置に関する。
【０００２】
【従来の技術】
近年ではＩＴＵ−Ｔ勧告Ｔ．３７の制定により、ファクシミリ画情報を、インターネットで一般的にやり取りされる電子メール形式に変換し送受信するインターネット対応型ファクシミリ装置が普及し始めている。
【０００３】
この勧告Ｔ．３７通信機能と互換性のある通信方式としては、例えば、インターネット上でやりとりする電子メールを用いて、ファクシミリ画情報を通信する電子メール型インターネットファクシミリ通信システムが、ＲＦＣ（Ｒｅｑｕｅｓｔ　Ｆｏｒ　Ｃｏｍｍｅｎｔｓ）２３０１〜２３０６により規定されている。ここで、ＲＦＣとは、インターネット上での通信アプリケーション等が参照すべき技術についての文献であり、ＩＥＴＦ（Ｉｎｔｅｒｎｅｔ　Ｅｎｇｉｎｅｅｒｉｎｇ　Ｔａｓｋ　Ｆｏｒｃｅ；インターネットに関する技術内容をまとめている組織）から発行されている。
【０００４】
また、１９９９年４月にはＩＰ網を含むパケット網上でパケット化したＴ．３０信号をやり取りするためのＩＴＵ−Ｔ勧告Ｔ．３８が制定された。このＴ．３８通信技術を利用することで、端末間の（ＦＡＸに関する）能力交換および通信のリアルタイム性が保証される。
【０００５】
さらに、近年ではＩＥＴＦで、電子メールの送受信に用いられるプロトコルであるＳＭＴＰ（Ｓｉｍｐｌｅ　Ｍａｉｌ　Ｔｒａｎｓｆｅｒ　Ｐｒｏｔｏｃｏｌ）プロトコルを用いて、直接相手ネットワークファクスと能力交換を行う通信方式（通称「ＤｉｒｅｃｔＳＭＴＰ」、以下、「Ｄ−ＳＭＴＰ」という）のドラフトが公開されている。
【０００６】
【発明が解決しようとする課題】
ところで、勧告Ｔ．３７通信方式では、ファクシミリ画情報をメールサーバに蓄積し、転送すると言う方式を取っているために、通信の最中に能力交換が出来ないこと、通信の即時性がないという不具合があった。
【０００７】
その課題を克服するために、制定された勧告Ｔ．３８通信方式ではエンド・ツー・エンドで完全な能力交換を行うことが可能になり、このため公衆網上に位置する従来型Ｇ３ファクシミリ装置とのリアルタイム通信も可能となったが、パケット符号化が複雑であるがゆえに実装が難しく、また既に普及しているＴ．３７端末（勧告Ｔ．３７通信機能を備えた通信端末、以下同じ）との互換性が全くないという欠点があった。
【０００８】
Ｄ−ＳＭＴＰ方式は、このような課題に対する解決策として提案されたものである。しかしながら、このＤ−ＳＭＴＰ方式は、インターネット等のＩＰ網に接続されているネットワークファクシミリ装置間の通信について規定しているのみであり、したがって、公衆回線網に接続されている従来型ファクシミリ（Ｇ３／Ｇ４ファクシミリ）装置との通信については考慮されていない。
【０００９】
本発明は、かかる実情に鑑みてなされたものであり、ＩＰ網に接続されているネットワークファクシミリ装置と、公衆網に接続されているＧ３／Ｇ４ファクシミリ装置との間の通信を可能とする通信システムを提供することを目的としている。また、その通信システムに適用するネットワークゲートウェイ装置、および、その通信システムに適用するネットワークファクシミリ装置、および、その通信システムに適用するファクシミリ装置を提供することも目的としている。
【００１０】
【課題を解決するための手段】
本発明は、ＩＰ網に接続するＩＰ網接続手段と、公衆網に接続する公衆網接続手段を備えたネットワークゲートウェイ装置を備え、ＩＰ網に接続されたネットワークファクシミリ装置と、公衆網に接続されたファクシミリ装置との間のファクシミリ通信を電子メールプロトコルを利用してリアルタイム的に行うことを特徴とする通信システムである。
【００１１】
また、前記ネットワークゲートウェイ装置は、前記ネットワークファクシミリ装置との間ではＤ−ＳＭＴＰを用いて通信するとともに、前記ファクシミリ装置との間では、所定のファクシミリ通信動作を行うものである。
【００１２】
また、前記ネットワークゲートウェイ装置は、前記ネットワークファクシミリ装置からＥＨＬＯコマンドを受信すると、当該ＥＨＬＯコマンドの応答メッセージを用いて自端末のゲートウェイ機能を通知するものである。
【００１３】
また、前記ネットワークファクシミリ装置は、前記ファクシミリ装置に対して発呼する際、前記ネットワークゲートウェイ装置に対して通信能力情報を通知した後に宛先情報を通知し、上記ネットワークゲートウェイ装置は、その通知された宛先情報の上記ファクシミリ装置へ発呼し、上記通知された通信能力情報を用いて、宛先の上記ファクシミリ装置との間で伝送前手順を行い、それによって上記ファクシミリ装置との間で設定された通信機能情報を上記ネットワークファクシミリ装置へ通知する。
【００１４】
また、前記ネットワークファクシミリ装置は、前記ファクシミリ装置に対して発呼する際、前記ネットワークゲートウェイ装置に対して宛先情報を通知し、上記ネットワークゲートウェイ装置は、その通知された宛先情報の上記ファクシミリ装置へ発呼し、当該ファクシミリ装置より能力情報を受信すると、その受信した能力情報を上記ネットワークファクシミリ装置へ通知する。
【００１５】
また、複数送信ページがあり、かつ、次のページでは通信モードを変更する場合には、当該次のページについては、前記ネットワークファクシミリ装置が前記ネットワークゲートウェイ装置に対して通信能力情報を通知する段階から通信動作を行うようにしたものである。
【００１６】
また、非ＥＣＭモードの通信動作を行う場合、１ページ分の画情報送信後に、前記ファクシミリ装置より受信エラーが通知された場合には、前記ネットワークファクシミリ装置は、受信エラーが通知されたページの画情報を再送するようにしたものである。
【００１７】
また、ＥＣＭモードの通信動作を行う場合、前記ネットワークファクシミリ装置は、前記ファクシミリ装置より通知された再送要求フレームの画情報を再送するようにしたものである。
【００１８】
また、ポーリング送信要求時、前記ネットワークファクシミリ装置は、前記ネットワークゲートウェイ装置に対してポーリング要求を通知し、上記ネットワークゲートウェイ装置は、所定のポーリング要求用の伝送手順信号を前記ファクシミリ装置へ送信し、それ以降は送受信方向を逆転するようにしたものである。
【００１９】
また、前記ファクシミリ装置は、発呼時、宛先の前記ネットワークファクシミリ装置を指定する宛先情報を前記ネットワークゲートウェイ装置に通知し、上記ネットワークゲートウェイ装置は、その通知された宛先情報に対応した上記ネットワークファクシミリ装置へ接続要求するようにしたものである。
【００２０】
また、前記ネットワークゲートウェイ装置は、前記ファクシミリ装置から発呼されたとき、当該ファクシミリ装置よりファクシミリ番号が通知されている場合には、そのファクシミリ番号を、宛先の前記ネットワークファクシミリ装置へ通知するようにしたものである。
【００２１】
また、ＩＰ網に接続するＩＰ網接続手段と、公衆網に接続する公衆網接続手段と、ＩＰ網に接続されたネットワークファクシミリ装置と、公衆網に接続されたファクシミリ装置との間のファクシミリ通信を電子メールプロトコルを利用してリアルタイム的に行うプロトコル変換手段を備えたことを特徴とするネットワークゲートウェイ装置である。
【００２２】
また、前記プロトコル変換手段は、前記ネットワークファクシミリ装置との間ではＤ−ＳＭＴＰを用いて通信するとともに、前記ファクシミリ装置との間では、所定のファクシミリ通信動作を行うものである。
【００２３】
また、前記ネットワークファクシミリ装置からＥＨＬＯコマンドを受信すると、当該ＥＨＬＯコマンドの応答メッセージを用いて、自端末のゲートウェイ機能を通知するようにしたものである。
【００２４】
また、前記ネットワークファクシミリ装置から発呼要求を受信した場合、指定された宛先の前記ファクシミリ装置との間で、上記ネットワークファクシミリ装置より通知された通信能力情報を用いて伝送前手順を行い、それによって上記ファクシミリ装置との間で設定された通信機能情報を上記ネットワークファクシミリ装置へ通知するようにしたものである。
【００２５】
また、前記ネットワークファクシミリ装置から発呼要求を受信した場合、指定された宛先の前記ファクシミリ装置より能力情報を受信すると、その受信した能力情報を、上記ネットワークファクシミリ装置へ通知するようにしたものである。
【００２６】
また、複数送信ページがあり、かつ、次のページでは通信モードを変更する旨が前記ネットワークファクシミリ装置より通知された場合には、当該次のページについては、前記ネットワークファクシミリ装置から通信能力情報を通知する段階から通信動作を行うようにしたものである。
【００２７】
また、非ＥＣＭモードの通信動作を行う場合、１ページ分の画情報送信後に、前記ファクシミリ装置より受信エラーが通知された場合には、受信エラーが通知されたページの画情報を再送するようにしたものである。
【００２８】
また、ＥＣＭモードの通信動作を行う場合、前記ファクシミリ装置より通知された再送要求フレームの画情報を再送するようにしたものである。
【００２９】
また、前記ネットワークファクシミリ装置よりポーリング要求が通知されると、所定のポーリング要求用の伝送手順信号を前記ファクシミリ装置へ送信し、それ以降は、送受信方向を逆転するようにしたものである。
【００３０】
また、前記ファクシミリ装置より発呼されて、宛先の前記ネットワークファクシミリ装置を指定する宛先情報を受信すると、その通知された宛先情報に対応した上記ネットワークファクシミリ装置へ接続要求するようにしたものである。
【００３１】
また、前記ファクシミリ装置から発呼されたとき、当該ファクシミリ装置よりファクシミリ番号が通知されている場合には、そのファクシミリ番号を、宛先の前記ネットワークファクシミリ装置へ通知するようにしたものである。
【００３２】
また、ＩＰ網に接続し、Ｄ−ＳＭＴＰ通信機能により画情報をやりとりするネットワークファクシミリ機能を備えたネットワークファクシミリ装置において、ＩＰ網に接続された通信装置と公衆網に接続された通信装置との間のプロトコル変換機能を備えたネットワークゲートウェイ装置に対して、公衆網に接続されているファクシミリ装置への発呼要求を行う発呼要求機能を備えたものである。
【００３３】
また、前記ネットワークゲートウェイ装置から受信したＥＨＬＯコマンドの応答メッセージの内容に基づいて、上記ネットワークゲートウェイ装置の機能を判別し、Ｄ−ＳＭＴＰ通信機能を使用するか否かを判断するようにしたものである。
【００３４】
また、前記ファクシミリ装置に対して発呼する際、前記ネットワークゲートウェイ装置に対して通信能力情報を通知した後に宛先情報を通知し、上記ネットワークゲートウェイ装置より通信機能情報を受信すると、その受信した通信機能情報に基づいてＤ−ＳＭＴＰ通信機能を用いて画情報を送信するようにしたものである。
【００３５】
また、前記ファクシミリ装置に対して発呼する際、前記ネットワークゲートウェイ装置に対して宛先情報を通知し、上記ネットワークゲートウェイ装置より上記ファクシミリ装置の能力情報を受信すると、その受信した能力情報に基づいて通信機能を設定し、その設定した通信機能情報に基づいてＤ−ＳＭＴＰ通信機能を用いて画情報を送信するようにしたものである。
【００３６】
また、複数送信ページがあり、かつ、次のページでは通信モードを変更する場合には、当該次のページについては、前記ネットワークゲートウェイ装置に対して通信能力情報を通知する段階から通信動作を行うようにしたものである。
【００３７】
また、非ＥＣＭモードの通信動作を行う場合、１ページ分の画情報送信後に、前記ファクシミリ装置より受信エラーが通知された場合には、受信エラーが通知されたページの画情報を再送するようにしたものである。
【００３８】
また、ＥＣＭモードの通信動作を行う場合、前記ファクシミリ装置より通知された再送要求フレームの画情報を再送するようにしたものである。
【００３９】
また、ポーリング送信要求時、前記ネットワークゲートウェイ装置に対してポーリング要求を通知し、それ以降は、送受信方向を逆転するようにしたものである。
【００４０】
また、ＩＰ網に接続し、Ｄ−ＳＭＴＰ通信機能により画情報をやりとりするネットワークファクシミリ機能を備えたネットワークファクシミリ装置において、ＩＰ網に接続された通信装置と公衆網に接続された通信装置との間のプロトコル変換機能を備えたネットワークゲートウェイ装置に対して、ＩＰ網に接続されているネットワークファクシミリ装置への発呼要求を行う発呼要求機能を備えたものである。
【００４１】
また、発呼時、宛先の前記ネットワークファクシミリ装置を指定する宛先情報を前記ネットワークゲートウェイ装置に通知するようにしたものである。
【００４２】
【発明の実施の形態】
以下、添付図面を参照しながら、本発明の実施の形態を詳細に説明する。
【００４３】
図１は、本発明の一実施例にかかる通信システムを示している。
【００４４】
同図において、インターネットＩＮＥＴには、ネットワークファクシミリ装置ＦＸが接続されており、アナログ公衆網ＰＳＴＮには、グループ３ファクシミリ装置ＧＸが接続されている。ゲートウェイ装置ＧＷは、インターネットＩＮＥＴのネットワークファクシミリ装置ＦＸと、アナログ公衆網ＰＳＴＮのグループ３ファクシミリ装置ＧＸとの間を接続して、相互通信を可能にする機能を備えている。なお、インターネットＩＮＥＴは、ＩＰ網として機能する広域ネットワークである。
【００４５】
また、ネットワークファクシミリ装置ＦＸは、ファクシミリ画情報の作成および記録出力等のファクシミリ装置機能、電子メールを用いてファクシミリ画情報をやりとりするためのＴ．３７通信機能、Ｄ−ＳＭＴＰ方式の通信機能、および、ゲートウェイ装置ＧＷを介して、アナログ公衆網ＰＳＴＮのグループ３ファクシミリ装置ＧＸとの間でファクシミリ通信を行う拡張Ｄ−ＳＭＴＰ方式の通信機能を備えている。
【００４６】
また、グループ３ファクシミリ装置ＧＸは、通常のグループ３ファクシミリ通信機能と、ゲートウェイ装置ＧＷを用いてネットワークファクシミリ装置ＦＸへ発呼する際には、宛先となるネットワークファクシミリ装置ＦＸを指定する宛先情報をゲートウェイ装置ＧＷへ通知する宛先通知機能を備えている。
【００４７】
ゲートウェイ装置ＧＷは、電子メールを用いてファクシミリ画情報をやりとりするためのＴ．３７通信機能、Ｄ−ＳＭＴＰ方式の通信機能、および、アナログ公衆網ＰＳＴＮのグループ３ファクシミリ装置ＧＸとの間でファクシミリ通信を行う拡張Ｄ−ＳＭＴＰ方式に対応したゲートウェイ機能を備えている。
【００４８】
図２は、ネットワークファクシミリ装置ＦＸの構成の一例を示している。
【００４９】
同図において、システム制御部１は、このネットワークファクシミリ装置ＦＸの各部の制御処理、Ｔ．３７通信機能処理、Ｄ−ＳＭＴＰ方式通信機能処理、および、拡張Ｄ−ＳＭＴＰ方式通信機能処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００５０】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００５１】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００５２】
磁気ディスク装置１０は、このネットワークファクシミリ装置ＦＸの実行プログラムや、種々のパラメータデータ等を記憶するためのものである。
【００５３】
インターネットインターフェース回路１１は、このネットワークファクシミリ装置ＦＸをインターネットＩＮＥＴに接続するためのものであり、インターネット伝送制御部１２は、インターネットＩＮＥＴを介して、他の端末装置との間で種々のデータをやりとりするための各種所定のプロトコルスイートの通信制御処理を実行するためのものである。
【００５４】
これらの、システム制御部１、システムメモリ２、パラメータメモリ３、時計回路４、スキャナ５、プロッタ６、操作表示部７、符号化復号化部８、画像蓄積装置９、磁気ディスク装置１０、および、インターネット伝送制御部１２は、内部バス１４に接続されており、これらの各要素間でのデータのやりとりは、主としてこの内部バス１４を介して行われている。
【００５５】
図３は、ゲートウェイ装置ＧＷの構成例を示している。なお、このゲートウェイ装置ＧＷは、ゲートウェイとして機能するのみならず、ネットワークファクシミリ装置ＦＸあるいはグループ３ファクシミリ装置ＧＸと直接通信する機能も備えている。
【００５６】
同図において、システム制御部２１は、このゲートウェイ装置ＧＷの各部の制御処理、Ｔ．３７通信機能処理、Ｄ−ＳＭＴＰ方式通信機能処理、および、拡張Ｄ−ＳＭＴＰ方式ゲートウェイ機能処理などの各種制御処理を行うものであり、システムメモリ２２は、システム制御部２１が実行する制御処理プログラム、および、処理プログラムを実行するときに必要な各種データなどを記憶するとともに、システム制御部２１のワークエリアを構成するものであり、パラメータメモリ２３は、このゲートウェイ装置ＧＷに固有な各種の情報を記憶するためのものであり、時計回路２４は、現在時刻情報を出力するものである。
【００５７】
スキャナ２５は、所定の解像度で原稿画像を読み取るためのものであり、プロッタ２６は、所定の解像度で画像を記録出力するためのものであり、磁気ディスク装置２７は、このゲートウェイ装置ＧＷの他の実行プログラムや、種々のパラメータデータ等を記憶するためのものである。
【００５８】
また、操作表示部２８は、このゲートウェイ装置ＧＷを操作するためのもので、各種の操作キー、および、各種の表示器からなる。
【００５９】
符号化復号化部２９は、画信号を符号化圧縮するとともに、符号化圧縮されている画情報を元の画信号に復号化するためのものであり、画像蓄積装置３０は、符号化圧縮された状態の画情報を多数記憶するためのものである。
【００６０】
グループ３ファクシミリモデム３１は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００６１】
網制御装置３２は、このゲートウェイ装置ＧＷをアナログ公衆回線網ＰＳＴＮに接続するためのものであり、自動発着信機能を備えている。
【００６２】
インターネットインターフェース回路３３は、このゲートウェイ装置ＧＷをインターネットＩＮＥＴに接続するためのものであり、インターネット伝送制御部３４は、インターネットＩＮＥＴを介して、他の端末装置との間で種々のデータをやりとりするための各種所定のプロトコルスイートの通信制御処理を実行するためのものである。
【００６３】
これらの、システム制御部２１、システムメモリ２２、パラメータメモリ２３、時計回路２４、スキャナ２５、プロッタ２６、磁気ディスク装置２７、操作表示部２８、符号化復号化部２９、画像蓄積装置３０、グループ３ファクシミリモデム３１、網制御装置３２、および、ローカルエリアネットワーク伝送制御部３４は、内部バス３５に接続されており、これらの各要素間でのデータのやりとりは、主としてこの内部バス２５を介して行われている。
【００６４】
また、網制御装置３２とグループ３ファクシミリモデム３１との間のデータのやりとりは、直接行なわれている。
【００６５】
また、ゲートウェイ装置ＧＷは、グループ３ファクシミリ装置ＧＸから受信した宛先情報を、対応するネットワークファクシミリ装置ＦＸのメールアドレスへ変換するためのアドレス変換テーブルを備えている。
【００６６】
このアドレス変換テーブルは、例えば、図４（ａ）に示すように、複数のアドレス変換情報をまとめたものであり、おのおののアドレス変換情報は、同図（ｂ）に示すように、グループ３ファクシミリ装置ＧＸから通知される宛先情報としての番号（あるいは、サブアドレス）と、当該番号（サブアドレス）に登録されている電子メールアドレスからなる。
【００６７】
例えば、番号「０００１」には、アドレス「ｐｒｉｎｔ＠ｉｆａｘ．ｔｏｋｙｏ．ａｂｃ．ｃｏ．ｊｐ」が、番号「０００２」には、アドレス「ｐｒｉｎｔ＠ｉｆａｘ．ｏｓａｋａ．ａｂｃ．ｃｏ．ｊｐ」が、番号「０００３」には、アドレス「ｐｒｉｎｔ＠１９２．１６８．０．１０」が、番号「０００４」には、アドレス「ｆａｘ＝０１２３４５６７８９＠ｉｆａｘ．ｔｏｋｙｏ．ａｂｃ．ｃｏ．ｊｐ」が登録される。
【００６８】
また、番号の値は、例えば、ワンタッチダイアルの番号であったり、あるいは、いわゆる受信ボックス機能の受信ボックス番号であっても良い。
【００６９】
さて、本実施例における拡張Ｄ−ＳＭＴＰ方式通信機能は、基本的には、Ｄ−ＳＭＴＰ方式通信機能におけるコマンドを利用しており、例えば、拡張Ｄ−ＳＭＴＰ方式通信機能の通信を開始した後に、相手端末が拡張Ｄ−ＳＭＴＰ方式通信機能を備えていないと判定した場合には、その時点から、Ｄ−ＳＭＴＰ方式通信機能の通信へ切り換えたり、さらに、同じく電子メールを用いて画情報を運ぶＴ．３７通信機能の通信へ切換えることもできる。
【００７０】
図５は、ネットワークファクシミリ装置ＦＸが、ゲートウェイ装置ＧＷを用いて、グループ３ファクシミリ装置ＧＸへ画情報を送信するときの動作の一例を示している。この場合は、送信ページ数が１ページの場合である。
【００７１】
ここで、ネットワークファクシミリ装置ＦＸとゲートウェイ装置ＧＷとの情報のやりとりは、Ｄ−ＳＭＴＰ方式通信機能に準じた信号形式を用いており、基本的には、可読情報（７ビットのキャラクタコード）以外を取り扱うことができない。したがって、画情報や、他のパラメータ（後述）等、可読情報以外のデータ（２バイトキャラクタデータやバイナリデータなど）をやりとりする際には、それらのデータを所定の変換方法（例えば、Ｂａｓｅ６４符号化方法）を適用して可読情報に変換した状態でやりとりされる。すなわち、画情報やパラメータ等は、ＭＩＭＥ（Ｍｕｌｔｉ　Ｐｕｒｐｏｓｅ　Ｍａｉｌ　Ｅｘｔｅｎｓｉｏｎ）変換された状態で、やりとりされる。
【００７２】
まず、ネットワークファクシミリ装置ＦＸは、ゲートウェイ装置ＧＷを指定してＳＭＴＰポートオープンを要求する。これに対し、ゲートウェイ装置ＧＷは、信号「２２０（＝サービスレディ）」をネットワークファクシミリ装置ＦＸへ応答する。
【００７３】
次に、ネットワークファクシミリ装置ＦＸは、ＥＳＭＴＰ（ＳＭＴＰ　Ｓｅｒｖｉｃｅ　Ｅｘｔｅｎｓｉｏｎｓ；ＲＦＣ１４２５、ＲＦＣ２８２１等参照）の開始コマンドであるコマンドＥＨＬＯをゲートウェイ装置ＧＷへ送信する。ここで、このコマンドＥＨＬＯは、拡張Ｄ−ＳＭＴＰ方式通信機能の開始を指令するコマンドを兼用している。
【００７４】
コマンドＥＨＬＯを受信したゲートウェイ装置ＧＷは、拡張Ｄ−ＳＭＴＰ方式通信機能を備えている旨を通知する信号「２５０（＝肯定応答）−ＦＡＸＧＷ」と、Ｄ−ＳＭＴＰ方式通信機能を備えている旨を通知する信号「２５０　ＣＯＮＮＥＧ」を、ネットワークファクシミリ装置ＦＸへ順次応答する。
【００７５】
これにより、ネットワークファクシミリ装置ＦＸは、コマンド「ＭＡＩＬ　ＦＲＯＭ：＜自機メールアドレス＞」をゲートウェイ装置ＧＷへ送信し、送信元のメールアドレスを通知する。ここで、ゲートウェイ装置ＧＷでは、受信したコマンド「ＭＡＩＬ　ＦＲＯＭ」のパラメータである「＜自機メールアドレス＞」が、通信拒否をする旨登録されているメールアドレスであるかどうかを調べる。また、このために、あらかじめ、ゲートウェイ装置ＧＷには、通信拒否をするメールアドレスを判定するための情報（例えば、通信拒否するあるいは通信許可する複数のメールアドレス、通信拒否するあるいは通信許可するメールアドレスのローカルパートが複数、通信拒否するあるいは通信許可するメールアドレスのドメインパートが複数等）が登録されている。また、ここまでがネットワークファクシミリ装置ＦＸとゲートウェイ装置ＧＷとの接続手順に相当する。
【００７６】
ゲートウェイ装置ＧＷは、そのときの電子メールの受付を許可できる場合には、信号「２５０」をネットワークファクシミリ装置ＦＸへ応答する。
【００７７】
次に、ネットワークファクシミリ装置ＦＸは、電子メールの宛先を通知するコマンド「ＲＣＰＴ　ＴＯ：＜ｆａｘ＝１２３４＠ｄｏｍａｉｎ＞」をゲートウェイ装置ＧＷへ送信する。
【００７８】
ここで、コマンド「ＲＣＰＴ　ＴＯ」のパラメータの「ｄｏｍａｉｎ（ドメイン）」の部分は、例えば、Ｄ−ＳＭＴＰ方式通信で規定されている着側Ｄ−ＳＭＴＰ端末を指定するドメイン名と同じ表示形式のものを用いることができる。また、コマンド「ＲＣＰＴ　ＴＯ」のパラメータのローカルパート「ｆａｘ＝１２３４」は、ＲＦＣ２３０３／ＲＦＣ２３０４で規定されているアドレスフォーマットのものを用いることができる。また、宛先を指定するパラメータの信号形式をこのようにすることで、相手端末が拡張Ｄ−ＳＭＴＰ方式通信機能を備えていない場合でも、受信した画情報の宛先を相手端末で認識することができる可能性が広がり、結果的に、最終宛先へ画情報が送信される可能性が高くなる。
【００７９】
これにより、ゲートウェイ装置ＧＷは、コマンド「ＲＣＰＴ　ＴＯ：＜ｆａｘ＝１２３４＠ｄｏｍａｉｎ＞」で指定された宛先のグループ３ファクシミリ装置ＧＸへ、アナログ公衆網ＰＳＴＮを用いて発呼する。
【００８０】
それにより、グループ３ファクシミリ装置ＧＸは、着信応答し、所定のグループ３ファクシミリ伝送手順を開始する。したがって、グループ３ファクシミリ装置ＧＸは、信号ＣＥＤをゲートウェイ装置ＧＷへ応答し、次に、信号ＣＳＩ（自端末の識別情報）／ＤＩＳ（自端末の能力情報）をゲートウェイ装置ＧＷへ応答する。
【００８１】
ゲートウェイ装置ＧＷは、信号ＣＳＩ／ＤＩＳを受信すると、信号ＤＩＳに含まれる受信能力パラメータ（バイナリデータ）を認識し、コマンド「ＲＣＰＴ　ＴＯ：＜ｆａｘ＝１２３４＠ｄｏｍａｉｎ＞」に対応して、ネットワークファクシミリ装置ＦＸへ応答する応答信号「２５０」に、パラメータとして、認識した受信能力パラメータを通知するための「能力情報」を付加する。また、このときの「能力情報」は、受信パラメータをＭＩＭＥ変換して得た値である。
【００８２】
これにより、ネットワークファクシミリ装置ＦＸは、相手端末（グループ３ファクシミリ装置ＧＸ）の受信能力を知るので、その受信能力と、自端末の送信時に設定されている通信機能に基づいて、そのときに使用する伝送機能を設定し、それを通知するために、コマンド「ＲＣＰＴ　ＴＯ：＜ｆａｘ＝１２３４＠ｄｏｍａｉｎ＞　能力情報」をゲートウェイ装置ＧＷへ送信する。ここで、パラメータ「能力情報」は、設定した伝送機能をあらわす内容であり、例えば、信号ＤＩＳのパラメータと同じ内容（バイナリデータ）をＭＩＭＥ変換した値のものである。
【００８３】
ゲートウェイ装置ＧＷは、ネットワークファクシミリ装置ＦＸよりコマンド「ＲＣＰＴ　ＴＯ：＜ｆａｘ＝１２３４＠ｄｏｍａｉｎ＞　能力情報」を受信すると、パラメータ「能力情報」を解釈して、対応する信号ＴＳＩ／ＤＣＳを作成し、グループ３ファクシミリ装置ＧＸへ送信する。ここで、信号ＴＳＩのパラメータは、例えば、コマンド「ＭＡＩＬ　ＦＲＯＭ」のパラメータ「＜自機メールアドレス＞」の値を用いることができる。また、パラメータ「能力情報」に対応した情報は、信号ＤＣＳの信号パラメータとして配置される。
【００８４】
次いで、ゲートウェイ装置ＧＷは、そのときのパラメータ「能力情報」で指定したモデム速度でモデムトレーニングするために信号ＴＣＦをグループ３ファクシミリ装置ＧＸへ送信する。
【００８５】
ここで、グループ３ファクシミリ装置ＧＸは、トレーニングに失敗した場合、信号ＦＴＴをゲートウェイ装置ＧＷへ送信する。
【００８６】
それにより、ゲートウェイ装置ＧＷは、コマンド「ＲＣＰＴ　ＴＯ：＜ｆａｘ＝１２３４＠ｄｏｍａｉｎ＞　能力情報」の応答として、応答信号「４５０　ＦＴＴ」をネットワークファクシミリ装置ＦＸへ応答する。ここで、応答信号「４５０」は、要求された動作が完了しなかった旨を通知するためのものである。
【００８７】
これにより、ネットワークファクシミリ装置ＦＸは、最初に設定したモデム速度を低下する等、新たに使用する伝送機能を設定し、それを通知するために、コマンド「ＲＣＰＴ　ＴＯ：＜ｆａｘ＝１２３４＠ｄｏｍａｉｎ＞　能力情報」をゲートウェイ装置ＧＷへ送信する。
【００８８】
ゲートウェイ装置ＧＷは、ネットワークファクシミリ装置ＦＸよりコマンド「ＲＣＰＴ　ＴＯ：＜ｆａｘ＝１２３４＠ｄｏｍａｉｎ＞　能力情報」を受信すると、パラメータ「能力情報」を解釈して、対応する信号ＴＳＩ／ＤＣＳを作成し、グループ３ファクシミリ装置ＧＸへ送信する。
【００８９】
次いで、ゲートウェイ装置ＧＷは、そのときのパラメータ「能力情報」で指定したモデム速度でモデムトレーニングするために信号ＴＣＦをグループ３ファクシミリ装置ＧＸへ送信する。
【００９０】
ここで、グループ３ファクシミリ装置ＧＸは、トレーニングに成功した場合、信号ＣＦＲをゲートウェイ装置ＧＷへ送信する。
【００９１】
それにより、ゲートウェイ装置ＧＷは、信号「２５０　ＣＦＲ」をネットワークファクシミリ装置ＦＸへ応答する。また、ここまでが、ネットワークファクシミリ装置ＦＸとグループ３ファクシミリ装置ＧＸとの間で行うネゴシエーションの部分である。
【００９２】
このようにして、使用する通信機能が設定されると、ネットワークファクシミリ装置ＦＸは、送信画情報をＭＩＭＥ変換して得た送信データＤＡＴＡをゲートウェイ装置ＧＷへ順次送信し、ゲートウェイ装置ＧＷは、受信した送信データＤＡＴＡをＭＩＭＥ逆変換して元の画情報を作成し、その画情報ＰＩＸをグループ３ファクシミリ装置ＧＸへ送信する。
【００９３】
１ページ分の画情報の送信を終了すると、ネットワークファクシミリ装置ＦＸは、データ転送の終了をあらわすデータ「．（ピリオド）」をゲートウェイ装置ＧＷへ送信する。
【００９４】
これにより、ゲートウェイ装置ＧＷは、信号「３５４」を応答する。ネットワークファクシミリ装置ＦＸは、この場合は、送信ページが１ページであったので、画情報の転送の終了をあらわすコマンド「ＱＵＩＴ」をゲートウェイ装置ＧＷへ送信する。
【００９５】
それにより、ゲートウェイ装置ＧＷは、メッセージ後信号として、信号ＥＯＰをグループ３ファクシミリ装置ＧＸへ送信する。グループ３ファクシミリ装置ＧＸは、メッセージ後信号を受信すると、そのときの受信結果が良好な場合には、信号ＭＣＦをゲートウェイ装置ＧＷへ送信する。
【００９６】
それにより、ゲートウェイ装置ＧＷは、ネットワークファクシミリ装置ＦＸに対しては、信号「２２１」を応答してネットワークファクシミリ装置ＦＸとの通信を終了し、また、グループ３ファクシミリ装置ＧＸには信号ＤＣＮを送信して、グループ３ファクシミリ装置ＧＸとの間の回線を復旧し、一連の拡張Ｄ−ＳＭＴＰ方式通信の動作を終了する。
【００９７】
図６および図７は、ネットワークファクシミリ装置ＦＸが、ゲートウェイ装置ＧＷを用いて、グループ３ファクシミリ装置ＧＸへ画情報を送信するときの動作の一例を示している。この場合は、送信ページ数が３ページで、１ページ目と、２，３ページ目の画情報の画像モード（解像度、読み取りモード等）が異なる場合である。
【００９８】
まず、ネットワークファクシミリ装置ＦＸは、ゲートウェイ装置ＧＷを指定してＳＭＴＰポートオープンを要求する。これに対し、ゲートウェイ装置ＧＷは、信号「２２０」をネットワークファクシミリ装置ＦＸへ応答する。
【００９９】
次に、ネットワークファクシミリ装置ＦＸは、ＥＳＭＴＰの開始コマンドであるコマンドＥＨＬＯをゲートウェイ装置ＧＷへ送信する。ここで、このコマンドＥＨＬＯは、拡張Ｄ−ＳＭＴＰ方式通信機能の開始を指令するコマンドを兼用している。
【０１００】
コマンドＥＨＬＯを受信したゲートウェイ装置ＧＷは、拡張Ｄ−ＳＭＴＰ方式通信機能を備えている旨を通知する信号「２５０−ＦＡＸＧＷ」と、Ｄ−ＳＭＴＰ方式通信機能を備えている旨を通知する信号「２５０　ＣＯＮＮＥＧ」を、ネットワークファクシミリ装置ＦＸへ順次応答する。
【０１０１】
これにより、ネットワークファクシミリ装置ＦＸは、コマンド「ＭＡＩＬ　ＦＲＯＭ：＜自機メールアドレス＞」をゲートウェイ装置ＧＷへ送信し、送信元のメールアドレスを通知する。
【０１０２】
ゲートウェイ装置ＧＷは、そのときの電子メールの受付を許可できる場合には、信号「２５０」をネットワークファクシミリ装置ＦＸへ応答する。
【０１０３】
次に、ネットワークファクシミリ装置ＦＸは、電子メールの宛先を通知するコマンド「ＲＣＰＴ　ＴＯ：＜ｆａｘ＝１２３４＠ｄｏｍａｉｎ＞」をゲートウェイ装置ＧＷへ送信する。
【０１０４】
これにより、ゲートウェイ装置ＧＷは、コマンド「ＲＣＰＴ　ＴＯ：＜ｆａｘ＝１２３４＠ｄｏｍａｉｎ＞」で指定された宛先のグループ３ファクシミリ装置ＧＸへ、アナログ公衆網ＰＳＴＮを用いて発呼する。
【０１０５】
それにより、グループ３ファクシミリ装置ＧＸは、着信応答し、所定のグループ３ファクシミリ伝送手順を開始する。したがって、グループ３ファクシミリ装置ＧＸは、信号ＣＥＤをゲートウェイ装置ＧＷへ応答し、次に、信号ＣＳＩ（自端末の識別情報）／ＤＩＳ（自端末の能力情報）をゲートウェイ装置ＧＷへ応答する。
【０１０６】
ゲートウェイ装置ＧＷは、信号ＣＳＩ／ＤＩＳを受信すると、信号ＤＩＳに含まれる受信能力パラメータ（バイナリデータ）を認識し、コマンド「ＲＣＰＴ　ＴＯ：＜ｆａｘ＝１２３４＠ｄｏｍａｉｎ＞」に対応して、ネットワークファクシミリ装置ＦＸへ応答する応答信号「２５０」に、パラメータとして、認識した受信能力パラメータを通知するための「能力情報」を付加する。また、このときの「能力情報」は、受信パラメータをＭＩＭＥ変換して得た値である。
【０１０７】
これにより、ネットワークファクシミリ装置ＦＸは、相手端末（グループ３ファクシミリ装置ＧＸ）の受信能力を知るので、その受信能力と、１ページ目の送信画情報の画像モードおよび送信時に設定されている通信機能に基づいて、そのときに使用する伝送機能を設定し、それを通知するために、コマンド「ＲＣＰＴＴＯ：＜ｆａｘ＝１２３４＠ｄｏｍａｉｎ＞　能力情報」をゲートウェイ装置ＧＷへ送信する。
【０１０８】
ゲートウェイ装置ＧＷは、ネットワークファクシミリ装置ＦＸよりコマンド「ＲＣＰＴ　ＴＯ：＜ｆａｘ＝１２３４＠ｄｏｍａｉｎ＞　能力情報」を受信すると、パラメータ「能力情報」を解釈して、対応する信号ＴＳＩ／ＤＣＳを作成し、グループ３ファクシミリ装置ＧＸへ送信する。
【０１０９】
次いで、ゲートウェイ装置ＧＷは、そのときのパラメータ「能力情報」で指定したモデム速度でモデムトレーニングするために信号ＴＣＦをグループ３ファクシミリ装置ＧＸへ送信する。
【０１１０】
ここで、グループ３ファクシミリ装置ＧＸは、トレーニングに成功した場合、信号ＣＦＲをゲートウェイ装置ＧＷへ送信する。
【０１１１】
それにより、ゲートウェイ装置ＧＷは、信号「２５０　ＣＦＲ」をネットワークファクシミリ装置ＦＸへ応答する。また、ここまでが、ネットワークファクシミリ装置ＦＸとグループ３ファクシミリ装置ＧＸとの間で行うネゴシエーションの部分である。
【０１１２】
このようにして、使用する通信機能が設定されると、ネットワークファクシミリ装置ＦＸは、１ページ目の送信画情報をＭＩＭＥ変換して得た送信データＤＡＴＡをゲートウェイ装置ＧＷへ順次送信し、ゲートウェイ装置ＧＷは、受信した送信データＤＡＴＡをＭＩＭＥ逆変換して元の画情報を作成し、その画情報ＰＩＸをグループ３ファクシミリ装置ＧＸへ送信する。
【０１１３】
１ページ分の画情報の送信を終了すると、ネットワークファクシミリ装置ＦＸは、データ転送の終了をあらわすデータ「．（ピリオド）」をゲートウェイ装置ＧＷへ送信する。
【０１１４】
これにより、ゲートウェイ装置ＧＷは、信号「３５４」を応答する。ネットワークファクシミリ装置ＦＸは、この場合は、次の送信画情報のページがあり、かつ、画像モードを変更するので、その旨をあらわすコマンド「ＲＳＥＴ」をゲートウェイ装置ＧＷへ送信する。
【０１１５】
それにより、ゲートウェイ装置ＧＷは、メッセージ後信号として、信号ＥＯＭをグループ３ファクシミリ装置ＧＸへ送信する。グループ３ファクシミリ装置ＧＸは、メッセージ後信号を受信すると、そのときの受信結果が良好な場合には、信号ＭＣＦをゲートウェイ装置ＧＷへ送信する。
【０１１６】
それにより、ゲートウェイ装置ＧＷは、ネットワークファクシミリ装置ＦＸに信号「２５０」を応答する。
【０１１７】
そして、ネットワークファクシミリ装置ＦＸ、ゲートウェイ装置ＧＷ、および、グループ３ファクシミリ装置ＧＸは、次のページの画情報送信のための再ネゴシエーションを行う。
【０１１８】
すなわち、ネットワークファクシミリ装置ＦＸは、コマンド「ＭＡＩＬ　ＦＲＯＭ：＜自機メールアドレス＞」をゲートウェイ装置ＧＷへ送信する。それにより、ゲートウェイ装置ＧＷは、信号「２５０」をネットワークファクシミリ装置ＦＸへ応答し、次いで、ネットワークファクシミリ装置ＦＸは、コマンド「ＲＣＰＴ　ＴＯ：＜ｆａｘ＝１２３４＠ｄｏｍａｉｎ＞」をゲートウェイ装置ＧＷへ送信する。この場合、既に宛先との間の呼接続が完了しているので、ゲートウェイ装置ＧＷは、発呼動作は行わない。
【０１１９】
一方、グループ３ファクシミリ装置ＧＸは、再ネゴシエーションのために、所定のグループ３ファクシミリ伝送手順のフェーズＢへ戻り、信号ＣＥＤをゲートウェイ装置ＧＷへ応答し、次に、信号ＣＳＩ（自端末の識別情報）／ＤＩＳ（自端末の能力情報）をゲートウェイ装置ＧＷへ応答する。
【０１２０】
ゲートウェイ装置ＧＷは、信号ＣＳＩ／ＤＩＳを受信すると、信号ＤＩＳに含まれる受信能力パラメータ（バイナリデータ）を認識し、コマンド「ＲＣＰＴ　ＴＯ：＜ｆａｘ＝１２３４＠ｄｏｍａｉｎ＞」に対応して、ネットワークファクシミリ装置ＦＸへ応答する応答信号「２５０」に、パラメータとして、認識した受信能力パラメータを通知するための「能力情報」を付加する。
【０１２１】
これにより、ネットワークファクシミリ装置ＦＸは、相手端末（グループ３ファクシミリ装置ＧＸ）の受信能力を知るので、その受信能力と、２ページ目の送信画情報の画像モードおよび送信時に設定されている通信機能に基づいて、そのときに使用する伝送機能を設定し、それを通知するために、コマンド「ＲＣＰＴＴＯ：＜ｆａｘ＝１２３４＠ｄｏｍａｉｎ＞　能力情報」をゲートウェイ装置ＧＷへ送信する。
【０１２２】
ゲートウェイ装置ＧＷは、ネットワークファクシミリ装置ＦＸよりコマンド「ＲＣＰＴ　ＴＯ：＜ｆａｘ＝１２３４＠ｄｏｍａｉｎ＞　能力情報」を受信すると、パラメータ「能力情報」を解釈して、対応する信号ＴＳＩ／ＤＣＳを作成し、グループ３ファクシミリ装置ＧＸへ送信する。
【０１２３】
次いで、ゲートウェイ装置ＧＷは、そのときのパラメータ「能力情報」で指定したモデム速度でモデムトレーニングするために信号ＴＣＦをグループ３ファクシミリ装置ＧＸへ送信する。
【０１２４】
ここで、グループ３ファクシミリ装置ＧＸは、トレーニングに成功した場合、信号ＣＦＲをゲートウェイ装置ＧＷへ送信する。
【０１２５】
それにより、ゲートウェイ装置ＧＷは、信号「２５０　ＣＦＲ」をネットワークファクシミリ装置ＦＸへ応答する。また、この時点で、再ネゴシエーションが終了する。
【０１２６】
このようにして、使用する通信機能が設定されると、ネットワークファクシミリ装置ＦＸは、２ページ目の送信画情報をＭＩＭＥ変換して得た送信データＤＡＴＡをゲートウェイ装置ＧＷへ順次送信し、ゲートウェイ装置ＧＷは、受信した送信データＤＡＴＡをＭＩＭＥ逆変換して元の画情報を作成し、その画情報ＰＩＸをグループ３ファクシミリ装置ＧＸへ送信する。
【０１２７】
１ページ分の画情報（２ページ目）の送信を終了すると、ネットワークファクシミリ装置ＦＸは、データ転送の終了をあらわすデータ「．（ピリオド）」をゲートウェイ装置ＧＷへ送信する。これにより、ゲートウェイ装置ＧＷは、信号「３５４」を応答する。
【０１２８】
ここで、ネットワークファクシミリ装置ＦＸは、この場合は、次の送信画情報のページがあり、かつ、画像モードが同じであるので、引き続き、３ページ目の画情報の送信動作を行う。すなわち、３ページ目の送信画情報をＭＩＭＥ変換して得た送信データＤＡＴＡをゲートウェイ装置ＧＷへ順次送信し、１ページ分の画情報（３ページ目）の送信を終了すると、ネットワークファクシミリ装置ＦＸは、データ転送の終了をあらわすデータ「．（ピリオド）」をゲートウェイ装置ＧＷへ送信する。
【０１２９】
一方、この場合、ゲートウェイ装置ＧＷは、３ページ目の画情報の最初の送信データＤＡＴＡを受信すると、メッセージ後信号として信号ＭＰＳをグループ３ファクシミリ装置ＧＸへ送信し、グループ３ファクシミリ装置ＧＸは、メッセージ後信号を受信すると、そのときの受信結果（２ページ目の受信結果）が良好な場合には、信号ＭＣＦをゲートウェイ装置ＧＷへ送信する。
【０１３０】
そして、ゲートウェイ装置ＧＷは、受信した（３ページ目の）送信データＤＡＴＡをＭＩＭＥ逆変換して元の画情報を作成し、その画情報ＰＩＸをグループ３ファクシミリ装置ＧＸへ送信する。
【０１３１】
そして、ネットワークファクシミリ装置ＦＸより「．（ピリオド）」を受信すると、ゲートウェイ装置ＧＷは、信号「３５４」を応答する。ネットワークファクシミリ装置ＦＸは、この場合は、全てのページの送信が終了したので、画情報の転送の終了をあらわすコマンド「ＱＵＩＴ」をゲートウェイ装置ＧＷへ送信する。
【０１３２】
それにより、ゲートウェイ装置ＧＷは、メッセージ後信号として、信号ＥＯＰをグループ３ファクシミリ装置ＧＸへ送信する。グループ３ファクシミリ装置ＧＸは、メッセージ後信号を受信すると、そのときの受信結果が良好な場合には、信号ＭＣＦをゲートウェイ装置ＧＷへ送信する。
【０１３３】
それにより、ゲートウェイ装置ＧＷは、ネットワークファクシミリ装置ＦＸに対しては、信号「２２１」を応答してネットワークファクシミリ装置ＦＸとの通信を終了し、また、グループ３ファクシミリ装置ＧＸには信号ＤＣＮを送信して、グループ３ファクシミリ装置ＧＸとの間の呼を切断し、一連の拡張Ｄ−ＳＭＴＰ方式通信の動作を終了する。
【０１３４】
図８および図９は、この場合に、ネットワークファクシミリ装置ＦＸが拡張Ｄ−ＳＭＴＰ方式通信機能を用いて画情報を送信するときの処理の一例を示している。
【０１３５】
まず、ユーザは、ゲートウェイ装置ＧＷの接続情報（ホスト名やＩＰアドレス等）と最終宛先のグループ３ファクシミリ装置ＧＸの宛先情報を指定した状態で、送信動作を指示する。
【０１３６】
これにより、ネットワークファクシミリ装置ＦＸは、ゲートウェイ装置ＧＷを指定してＳＭＴＰポートオープンを要求し（処理１０１）、接続先から信号「２２０」を応答受信するかどうかを調べる（判断１０２）。判断１０２の結果がＮＯになるときには、指定された接続先を使用して画情報送信動作を行うことができないので、このときの送信動作をエラー終了する。また、エラー内容を表示すると良い。
【０１３７】
判断１０２の結果がＹＥＳになるときには、接続先にコマンド「ＥＨＬＯ」を送信し（処理１０３）、接続先から信号「２５０」を受信するかどうかを調べる（判断１０４）。ここで、判断１０４の結果がＮＯになるときには、接続先がＥＳＭＴＰ通信機能を備えていないので、同じ接続先へＳＭＴＰのコマンド「ＨＥＬＯ」を送信し（処理１０５）、Ｔ．３７通信処理へ移行し、電子メールを用いた画情報送信動作を行う。
【０１３８】
また、判断１０４の結果がＹＥＳになるときには、信号「２５０　ＣＯＮＮＥＧ」を受信したかどうかを調べる（判断１０６）。判断１０６の結果がＮＯになるときには、接続先がＤ−ＳＭＴＰ方式通信機能を備えていないので、Ｔ．３７通信処理へ移行し、電子メールを用いた画情報送信動作を行う。
【０１３９】
判断１０６の結果がＹＥＳになるときには、信号「２５０−ＦＡＸＧＷ」を受信しているかどうかを調べる（判断１０７）。判断１０７の結果がＮＯになるときには、接続先がＤ−ＳＭＴＰ方式通信機能を備えているが、拡張Ｄ−ＳＭＴＰ方式通信機能を備えていない場合であるので、その時点でＤ−ＳＭＴＰ方式通信処理へ移行し、Ｄ−ＳＭＴＰ方式通信機能を使用して画情報を送信する。
【０１４０】
判断１０７の結果がＹＥＳになるときには、接続先が拡張Ｄ−ＳＭＴＰ方式通信機能を備えたゲートウェイ装置ＧＷであると確認できる。そこで、コマンド「ＭＡＩＬ　ＦＲＯＭ：＜自機メールアドレス＞」を接続先へ送信し、送信元のメールアドレスを通知する。
【０１４１】
次いで、接続先より、コマンド「ＭＡＩＬ　ＦＲＯＭ」へのエラー応答を受信するかどうかを調べる（判断１０９）。判断１０９の結果がＹＥＳになるときには、接続先のゲートウェイ装置ＧＷを利用できない場合であるので、この送信動作をエラー終了する。また、そのとき、エラー理由を表示するようにすると良い。
【０１４２】
一方、接続先より信号「２５０」を受信した場合で、判断１０９の結果がＮＯになるときには、上述したフォーマットの宛先メールアドレスを生成し（処理１１０）、電子メールの宛先を通知するコマンド「ＲＣＰＴ　ＴＯ：＜ｆａｘ＝１２３４＠ｄｏｍａｉｎ＞」を接続先へ送信する（処理１１１）。
【０１４３】
そして、接続先から受信した応答信号で、ビジー（エラー応答）が通知されるかどうかを調べる（判断１１２）。判断１１２の結果がＹＥＳになるときには、この送信動作をエラー終了する。また、そのとき、エラー理由（「宛先ビジー」等）を表示するようにすると良い。
【０１４４】
また、判断１１２の結果がＮＯになるときには、接続先から受信した応答信号に「能力情報」が付加されていたかどうかを調べる（判断１１３）。判断１１３の結果がＮＯになるときには、拡張Ｄ−ＳＭＴＰ方式通信機能を使用できない場合であるので、その時点でＤ−ＳＭＴＰ方式通信処理へ移行し、Ｄ−ＳＭＴＰ方式通信機能を使用して画情報を送信する。
【０１４５】
また、判断１１３の結果がＹＥＳになるときには、そのときに通知された能力情報（受信能力）と、送信ページの送信画情報の画像モードおよび送信時に設定されている通信機能に基づいて、そのときに使用する伝送機能を設定し（処理１１４）、それを通知するために、コマンド「ＲＣＰＴ　ＴＯ：＜ｆａｘ＝１２３４＠ｄｏｍａｉｎ＞　能力情報」を接続先へ送信する（処理１１５）。
【０１４６】
次いで、コマンド「ＲＣＰＴ　ＴＯ」に対する応答信号を受信し（処理１１７）、その内容が「２５０　ＣＦＲ」であるかどうかを調べる（判断１１８）。判断１１８の結果がＮＯになるときには、使用する通信機能を再設定し（処理１１９）、再設定した通信機能を通知するために、コマンド「ＲＣＰＴ　ＴＯ：＜ｆａｘ＝１２３４＠ｄｏｍａｉｎ＞　能力情報」を接続先へ送信し（処理１２０）、処理１１７へ戻り、対応する応答信号を受信する。
【０１４７】
一方、判断１１８の結果がＹＥＳになるときには、１ページ分の送信画情報をＭＩＭＥ変換して得た送信データＤＡＴＡを接続先へ順次送信し（処理１２１，１２２）、１ページ分の画情報の送信を終了すると、データ転送の終了をあらわすデータ「．（ピリオド）」を接続先へ送信する（処理１２３）。
【０１４８】
ここで、次の送信ページがあるかどうかを調べ（判断１２４）、判断１２４の結果がＹＥＳになるときには、次の送信ページの画情報の画像モードに変更があるかどうかを調べる（判断１２５）。
【０１４９】
判断１２５の結果がＹＥＳになるときには、コマンド「ＲＳＥＴ」を接続先へ送信し（処理１２６）、次のページの画情報の送信のための再ネゴシエーションを行う（処理１２７）。そして、再ネゴシエーションを終了すると、処理１２１へ戻り、次のページの画情報の送信を行う。
【０１５０】
また、判断１２５の結果がＮＯになるときには、処理１２１へ戻り、次のページの画情報の送信を行う。
【０１５１】
また、最終ページの画情報の送信を終了した場合で、判断１２４の結果がＮＯになるときには、コマンド「ＱＵＩＴ」を接続先へ送信し（処理１２８）、応答信号を受信すると（処理１２９）、この送信動作を終了する。
【０１５２】
図１０および図１１は、この場合に、ゲートウェイ装置ＧＷがネットワークファクシミリ装置ＦＸより接続要求されて、拡張Ｄ−ＳＭＴＰ方式通信機能の通信動作を行うときの処理の一例を示している。
【０１５３】
まず、ゲートウェイ装置ＧＷは、インターネットＩＮＥＴよりＳＭＴＰポートオープンが要求されることを監視しており（判断２０１のＮＯループ）、いずれかの端末よりＳＭＴＰポートオープンが要求され判断２０１の結果がＹＥＳになると、信号「２２０」を要求元へ応答する（処理２０２）。
【０１５４】
次いで、要求元からコマンド「ＥＨＬＯ」を受信するかどうかを調べる（判断２０３）。要求元からコマンド「ＨＥＬＯ」を受信した場合で、判断２０３の結果がＮＯになるときには、ＳＭＴＰ処理へ移行し、電子メールの転送動作を行う。
【０１５５】
また、判断２０３の結果がＹＥＳになるときには、信号「２５０　ＣＯＮＮＥＧ」および信号「２５０−ＦＡＸＧＷ」を、要求元へ応答する（処理２０４）。そして、要求元よりコマンド「ＭＡＩＬ　ＦＲＯＭ」を受信する（処理２０５）と、そのコマンド「ＭＡＩＬ　ＦＲＯＭ」のパラメータのメールアドレスを調べて、アクセス拒否すべきかどうかを判断する（判断２０６）。判断２０６の結果がＹＥＳになるときには、要求元へエラー応答を送信し（処理２０７）、このときの動作を終了する。なお、エラー応答を送信する場合には、エラー原因も通知するようにすると良い。
【０１５６】
また、判断２０６の結果がＮＯになるときには、信号「２５０」を要求元へ応答し（処理２０８）、要求元よりコマンド「ＲＣＰＴ　ＴＯ」を受信する（処理２０９）。
【０１５７】
そして、受信したコマンド「ＲＣＰＴ　ＴＯ」のパラメータで示されたアナログ公衆網ＰＳＴＮの宛先へ、網制御装置３２により発呼し、宛先との間で所定のグループ３ファクシミリ伝送手順を開始する（処理２１０）。
【０１５８】
ここで、宛先がビジーであるかどうかを調べ（判断２１１）、判断２１１の結果がＹＥＳになるときには、処理２０７へ移行し、要求元へエラー応答（エラー原因は「宛先ビジー」）を送信し、このときの動作を終了する。
【０１５９】
一方、判断２１１の結果がＮＯになるときには、宛先より信号ＣＳＩ／ＤＩＳを受信すると、信号ＤＩＳで通知された受信能力を要求元へ通知する信号「２５０　能力情報」を要求元へ応答する（処理２１２）。
【０１６０】
そして、要求元よりコマンド「ＲＣＰＴ　ＴＯ：＜ｆａｘ＝１２３４＠ｄｏｍａｉｎ＞　能力情報」を受信すると（処理２１３）、パラメータ「能力情報」を解釈して、対応する信号ＴＳＩ／ＤＣＳを作成し、宛先へ送信する。
【０１６１】
そして、宛先より信号ＴＣＦの応答信号として信号ＦＴＴを受信したかどうかを調べ（判断２１４）、判断２１４の結果がＹＥＳになるときには、要求元へ信号「４５０　ＦＴＴ」を応答し（処理２１５）、処理２１３へ戻り、通信機能の再設定動作を行う。
【０１６２】
また、宛先より信号ＴＣＦの応答信号として信号ＣＦＲを受信した場合で、判断２１４の結果がＮＯになるときには、信号「２５０　ＣＦＲ」を要求元へ応答する（処理２１６）。
【０１６３】
そして、それ以降、データ「．（ピリオド）」を受信するまで、要求元から受信する送信データＤＡＴＡを、ＭＩＭＥ逆変換して元の画情報を作成し、その画情報ＰＩＸを宛先へ送信する（処理２１７、判断２１８のＮＯループ）。
【０１６４】
１ページ分の画情報の転送を終了すると（判断２１８の結果がＹＥＳ）、信号「３５４」を要求元へ応答する（処理２１９）。
【０１６５】
そして、コマンド「ＱＵＩＴ」を受信したかどうかを調べる（判断２２０）。判断２２０の結果がＮＯになるときには、コマンド「ＲＳＥＴ」を受信したかどうかを調べる（判断２２１）。
【０１６６】
判断２２１の結果がＹＥＳになるときには、信号ＥＯＭを宛先へ送信し（処理２２２）、所定の再ネゴシエーション処理を行い（処理２２３）、処理２１７へ戻り、再設定した画像モードで次のページの画情報の転送動作を行う。
【０１６７】
また、判断２２１の結果がＮＯになるときには、信号ＭＰＳを宛先へ送信し（処理２２４）、処理２１７へ戻り、次のページの画情報の転送動作を行う。
【０１６８】
また、判断２２０の結果がＹＥＳになるときには、信号ＥＯＰを宛先へ送信し（処理２２５）、宛先より応答信号を受信し（処理２２６）、要求元へ信号「２２１」を応答して要求元との接続を終了し（処理２２７）、信号ＤＣＮを宛先へ送信し（処理２２８）、宛先との回線を復旧して（処理２２９）、一連の動作を終了し、判断２０１へ戻る。
【０１６９】
このようにして、本実施例では、Ｄ−ＳＭＴＰ方式通信機能を拡張した拡張Ｄ−ＳＭＴＰ方式通信機能を利用することで、インターネットＩＮＥＴに接続されているネットワークファクシミリ装置ＦＸから、アナログ公衆網ＰＳＴＮに接続されているグループ３ファクシミリ装置ＧＸへ、画情報を送信することができるので、非常に便利である。
【０１７０】
また、拡張Ｄ−ＳＭＴＰ方式通信機能において、ネットワークファクシミリ装置ＦＸから宛先を指定するために送信するコマンド「ＲＣＰＴ　ＴＯ」のパラメータの「ｄｏｍａｉｎ（ドメイン）」の部分は、例えば、Ｄ−ＳＭＴＰ方式通信で規定されている着側Ｄ−ＳＭＴＰ端末を指定するドメイン名と同じ表示形式のものを用い、また、ローカルパートは、ＲＦＣ２３０３／ＲＦＣ２３０４で規定されているアドレスフォーマットのものを用いることで、ネットワークファクシミリ装置ＦＸの接続先が拡張Ｄ−ＳＭＴＰ方式通信機能を備えていない場合でも、受信した画情報の宛先を相手端末（または相手端末の管理者）で認識することができる可能性が広がり、（例えば、管理者の手動操作等により）結果的に、最終宛先へ画情報が送信される可能性が高くなる。
【０１７１】
図１２は、ネットワークファクシミリ装置ＦＸが、ゲートウェイ装置ＧＷを用いて、グループ３ファクシミリ装置ＧＸへ画情報を送信するときの動作の他の例を示している。この場合は、送信ページ数が１ページの場合である。
【０１７２】
まず、ネットワークファクシミリ装置ＦＸは、ゲートウェイ装置ＧＷを指定してＳＭＴＰポートオープンを要求する。これに対し、ゲートウェイ装置ＧＷは、信号「２２０」をネットワークファクシミリ装置ＦＸへ応答する。
【０１７３】
次に、ネットワークファクシミリ装置ＦＸは、ＥＳＭＴＰの開始コマンドであるコマンドＥＨＬＯをゲートウェイ装置ＧＷへ送信する。ここで、このコマンドＥＨＬＯは、拡張Ｄ−ＳＭＴＰ方式通信機能の開始を指令するコマンドを兼用している。
【０１７４】
コマンドＥＨＬＯを受信したゲートウェイ装置ＧＷは、拡張Ｄ−ＳＭＴＰ方式通信機能を備えている旨を通知する信号「２５０−ＦＡＸＧＷ」と、Ｄ−ＳＭＴＰ方式通信機能を備えている旨を通知する信号「２５０　ＣＯＮＮＥＧ」を、ネットワークファクシミリ装置ＦＸへ順次応答する。
【０１７５】
これにより、ネットワークファクシミリ装置ＦＸは、コマンド「ＭＡＩＬ　ＦＲＯＭ：＜自機メールアドレス＞能力情報」をゲートウェイ装置ＧＷへ送信し、送信元のメールアドレス、および、画情報の画像モードを含む通信能力情報を通知する。ここで、ゲートウェイ装置ＧＷでは、受信したコマンド「ＭＡＩＬ　ＦＲＯＭ」のパラメータである「＜自機メールアドレス＞」が、通信拒否をする旨登録されているメールアドレスであるかどうかを調べる。また、「能力情報」を保存する。
【０１７６】
ゲートウェイ装置ＧＷは、そのときの電子メールの受付を許可できる場合には、信号「２５０」をネットワークファクシミリ装置ＦＸへ応答する。
【０１７７】
次に、ネットワークファクシミリ装置ＦＸは、電子メールの宛先を通知するコマンド「ＲＣＰＴ　ＴＯ：＜ｆａｘ＝１２３４＠ｄｏｍａｉｎ＞」をゲートウェイ装置ＧＷへ送信する。
【０１７８】
これにより、ゲートウェイ装置ＧＷは、コマンド「ＲＣＰＴ　ＴＯ：＜ｆａｘ＝１２３４＠ｄｏｍａｉｎ＞」で指定された宛先のグループ３ファクシミリ装置ＧＸへ、アナログ公衆網ＰＳＴＮを用いて発呼する。
【０１７９】
それにより、グループ３ファクシミリ装置ＧＸは、着信応答し、所定のグループ３ファクシミリ伝送手順を開始する。したがって、グループ３ファクシミリ装置ＧＸは、信号ＣＥＤをゲートウェイ装置ＧＷへ応答し、次に、信号ＣＳＩ（自端末の識別情報）／ＤＩＳ（自端末の能力情報）をゲートウェイ装置ＧＷへ応答する。
【０１８０】
ゲートウェイ装置ＧＷは、信号ＣＳＩ／ＤＩＳを受信すると、信号ＤＩＳに含まれる受信能力パラメータ（バイナリデータ）を認識し、そのときに保存しているネットワークファクシミリ装置ＦＸの「能力情報」に基づいて、使用する伝送機能（モデム速度等）を設定し、信号ＴＳＩ／ＤＣＳを作成し、グループ３ファクシミリ装置ＧＸへ送信する。ここで、信号ＴＳＩのパラメータは、例えば、コマンド「ＭＡＩＬ　ＦＲＯＭ」のパラメータ「＜自機メールアドレス＞」の値を用いることができる。
【０１８１】
次いで、ゲートウェイ装置ＧＷは、そのときに設定したモデム速度でモデムトレーニングするために信号ＴＣＦをグループ３ファクシミリ装置ＧＸへ送信する。
【０１８２】
ここで、グループ３ファクシミリ装置ＧＸは、トレーニングに失敗した場合、信号ＦＴＴをゲートウェイ装置ＧＷへ送信する。
【０１８３】
それにより、ゲートウェイ装置ＧＷは、保存している「能力情報」から次のモデム速度を設定し、信号ＴＳＩ／ＤＣＳを作成し、グループ３ファクシミリ装置ＧＸへ送信し、そのときに設定したモデム速度でモデムトレーニングするために信号ＴＣＦをグループ３ファクシミリ装置ＧＸへ送信する。
【０１８４】
ここで、グループ３ファクシミリ装置ＧＸは、トレーニングに成功した場合、信号ＣＦＲをゲートウェイ装置ＧＷへ送信する。
【０１８５】
それにより、ゲートウェイ装置ＧＷは、信号「２５０　能力情報」をネットワークファクシミリ装置ＦＸへ応答する。このとき、「能力情報」としては、直前に信号ＤＣＳで指定した伝送機能の値が配置される。
【０１８６】
また、ここまでが、ネットワークファクシミリ装置ＦＸとグループ３ファクシミリ装置ＧＸとの間で行うネゴシエーションの部分である。
【０１８７】
このようにして、使用する通信機能が通知されると、ネットワークファクシミリ装置ＦＸは、送信画情報をＭＩＭＥ変換して得た送信データＤＡＴＡをゲートウェイ装置ＧＷへ順次送信し、ゲートウェイ装置ＧＷは、受信した送信データＤＡＴＡをＭＩＭＥ逆変換して元の画情報を作成し、その画情報ＰＩＸをグループ３ファクシミリ装置ＧＸへ送信する。
【０１８８】
１ページ分の画情報の送信を終了すると、ネットワークファクシミリ装置ＦＸは、データ転送の終了をあらわすデータ「．（ピリオド）」をゲートウェイ装置ＧＷへ送信する。
【０１８９】
これにより、ゲートウェイ装置ＧＷは、信号「３５４」を応答する。ネットワークファクシミリ装置ＦＸは、この場合は、送信ページが１ページであったので、画情報の転送の終了をあらわすコマンド「ＱＵＩＴ」をゲートウェイ装置ＧＷへ送信する。
【０１９０】
それにより、ゲートウェイ装置ＧＷは、メッセージ後信号として、信号ＥＯＰをグループ３ファクシミリ装置ＧＸへ送信する。グループ３ファクシミリ装置ＧＸは、メッセージ後信号を受信すると、そのときの受信結果が良好な場合には、信号ＭＣＦをゲートウェイ装置ＧＷへ送信する。
【０１９１】
それにより、ゲートウェイ装置ＧＷは、ネットワークファクシミリ装置ＦＸに対しては、信号「２２１」を応答してネットワークファクシミリ装置ＦＸとの通信を終了し、また、グループ３ファクシミリ装置ＧＸには信号ＤＣＮを送信して、グループ３ファクシミリ装置ＧＸとの間の回線を復旧し、一連の拡張Ｄ−ＳＭＴＰ方式通信の動作を終了する。
【０１９２】
図１３および図１４は、ネットワークファクシミリ装置ＦＸが、ゲートウェイ装置ＧＷを用いて、グループ３ファクシミリ装置ＧＸへ画情報を送信するときの動作の他の例を示している。この場合は、送信ページ数が３ページで、１ページ目と、２，３ページ目の画情報の画像モード（解像度、読み取りモード等）が異なる場合である。
【０１９３】
まず、ネットワークファクシミリ装置ＦＸは、ゲートウェイ装置ＧＷを指定してＳＭＴＰポートオープンを要求する。これに対し、ゲートウェイ装置ＧＷは、信号「２２０」をネットワークファクシミリ装置ＦＸへ応答する。
【０１９４】
次に、ネットワークファクシミリ装置ＦＸは、ＥＳＭＴＰの開始コマンドであるコマンドＥＨＬＯをゲートウェイ装置ＧＷへ送信する。ここで、このコマンドＥＨＬＯは、拡張Ｄ−ＳＭＴＰ方式通信機能の開始を指令するコマンドを兼用している。
【０１９５】
コマンドＥＨＬＯを受信したゲートウェイ装置ＧＷは、拡張Ｄ−ＳＭＴＰ方式通信機能を備えている旨を通知する信号「２５０−ＦＡＸＧＷ」と、Ｄ−ＳＭＴＰ方式通信機能を備えている旨を通知する信号「２５０　ＣＯＮＮＥＧ」を、ネットワークファクシミリ装置ＦＸへ順次応答する。
【０１９６】
これにより、ネットワークファクシミリ装置ＦＸは、コマンド「ＭＡＩＬ　ＦＲＯＭ：＜自機メールアドレス＞能力情報」をゲートウェイ装置ＧＷへ送信し、送信元のメールアドレス、および、１ページ目の画情報の画像モードを含む通信能力情報を通知する。ここで、ゲートウェイ装置ＧＷでは、受信したコマンド「ＭＡＩＬ　ＦＲＯＭ」のパラメータである「＜自機メールアドレス＞」が、通信拒否をする旨登録されているメールアドレスであるかどうかを調べる。また、「能力情報」を保存する。
【０１９７】
ゲートウェイ装置ＧＷは、そのときの電子メールの受付を許可できる場合には、信号「２５０」をネットワークファクシミリ装置ＦＸへ応答する。
【０１９８】
次に、ネットワークファクシミリ装置ＦＸは、電子メールの宛先を通知するコマンド「ＲＣＰＴ　ＴＯ：＜ｆａｘ＝１２３４＠ｄｏｍａｉｎ＞」をゲートウェイ装置ＧＷへ送信する。
【０１９９】
これにより、ゲートウェイ装置ＧＷは、コマンド「ＲＣＰＴ　ＴＯ：＜ｆａｘ＝１２３４＠ｄｏｍａｉｎ＞」で指定された宛先のグループ３ファクシミリ装置ＧＸへ、アナログ公衆網ＰＳＴＮを用いて発呼する。
【０２００】
それにより、グループ３ファクシミリ装置ＧＸは、着信応答し、所定のグループ３ファクシミリ伝送手順を開始する。したがって、グループ３ファクシミリ装置ＧＸは、信号ＣＥＤをゲートウェイ装置ＧＷへ応答し、次に、信号ＣＳＩ（自端末の識別情報）／ＤＩＳ（自端末の能力情報）をゲートウェイ装置ＧＷへ応答する。
【０２０１】
ゲートウェイ装置ＧＷは、信号ＣＳＩ／ＤＩＳを受信すると、信号ＤＩＳに含まれる受信能力パラメータ（バイナリデータ）を認識し、そのときに保存しているネットワークファクシミリ装置ＦＸの「能力情報」に基づいて、使用する伝送機能（モデム速度等）を設定し、信号ＴＳＩ／ＤＣＳを作成し、グループ３ファクシミリ装置ＧＸへ送信する。ここで、信号ＴＳＩのパラメータは、例えば、コマンド「ＭＡＩＬ　ＦＲＯＭ」のパラメータ「＜自機メールアドレス＞」の値を用いることができる。
【０２０２】
次いで、ゲートウェイ装置ＧＷは、そのときに設定したモデム速度でモデムトレーニングするために信号ＴＣＦをグループ３ファクシミリ装置ＧＸへ送信する。
【０２０３】
ここで、グループ３ファクシミリ装置ＧＸは、トレーニングに成功した場合、信号ＣＦＲをゲートウェイ装置ＧＷへ送信する。
【０２０４】
それにより、ゲートウェイ装置ＧＷは、信号「２５０　能力情報」をネットワークファクシミリ装置ＦＸへ応答する。このとき、「能力情報」としては、直前に信号ＤＣＳで指定した伝送機能の値が配置される。
【０２０５】
また、ここまでが、ネットワークファクシミリ装置ＦＸとグループ３ファクシミリ装置ＧＸとの間で行うネゴシエーションの部分である。
【０２０６】
このようにして、使用する通信機能が通知されると、ネットワークファクシミリ装置ＦＸは、１ページ目の送信画情報をＭＩＭＥ変換して得た送信データＤＡＴＡをゲートウェイ装置ＧＷへ順次送信し、ゲートウェイ装置ＧＷは、受信した送信データＤＡＴＡをＭＩＭＥ逆変換して元の画情報を作成し、その画情報ＰＩＸをグループ３ファクシミリ装置ＧＸへ送信する。
【０２０７】
１ページ分の画情報の送信を終了すると、ネットワークファクシミリ装置ＦＸは、データ転送の終了をあらわすデータ「．（ピリオド）」をゲートウェイ装置ＧＷへ送信する。
【０２０８】
これにより、ゲートウェイ装置ＧＷは、信号「３５４」をネットワークファクシミリ装置ＦＸへ応答する。
【０２０９】
ここで、ネットワークファクシミリ装置ＦＸは、この場合は、次の送信画情報のページがあり、かつ、画像モードを変更するので、その旨をあらわすコマンド「ＲＳＥＴ」をゲートウェイ装置ＧＷへ送信する。
【０２１０】
それにより、ゲートウェイ装置ＧＷは、メッセージ後信号として、信号ＥＯＭをグループ３ファクシミリ装置ＧＸへ送信する。グループ３ファクシミリ装置ＧＸは、メッセージ後信号を受信すると、そのときの受信結果が良好な場合には、信号ＭＣＦをゲートウェイ装置ＧＷへ送信する。
【０２１１】
それにより、ゲートウェイ装置ＧＷは、ネットワークファクシミリ装置ＦＸに信号「２５０」を応答する。
【０２１２】
そして、ネットワークファクシミリ装置ＦＸ、ゲートウェイ装置ＧＷ、および、グループ３ファクシミリ装置ＧＸは、次のページの画情報送信のための再ネゴシエーションを行う。
【０２１３】
すなわち、ネットワークファクシミリ装置ＦＸは、コマンド「ＭＡＩＬ　ＦＲＯＭ：＜自機メールアドレス＞能力情報」をゲートウェイ装置ＧＷへ送信し、送信元のメールアドレス、および、２ページ目の画情報の画像モードを含む通信能力情報を通知する。それにより、ゲートウェイ装置ＧＷは、信号「２５０」をネットワークファクシミリ装置ＦＸへ応答する。
【０２１４】
次に、ネットワークファクシミリ装置ＦＸは、電子メールの宛先を通知するコマンド「ＲＣＰＴ　ＴＯ：＜ｆａｘ＝１２３４＠ｄｏｍａｉｎ＞」をゲートウェイ装置ＧＷへ送信する。この場合、既に宛先との間の呼接続が完了しているので、ゲートウェイ装置ＧＷは、発呼動作は行わない。
【０２１５】
一方、グループ３ファクシミリ装置ＧＸは、再ネゴシエーションのために、所定のグループ３ファクシミリ伝送手順のフェーズＢへ戻り、信号ＣＥＤをゲートウェイ装置ＧＷへ応答し、次に、信号ＣＳＩ（自端末の識別情報）／ＤＩＳ（自端末の能力情報）をゲートウェイ装置ＧＷへ応答する。
【０２１６】
ゲートウェイ装置ＧＷは、信号ＣＳＩ／ＤＩＳを受信すると、信号ＤＩＳに含まれる受信能力パラメータ（バイナリデータ）を認識し、そのときに保存しているネットワークファクシミリ装置ＦＸの「能力情報」に基づいて、使用する伝送機能（モデム速度等）を設定し、信号ＴＳＩ／ＤＣＳを作成し、グループ３ファクシミリ装置ＧＸへ送信する。
【０２１７】
次いで、ゲートウェイ装置ＧＷは、そのときに設定したモデム速度でモデムトレーニングするために信号ＴＣＦをグループ３ファクシミリ装置ＧＸへ送信する。
【０２１８】
ここで、グループ３ファクシミリ装置ＧＸは、トレーニングに成功した場合、信号ＣＦＲをゲートウェイ装置ＧＷへ送信する。
【０２１９】
それにより、ゲートウェイ装置ＧＷは、信号「２５０　能力情報」をネットワークファクシミリ装置ＦＸへ応答する。このとき、「能力情報」としては、直前に信号ＤＣＳで指定した伝送機能の値が配置される。また、この時点で、再ネゴシエーションが終了する。
【０２２０】
このようにして、使用する通信機能が通知されると、ネットワークファクシミリ装置ＦＸは、２ページ目の送信画情報をＭＩＭＥ変換して得た送信データＤＡＴＡをゲートウェイ装置ＧＷへ順次送信し、ゲートウェイ装置ＧＷは、受信した送信データＤＡＴＡをＭＩＭＥ逆変換して元の画情報を作成し、その画情報ＰＩＸをグループ３ファクシミリ装置ＧＸへ送信する。
【０２２１】
１ページ分の画情報（２ページ目）の送信を終了すると、ネットワークファクシミリ装置ＦＸは、データ転送の終了をあらわすデータ「．（ピリオド）」をゲートウェイ装置ＧＷへ送信する。これにより、ゲートウェイ装置ＧＷは、信号「３５４」をネットワークファクシミリ装置ＦＸへ応答する。
【０２２２】
ここで、ネットワークファクシミリ装置ＦＸは、この場合は、次の送信画情報のページがあり、かつ、画像モードが同じであるので、引き続き、３ページ目の画情報の送信動作を行う。すなわち、３ページ目の送信画情報をＭＩＭＥ変換して得た送信データＤＡＴＡをゲートウェイ装置ＧＷへ順次送信し、１ページ分の画情報（３ページ目）の送信を終了すると、ネットワークファクシミリ装置ＦＸは、データ転送の終了をあらわすデータ「．（ピリオド）」をゲートウェイ装置ＧＷへ送信する。
【０２２３】
一方、この場合、ゲートウェイ装置ＧＷは、３ページ目の画情報の最初の送信データＤＡＴＡを受信すると、メッセージ後信号として信号ＭＰＳをグループ３ファクシミリ装置ＧＸへ送信し、グループ３ファクシミリ装置ＧＸは、メッセージ後信号を受信すると、そのときの受信結果（２ページ目の受信結果）が良好な場合には、信号ＭＣＦをゲートウェイ装置ＧＷへ送信する。
【０２２４】
そして、ゲートウェイ装置ＧＷは、受信した（３ページ目の）送信データＤＡＴＡをＭＩＭＥ逆変換して元の画情報を作成し、その画情報ＰＩＸをグループ３ファクシミリ装置ＧＸへ送信する。
【０２２５】
そして、ネットワークファクシミリ装置ＦＸより「．（ピリオド）」を受信すると、ゲートウェイ装置ＧＷは、信号「３５４」を応答する。ネットワークファクシミリ装置ＦＸは、この場合は、全てのページの送信が終了したので、画情報の転送の終了をあらわすコマンド「ＱＵＩＴ」をゲートウェイ装置ＧＷへ送信する。
【０２２６】
それにより、ゲートウェイ装置ＧＷは、メッセージ後信号として、信号ＥＯＰをグループ３ファクシミリ装置ＧＸへ送信する。グループ３ファクシミリ装置ＧＸは、メッセージ後信号を受信すると、そのときの受信結果が良好な場合には、信号ＭＣＦをゲートウェイ装置ＧＷへ送信する。
【０２２７】
それにより、ゲートウェイ装置ＧＷは、ネットワークファクシミリ装置ＦＸに対しては、信号「２２１」を応答してネットワークファクシミリ装置ＦＸとの通信を終了し、また、グループ３ファクシミリ装置ＧＸには信号ＤＣＮを送信して、グループ３ファクシミリ装置ＧＸとの間の呼を切断し、一連の拡張Ｄ−ＳＭＴＰ方式通信の動作を終了する。
【０２２８】
図１５および図１６は、この場合に、ネットワークファクシミリ装置ＦＸが拡張Ｄ−ＳＭＴＰ方式通信機能を用いて画情報を送信するときの処理の一例を示している。
【０２２９】
まず、ユーザは、ゲートウェイ装置ＧＷの接続情報（ホスト名やＩＰアドレス等）と最終宛先のグループ３ファクシミリ装置ＧＸの宛先情報を指定した状態で、送信動作を指示する。
【０２３０】
これにより、ネットワークファクシミリ装置ＦＸは、ゲートウェイ装置ＧＷを指定してＳＭＴＰポートオープンを要求し（処理３０１）、接続先から信号「２２０」を応答受信するかどうかを調べる（判断３０２）。判断３０２の結果がＮＯになるときには、指定された接続先を使用して画情報送信動作を行うことができないので、このときの送信動作をエラー終了する。また、エラー内容を表示すると良い。
【０２３１】
判断３０２の結果がＹＥＳになるときには、接続先にコマンド「ＥＨＬＯ」を送信し（処理３０３）、接続先から信号「２５０」を受信するかどうかを調べる（判断３０４）。ここで、判断３０４の結果がＮＯになるときには、接続先がＥＳＭＴＰ通信機能を備えていないので、同じ接続先へＳＭＴＰのコマンド「ＨＥＬＯ」を送信し（処理３０５）、Ｔ．３７通信処理へ移行し、電子メールを用いた画情報送信動作を行う。
【０２３２】
また、判断３０４の結果がＹＥＳになるときには、信号「２５０　ＣＯＮＮＥＧ」を受信したかどうかを調べる（判断３０６）。判断３０６の結果がＮＯになるときには、接続先がＤ−ＳＭＴＰ方式通信機能を備えていないので、Ｔ．３７通信処理へ移行し、電子メールを用いた画情報送信動作を行う。
【０２３３】
判断３０６の結果がＹＥＳになるときには、信号「２５０−ＦＡＸＧＷ」を受信しているかどうかを調べる（判断３０７）。判断３０７の結果がＮＯになるときには、接続先がＤ−ＳＭＴＰ方式通信機能を備えているが、拡張Ｄ−ＳＭＴＰ方式通信機能を備えていない場合であるので、その時点でＤ−ＳＭＴＰ方式通信処理へ移行し、Ｄ−ＳＭＴＰ方式通信機能を使用して画情報を送信する。
【０２３４】
判断３０７の結果がＹＥＳになるときには、接続先が拡張Ｄ−ＳＭＴＰ方式通信機能を備えたゲートウェイ装置ＧＷであると確認できる。そこで、画情報の画像モードを含む通信能力情報をエンコードして（処理３０８）、コマンド「ＭＡＩＬ　ＦＲＯＭ：＜自機メールアドレス＞能力情報」を接続先へ送信し、送信元のメールアドレスと通信能力情報を通知する（処理３０９）。
【０２３５】
次いで、接続先より、コマンド「ＭＡＩＬ　ＦＲＯＭ」へのエラー応答を受信するかどうかを調べる（判断３１０）。判断３１０の結果がＹＥＳになるときには、接続先のゲートウェイ装置ＧＷを利用できない場合であるので、この送信動作をエラー終了する。また、そのとき、エラー理由を表示するようにすると良い。
【０２３６】
一方、接続先より信号「２５０」を受信した場合で、判断３１０の結果がＮＯになるときには、上述したフォーマットの宛先メールアドレスを生成し（処理３１１）、電子メールの宛先を通知するコマンド「ＲＣＰＴ　ＴＯ：＜ｆａｘ＝１２３４＠ｄｏｍａｉｎ＞」を接続先へ送信する（処理３１２）。
【０２３７】
そして、接続先から受信した応答信号で、ビジー等のエラー応答が通知されるかどうかを調べる（判断３１３）。判断３１３の結果がＹＥＳになるときには、この送信動作をエラー終了する。また、そのとき、エラー理由（「宛先ビジー」等）を表示するようにすると良い。
【０２３８】
また、判断３１３の結果がＮＯになるときには、接続先から受信した応答信号に「能力情報」が付加されていたかどうかを調べる（判断３１４）。判断３１４の結果がＮＯになるときには、拡張Ｄ−ＳＭＴＰ方式通信機能を使用できない場合であるので、その時点でＤ−ＳＭＴＰ方式通信処理へ移行し、Ｄ−ＳＭＴＰ方式通信機能を使用して画情報を送信する。
【０２３９】
また、判断３１４の結果がＹＥＳになるときには、接続先から受信した「能力情報」に従って、１ページ分の送信画情報をＭＩＭＥ変換して得た送信データＤＡＴＡを接続先へ順次送信し（処理３１５，３１６）、１ページ分の画情報の送信を終了すると、データ転送の終了をあらわすデータ「．（ピリオド）」を接続先へ送信する（処理３１７）。
【０２４０】
ここで、次の送信ページがあるかどうかを調べ（判断３１８）、判断３１８の結果がＹＥＳになるときには、次の送信ページの画情報の画像モードに変更があるかどうかを調べる（判断３１９）。
【０２４１】
判断３１９の結果がＹＥＳになるときには、コマンド「ＲＳＥＴ」を接続先へ送信し（処理３２０）、次のページの画情報の送信のための再ネゴシエーションを行う（処理３２１）。そして、再ネゴシエーションを終了すると、処理３１５へ戻り、次のページの画情報の送信を行う。
【０２４２】
また、判断３１９の結果がＮＯになるときには、処理３１５へ戻り、次のページの画情報の送信を行う。
【０２４３】
また、最終ページの画情報の送信を終了した場合で、判断３１８の結果がＮＯになるときには、コマンド「ＱＵＩＴ」を接続先へ送信し（処理３２２）、応答信号を受信すると（処理３２３）、この送信動作を終了する。
【０２４４】
図１７，図１８および図１９は、この場合に、ゲートウェイ装置ＧＷがネットワークファクシミリ装置ＦＸより接続要求されて、拡張Ｄ−ＳＭＴＰ方式通信機能の通信動作を行うときの処理の一例を示している。
【０２４５】
まず、ゲートウェイ装置ＧＷは、インターネットＩＮＥＴよりＳＭＴＰポートオープンが要求されることを監視しており（判断４０１のＮＯループ）、いずれかの端末よりＳＭＴＰポートオープンが要求され判断４０１の結果がＹＥＳになると、信号「２２０」を要求元へ応答する（処理４０２）。
【０２４６】
次いで、要求元からコマンド「ＥＨＬＯ」を受信するかどうかを調べる（判断４０３）。要求元からコマンド「ＨＥＬＯ」を受信した場合で、判断４０３の結果がＮＯになるときには、ＳＭＴＰ処理へ移行し、電子メールの転送動作を行う。
【０２４７】
また、判断４０３の結果がＹＥＳになるときには、信号「２５０　ＣＯＮＮＥＧ」および信号「２５０−ＦＡＸＧＷ」を、要求元へ応答する（処理４０４）。そして、要求元よりコマンド「ＭＡＩＬ　ＦＲＯＭ」を受信する（処理４０５）と、そのコマンド「ＭＡＩＬ　ＦＲＯＭ」のパラメータのメールアドレスを調べて、アクセス拒否すべきかどうかを判断する（判断４０６）。判断４０６の結果がＹＥＳになるときには、要求元へエラー応答を送信し（処理４０７）、このときの動作を終了する。なお、エラー応答を送信する場合には、エラー原因も通知するようにすると良い。
【０２４８】
また、判断４０６の結果がＮＯになるときには、信号「２５０」を要求元へ応答し（処理４０８）、受信したコマンド「ＭＡＩＬ　ＦＲＯＭ」のパラメータに「能力情報」が含まれていたかどうかを調べる（判断４０９）。
【０２４９】
判断４０９の結果がＹＥＳになるときには、受信した「能力情報」をデコードして元のバイナリデータの能力情報を得て（処理４１０）、その能力情報を保存する（処理４１１）。また、判断４０９の結果がＮＯになるときには、処理４１０，４１１を実行しない。
【０２５０】
次に、要求元よりコマンド「ＲＣＰＴ　ＴＯ」を受信する（処理４１２）。そして、受信したコマンド「ＲＣＰＴ　ＴＯ」のパラメータで示されたアナログ公衆網ＰＳＴＮの宛先へ、網制御装置３２により発呼し（処理４１３）、宛先がビジーであるかどうかを調べる（判断４１４）。判断４１４の結果がＹＥＳになるときには、処理４０７へ移行し、要求元へエラー応答（エラー原因は「宛先ビジー」）を送信し、このときの動作を終了する。
【０２５１】
一方、判断４１４の結果がＹＥＳになるときには、宛先より信号ＣＥＤおよび信号ＣＳＩ／ＤＩＳを受信し（処理４１５）、信号ＤＩＳで通知された受信能力と、保存している能力情報に基づいて、使用する通信機能を設定し（処理４１６）、宛先へ信号ＴＳＩ／ＤＣＳを送信する（処理４１７）。
【０２５２】
次いで、そのときに設定したモデム速度でモデムトレーニングするために信号ＴＣＦを宛先へ送信し（処理２１８）、宛先より応答信号を受信する（処理４１９）。
【０２５３】
そして、その受信した応答信号が信号ＣＦＲであるかどうかを調べ（判断４２０）、判断４２０の結果がＮＯになるときには、保存している「能力情報」から次のモデム速度を設定し（処理４２１）、処理４１７へ戻り、再度、信号ＴＳＩ／ＤＣＳを作成して送信する。
【０２５４】
また、判断４２０の結果がＹＥＳになるときには、信号「２５０　能力情報」を要求元へ応答する（処理４２２）。このとき、「能力情報」としては、直前に信号ＤＣＳで指定した伝送機能の値が配置される。
【０２５５】
そして、それ以降、データ「．（ピリオド）」を受信するまで、要求元から受信する送信データＤＡＴＡを、ＭＩＭＥ逆変換して元の画情報を作成し、その画情報ＰＩＸを宛先へ送信する（処理４２３、判断４２４のＮＯループ）。
【０２５６】
１ページ分の画情報の転送を終了すると（判断４２４の結果がＹＥＳ）、信号「３５４」を要求元へ応答する（処理４２５）。
【０２５７】
そして、コマンド「ＱＵＩＴ」を受信したかどうかを調べる（判断４２６）。判断４２６の結果がＮＯになるときには、コマンド「ＲＳＥＴ」を受信したかどうかを調べる（判断４２７）。
【０２５８】
判断２２１の結果がＹＥＳになるときには、信号ＥＯＭを宛先へ送信し（処理４２８）、所定の再ネゴシエーション処理を行い（処理４２９）、処理４２３へ戻り、再設定した画像モードで次のページの画情報の転送動作を行う。
【０２５９】
また、判断４２７の結果がＮＯになるときには、信号ＭＰＳを宛先へ送信し（処理４３０）、処理４２３へ戻り、次のページの画情報の転送動作を行う。
【０２６０】
また、判断４２０の結果がＹＥＳになるときには、信号ＥＯＰを宛先へ送信し（処理４３１）、宛先より応答信号を受信し（処理４３２）、要求元へ信号「２２１」を応答して要求元との接続を終了し（処理４３３）、信号ＤＣＮを宛先へ送信し（処理４３４）、宛先との回線を復旧して（処理４３５）、一連の動作を終了し、判断４０１へ戻る。
【０２６１】
このようにして、本実施例では、Ｄ−ＳＭＴＰ方式通信機能を拡張した拡張Ｄ−ＳＭＴＰ方式通信機能を利用することで、インターネットＩＮＥＴに接続されているネットワークファクシミリ装置ＦＸから、アナログ公衆網ＰＳＴＮに接続されているグループ３ファクシミリ装置ＧＸへ、画情報を送信することができるので、非常に便利である。
【０２６２】
また、ネットワークファクシミリ装置ＦＸの代わりに、ゲートウェイ装置ＧＷがグループ３ファクシミリ装置ＧＸとの間で使用する伝送機能を決定しており、ゲートウェイ装置ＧＷが拡張Ｄ−ＳＭＴＰ方式通信機能について代理サーバー的な動作を行うので、インターネットＩＮＥＴ（ＩＰ網）側のトラフィックの増加を抑制することができる。
【０２６３】
図２０は、非ＥＣＭ（エラー訂正モード）モードの時の再送動作について示している。なお、この場合、再送動作はページ単位に行われ、また、送信ページ数は１ページである。
【０２６４】
まず、図５または図１２に示した接続手順およびネゴシエーションが行われ、使用する通信機能が設定される。
【０２６５】
次いで、ネットワークファクシミリ装置ＦＸは、送信画情報をＭＩＭＥ変換して得た送信データＤＡＴＡをゲートウェイ装置ＧＷへ順次送信し、ゲートウェイ装置ＧＷは、受信した送信データＤＡＴＡをＭＩＭＥ逆変換して元の画情報を作成し、その画情報ＰＩＸをグループ３ファクシミリ装置ＧＸへ送信する。
【０２６６】
１ページ分の画情報の送信を終了すると、ネットワークファクシミリ装置ＦＸは、データ転送の終了をあらわすデータ「．（ピリオド）」をゲートウェイ装置ＧＷへ送信する。
【０２６７】
これにより、ゲートウェイ装置ＧＷは、信号「３５４」を応答する。ネットワークファクシミリ装置ＦＸは、この場合は、送信ページが１ページであったので、画情報の転送の終了をあらわすコマンド「ＱＵＩＴ」をゲートウェイ装置ＧＷへ送信する。
【０２６８】
それにより、ゲートウェイ装置ＧＷは、メッセージ後信号として、信号ＥＯＰをグループ３ファクシミリ装置ＧＸへ送信する。グループ３ファクシミリ装置ＧＸは、メッセージ後信号を受信すると、受信エラーが生じている場合には、信号ＲＴＮをゲートウェイ装置ＧＷへ送信する。
【０２６９】
それにより、ゲートウェイ装置ＧＷは、信号「４５０　ＲＴＮ」をネットワークファクシミリ装置ＦＸへ応答する。
【０２７０】
これにより、ネットワークファクシミリ装置ＦＸは、直前ページに受信エラーが生じた旨を認識する。そして、相手端末装置の受信能力と、自端末の送信時に設定されている通信機能に基づいて、使用する伝送機能を新たに設定し（通常は、モデム速度を一段階低下させる）、それを通知するために、コマンド「ＲＣＰＴ　ＴＯ：＜ｆａｘ＝１２３４＠ｄｏｍａｉｎ＞　能力情報」をゲートウェイ装置ＧＷへ送信する。
【０２７１】
ゲートウェイ装置ＧＷは、ネットワークファクシミリ装置ＦＸよりコマンド「ＲＣＰＴ　ＴＯ：＜ｆａｘ＝１２３４＠ｄｏｍａｉｎ＞　能力情報」を受信すると、パラメータ「能力情報」を解釈して、対応する信号ＴＳＩ／ＤＣＳを作成し、グループ３ファクシミリ装置ＧＸへ送信する。
【０２７２】
次いで、ゲートウェイ装置ＧＷは、そのときのパラメータ「能力情報」で指定したモデム速度でモデムトレーニングするために信号ＴＣＦをグループ３ファクシミリ装置ＧＸへ送信する。
【０２７３】
ここで、グループ３ファクシミリ装置ＧＸは、トレーニングに失敗した場合、信号ＦＴＴをゲートウェイ装置ＧＷへ送信する。
【０２７４】
それにより、ゲートウェイ装置ＧＷは、コマンド「ＲＣＰＴ　ＴＯ：＜ｆａｘ＝１２３４＠ｄｏｍａｉｎ＞　能力情報」の応答として、応答信号「４５０　ＦＴＴ」をネットワークファクシミリ装置ＦＸへ応答する。
【０２７５】
これにより、ネットワークファクシミリ装置ＦＸは、最初に設定したモデム速度を低下する等、新たに使用する伝送機能を設定し、それを通知するために、コマンド「ＲＣＰＴ　ＴＯ：＜ｆａｘ＝１２３４＠ｄｏｍａｉｎ＞　能力情報」をゲートウェイ装置ＧＷへ送信する。
【０２７６】
ゲートウェイ装置ＧＷは、ネットワークファクシミリ装置ＦＸよりコマンド「ＲＣＰＴ　ＴＯ：＜ｆａｘ＝１２３４＠ｄｏｍａｉｎ＞　能力情報」を受信すると、パラメータ「能力情報」を解釈して、対応する信号ＴＳＩ／ＤＣＳを作成し、グループ３ファクシミリ装置ＧＸへ送信する。
【０２７７】
次いで、ゲートウェイ装置ＧＷは、そのときのパラメータ「能力情報」で指定したモデム速度でモデムトレーニングするために信号ＴＣＦをグループ３ファクシミリ装置ＧＸへ送信する。
【０２７８】
ここで、グループ３ファクシミリ装置ＧＸは、トレーニングに成功した場合、信号ＣＦＲをゲートウェイ装置ＧＷへ送信する。
【０２７９】
それにより、ゲートウェイ装置ＧＷは、信号「２５０　ＣＦＲ」をネットワークファクシミリ装置ＦＸへ応答する。
【０２８０】
このようにして、使用する通信機能が再設定されると、ネットワークファクシミリ装置ＦＸは、受信エラーが生じた送信画情報をＭＩＭＥ変換して得た送信データＤＡＴＡをゲートウェイ装置ＧＷへ順次送信（再送）し、ゲートウェイ装置ＧＷは、受信した送信データＤＡＴＡをＭＩＭＥ逆変換して元の画情報を作成し、その画情報ＰＩＸをグループ３ファクシミリ装置ＧＸへ送信（再送）する。
【０２８１】
１ページ分の画情報の送信を終了すると、ネットワークファクシミリ装置ＦＸは、データ転送の終了をあらわすデータ「．（ピリオド）」をゲートウェイ装置ＧＷへ送信する。
【０２８２】
これにより、ゲートウェイ装置ＧＷは、信号「３５４」を応答する。ネットワークファクシミリ装置ＦＸは、この場合は、送信ページが１ページであったので、画情報の転送の終了をあらわすコマンド「ＱＵＩＴ」をゲートウェイ装置ＧＷへ送信する。
【０２８３】
それにより、ゲートウェイ装置ＧＷは、メッセージ後信号として、信号ＥＯＰをグループ３ファクシミリ装置ＧＸへ送信する。グループ３ファクシミリ装置ＧＸは、メッセージ後信号を受信すると、そのときの受信結果が良好な場合には、信号ＭＣＦをゲートウェイ装置ＧＷへ送信する。
【０２８４】
それにより、ゲートウェイ装置ＧＷは、ネットワークファクシミリ装置ＦＸに対しては、信号「２２１」を応答してネットワークファクシミリ装置ＦＸとの通信を終了し、また、グループ３ファクシミリ装置ＧＸには信号ＤＣＮを送信して、グループ３ファクシミリ装置ＧＸとの間の回線を復旧し、一連の拡張Ｄ−ＳＭＴＰ方式通信の動作を終了する。
【０２８５】
このようにして、非ＥＣＭモードの場合、１ページ単位の再送動作が可能であり、より信頼性の高いファクシミリ通信を行うことができる。
【０２８６】
図２１は、グループ３ファクシミリ伝送手順におけるＥＣＭモードが用いられる場合の通信動作および再送動作について示しているこの場合、再送動作はＥＣＭフレーム単位に行われ、また、送信ページ数は１ページ（１ブロック）である。なお、ＥＣＭモードでは、画情報は、所定ビット数のフレームに分割されて送信され、受信側でフレーム単位にエラー検出を行って、エラーを検出したフレームについて送信側へ再送要求し、送信側では、再送要求されたフレームを再送し、その結果、最終的に受信側でエラーのない画情報を完成できる。ＥＣＭモードの詳細については、ＴＴＣ標準ＪＴ−Ｔ３０を参照。
【０２８７】
まず、図５または図１２に示した接続手順およびネゴシエーションが行われ、使用する通信機能が設定される。なお、このネゴシエーションにおいて、ＥＣＭモードの通信を行う旨が設定される。
【０２８８】
次いで、ネットワークファクシミリ装置ＦＸは、ＥＣＭフレーム化された送信画情報をＭＩＭＥ変換して得た送信データＤＡＴＡをゲートウェイ装置ＧＷへ順次送信し、ゲートウェイ装置ＧＷは、受信した送信データＤＡＴＡをＭＩＭＥ逆変換して元のＥＣＭモードの画情報を作成し、その画情報ＰＩＸをグループ３ファクシミリ装置ＧＸへ送信する。
【０２８９】
１ページ分の画情報の送信を終了すると、ネットワークファクシミリ装置ＦＸは、データ転送の終了をあらわすデータ「．（ピリオド）」をゲートウェイ装置ＧＷへ送信する。
【０２９０】
これにより、ゲートウェイ装置ＧＷは、信号「３５４」を応答する。ネットワークファクシミリ装置ＦＸは、この場合は、送信ページが１ページであったので、画情報の転送の終了をあらわすコマンド「ＱＵＩＴ」をゲートウェイ装置ＧＷへ送信する。
【０２９１】
それにより、ゲートウェイ装置ＧＷは、メッセージ後信号として、信号ＰＰＳ．ＥＯＰをグループ３ファクシミリ装置ＧＸへ送信する。グループ３ファクシミリ装置ＧＸは、メッセージ後信号を受信すると、１つ以上の受信フレームに受信エラーが生じている場合には、エラーフレームを通知するための信号ＰＰＲをゲートウェイ装置ＧＷへ送信する。
【０２９２】
それにより、ゲートウェイ装置ＧＷは、コマンド「ＲＣＰＴ　ＴＯ：＜ｆａｘ＝１２３４＠ｄｏｍａｉｎ＞　能力情報」の応答として、応答信号「４５０　ＰＰＲ」をネットワークファクシミリ装置ＦＸへ応答する。
【０２９３】
これにより、ネットワークファクシミリ装置ＦＸは、信号ＰＰＲで指定されたエラーフレームのデータをまとめ、ＭＩＭＥ変換して得た再送データＤＡＴＡをゲートウェイ装置ＧＷへ順次送信し、ゲートウェイ装置ＧＷは、受信した再送データＤＡＴＡをＭＩＭＥ逆変換して元のエラーフレームの再送画情報を作成し、その再送画情報ＰＩＸをグループ３ファクシミリ装置ＧＸへ送信する。
【０２９４】
再送画情報の送信を終了すると、ネットワークファクシミリ装置ＦＸは、データ転送の終了をあらわすデータ「．（ピリオド）」をゲートウェイ装置ＧＷへ送信する。
【０２９５】
これにより、ゲートウェイ装置ＧＷは、信号「３５４」を応答する。ネットワークファクシミリ装置ＦＸは、この場合は、送信ページが１ページであったので、画情報の転送の終了をあらわすコマンド「ＱＵＩＴ」をゲートウェイ装置ＧＷへ送信する。
【０２９６】
それにより、ゲートウェイ装置ＧＷは、メッセージ後信号として、信号ＰＰＳ．ＥＯＰをグループ３ファクシミリ装置ＧＸへ送信する。グループ３ファクシミリ装置ＧＸは、メッセージ後信号を受信すると、そのときの再送画情報の受信時にエラーフレームがなかった場合には、信号ＲＮＲをゲートウェイ装置ＧＷへ応答する。
【０２９７】
それにより、ゲートウェイ装置ＧＷは、ファクシミリ装置ＦＸへ信号ＲＲを送出し、ファクシミリ装置ＦＸは、信号ＭＣＦをゲートウェイ装置ＧＷへ応答する。
【０２９８】
次いで、ゲートウェイ装置ＧＷは、ネットワークファクシミリ装置ＦＸに対しては、信号「２２１」を応答してネットワークファクシミリ装置ＦＸとの通信を終了し、また、グループ３ファクシミリ装置ＧＸには信号ＤＣＮを送信して、グループ３ファクシミリ装置ＧＸとの間の回線を復旧し、一連の拡張Ｄ−ＳＭＴＰ方式通信の動作を終了する。
【０２９９】
このようにして、ネットワークファクシミリ装置ＦＸからグループ３ファクシミリ装置ＧＸに対して、ＥＣＭモードの通信動作および再送動作が可能であり、より信頼性の高いファクシミリ通信を行うことができる。
【０３００】
図２２は、ネットワークファクシミリ装置ＦＸが、ゲートウェイ装置ＧＷを用いて、グループ３ファクシミリ装置ＧＸに対し、ポーリング送信要求を行って、グループ３ファクシミリ装置ＧＸから画情報を受信するときの動作の一例を示している。この場合は、受信（送信）ページ数が１ページの場合である。
【０３０１】
まず、ネットワークファクシミリ装置ＦＸは、ゲートウェイ装置ＧＷを指定してＳＭＴＰポートオープンを要求する。これに対し、ゲートウェイ装置ＧＷは、信号「２２０」をネットワークファクシミリ装置ＦＸへ応答する。
【０３０２】
次に、ネットワークファクシミリ装置ＦＸは、ＥＳＭＴＰの開始コマンドであるコマンドＥＨＬＯをゲートウェイ装置ＧＷへ送信する。ここで、このコマンドＥＨＬＯは、拡張Ｄ−ＳＭＴＰ方式通信機能の開始を指令するコマンドを兼用している。
【０３０３】
コマンドＥＨＬＯを受信したゲートウェイ装置ＧＷは、拡張Ｄ−ＳＭＴＰ方式通信機能を備えている旨を通知する信号「２５０−ＦＡＸＧＷ」と、Ｄ−ＳＭＴＰ方式通信機能を備えている旨を通知する信号「２５０　ＣＯＮＮＥＧ」を、ネットワークファクシミリ装置ＦＸへ順次応答する。
【０３０４】
これにより、ネットワークファクシミリ装置ＦＸは、コマンド「ＭＡＩＬ　ＦＲＯＭ：＜自機メールアドレス＞」をゲートウェイ装置ＧＷへ送信し、送信元のメールアドレスを通知する。
【０３０５】
ゲートウェイ装置ＧＷは、そのときの電子メールの受付を許可できる場合には、信号「２５０」をネットワークファクシミリ装置ＦＸへ応答する。
【０３０６】
次に、ネットワークファクシミリ装置ＦＸは、電子メールの宛先を通知するコマンド「ＲＣＰＴ　ＴＯ：＜ｆａｘ＝１２３４＠ｄｏｍａｉｎ＞」をゲートウェイ装置ＧＷへ送信する。
【０３０７】
これにより、ゲートウェイ装置ＧＷは、コマンド「ＲＣＰＴ　ＴＯ：＜ｆａｘ＝１２３４＠ｄｏｍａｉｎ＞」で指定された宛先のグループ３ファクシミリ装置ＧＸへ、アナログ公衆網ＰＳＴＮを用いて発呼する。
【０３０８】
それにより、グループ３ファクシミリ装置ＧＸは、着信応答し、所定のグループ３ファクシミリ伝送手順を開始する。したがって、グループ３ファクシミリ装置ＧＸは、信号ＣＥＤをゲートウェイ装置ＧＷへ応答し、次に、信号ＣＳＩ（自端末の識別情報）／ＤＩＳ（自端末の能力情報）をゲートウェイ装置ＧＷへ応答する。
【０３０９】
ゲートウェイ装置ＧＷは、信号ＣＳＩ／ＤＩＳを受信すると、信号ＤＩＳに含まれる受信能力パラメータ（バイナリデータ）を認識し、コマンド「ＲＣＰＴ　ＴＯ：＜ｆａｘ＝１２３４＠ｄｏｍａｉｎ＞」に対応して、ネットワークファクシミリ装置ＦＸへ応答する応答信号「２５０」に、パラメータとして、認識した受信能力パラメータを通知するための「能力情報」を付加する。また、このときの「能力情報」は、受信パラメータをＭＩＭＥ変換して得た値である。
【０３１０】
これにより、ネットワークファクシミリ装置ＦＸは、ポーリング送信要求を行うために、コマンド「ＴＵＲＮ」をゲートウェイ装置ＧＷへ送信する。また、ゲートウェイ装置ＧＷは、コマンド「ＴＵＲＮ」を受信すると、グループ３ファクシミリ装置ＧＸに、ポーリング送信要求を指示するための信号ＤＴＣを送信する。
【０３１１】
それにより、グループ３ファクシミリ装置ＧＸは、ポーリング送信待機中の画情報について、信号ＴＳＩ／ＤＣＳをゲートウェイ装置ＧＷへ送信し、信号ＤＣＳで設定したモデム速度でモデムトレーニングを行うために、信号ＴＣＦをゲートウェイ装置ＧＷへ送信する。
【０３１２】
これにより、ゲートウェイ装置ＧＷは、コマンド「ＭＡＩＬ　ＦＲＯＭ：＜自機メールアドレス＞」をネットワークファクシミリ装置ＦＸへ送信する。また、それによって、ネットワークファクシミリ装置ＦＸは、ポーリング送信要求が受け付けられたことを知り、ポーリング受信状態に移行するとともに、信号「２５０」をゲートウェイ装置ＧＷへ応答する。
【０３１３】
次いで、ゲートウェイ装置ＧＷは、電子メールの宛先（この場合は、ネットワークファクシミリ装置ＦＸ）を指定するためのコマンド「ＲＣＰＴ　ＴＯ：＜相手メールアドレス（ネットワークファクシミリ装置ＦＸのメールアドレス）＞」をネットワークファクシミリ装置ＦＸへ送信し、これにより、ネットワークファクシミリ装置ＦＸは、信号「２５０」を応答する。
【０３１４】
そして、ゲートウェイ装置ＧＷは、信号ＣＦＲをグループ３ファクシミリ装置ＧＸへ応答して、画情報の受信準備が完了した旨を通知し、それにより、グループ３ファクシミリ装置ＧＸは、ポーリング送信待機していた画情報ＰＩＸを、順次ゲートウェイ装置ＧＷへ送信し、画情報ＰＩＸの送信を終了すると、メッセージ後信号として、信号ＥＯＰをゲートウェイ装置ＧＷへ送信する。
【０３１５】
ゲートウェイ装置ＧＷは、グループ３ファクシミリ装置ＧＸより画情報ＰＩＸを受信すると、その画情報ＰＩＸをＭＩＭＥ変換し、画情報データＤＡＴＡとして、ネットワークファクシミリ装置ＦＸへ順次送信する。また、メッセージ後信号の信号ＥＯＰをグループ３ファクシミリ装置ＧＸより受信すると、１ページ分の画情報の終了を通知するためにデータ「．（ピリオド）」をネットワークファクシミリ装置ＦＸへ送信する。
【０３１６】
これにより、ネットワークファクシミリ装置ＦＸは、信号「３５４」をゲートウェイ装置ＧＷへ応答し、それによって、ゲートウェイ装置ＧＷは、信号ＭＣＦをグループ３ファクシミリ装置ＧＸへ送信する。
【０３１７】
このようにして、ポーリング送信待機中の画情報の送信を終了すると、グループ３ファクシミリ装置ＧＸは、信号ＤＣＮをゲートウェイ装置ＧＷへ送信して、ゲートウェイ装置ＧＷとの間の回線を復旧する。
【０３１８】
また、ゲートウェイ装置ＧＷは、信号ＤＣＮを受信すると、コマンド「ＱＵＩＴ」をネットワークファクシミリ装置ＦＸへ送信し、それにより、ネットワークファクシミリ装置ＦＸへ送信は、信号「２２１」を応答し、これによって、ネットワークファクシミリ装置ＦＸとゲートウェイ装置ＧＷとの間の通信が終了する。
【０３１９】
このようにして、本実施例では、ネゴシエーションの期間に、コマンド「ＴＵＲＮ」をネットワークファクシミリ装置ＦＸからゲートウェイ装置ＧＷへ送信することで、ネットワークファクシミリ装置ＦＸは、グループ３ファクシミリ装置ＧＸに対してポーリング送信要求を行うことができる。
【０３２０】
図２３は、グループ３ファクシミリ装置ＧＸが、ゲートウェイ装置ＧＷを用いて、ネットワークファクシミリ装置ＦＸへ画情報を送信するときの動作の一例を示している。この場合は、送信ページ数が１ページの場合である。
【０３２１】
ここで、ネットワークファクシミリ装置ＦＸとゲートウェイ装置ＧＷとの情報のやりとりは、Ｄ−ＳＭＴＰ方式通信機能に準じた信号形式を用いており、基本的には、可読情報（７ビットのキャラクタコード）以外を取り扱うことができない。したがって、画情報や、他のパラメータ（後述）等、可読情報以外のデータ（２バイトキャラクタデータやバイナリデータなど）をやりとりする際には、それらのデータを所定の変換方法（例えば、Ｂａｓｅ６４符号化方法）を適用して可読情報に変換した状態でやりとりされる。すなわち、画情報やパラメータ等は、ＭＩＭＥ（Ｍｕｌｔｉ　Ｐｕｒｐｏｓｅ　Ｍａｉｌ　Ｅｘｔｅｎｓｉｏｎ）変換された状態で、やりとりされる。
【０３２２】
まず、グループ３ファクシミリ装置ＧＸは、ゲートウェイ装置ＧＷへ発呼し、ゲートウェイ装置ＧＷが着信応答すると、信号ＲＩＮＧを送出した後に、プッシュボタン信号を用いて、宛先情報を送信する。例えば、番号「０００１」の宛先情報を送信する場合、プッシュボタン信号の番号「０」、番号「０」、番号「０」、番号「１」を連続的にゲートウェイ装置ＧＷへ送信する。
【０３２３】
一方、ゲートウェイ装置ＧＷは、アナログ公衆網ＰＳＴＮより発呼されると、着信応答し、信号ＲＩＮＧを受信するかどうかを待つ。そして、信号ＲＩＮＧを受信すると、グループ３ファクシミリ装置ＧＸよりプッシュボタン信号を受信し、その受信したプッシュボタン信号により運ばれた番号を認識する。なお、プッシュボタン信号の受信機能は、網制御装置３２に装備されている。
【０３２４】
そして、アドレス変換テーブルを参照して、その認識にした番号に対応した電子メールアドレスを取得する。このとき、受信した番号が、アドレス変換テーブルに登録されていない場合には、このときの通信動作を行うことができないので、その時点でグループ３ファクシミリ装置ＧＸとの回線を切断復旧する。
【０３２５】
また、電子メールアドレスを適切に取得できた場合には、ゲートウェイ装置ＧＷは、ネットワークファクシミリ装置ＦＸを指定してＳＭＴＰポートオープンを要求する。これに対し、ネットワークファクシミリ装置ＦＸは、信号「２２０」をゲートウェイ装置ＧＷへ応答する。
【０３２６】
次に、ゲートウェイ装置ＧＷは、ＥＳＭＴＰの開始コマンドであるコマンドＥＨＬＯをネットワークファクシミリ装置ＦＸへ送信する。ここで、このコマンドＥＨＬＯは、拡張Ｄ−ＳＭＴＰ方式通信機能の開始を指令するコマンドを兼用している。
【０３２７】
コマンドＥＨＬＯを受信したネットワークファクシミリ装置ＦＸは、Ｄ−ＳＭＴＰ方式通信機能を備えている旨を通知する信号「２５０　ＣＯＮＮＥＧ」を、ゲートウェイ装置ＧＷへ応答する。また、それにより、ゲートウェイ装置ＧＷは、信号ＣＥＤをグループ３ファクシミリ装置ＧＸへ送出する。
【０３２８】
これにより、ゲートウェイ装置ＧＷは、コマンド「ＭＡＩＬ　ＦＲＯＭ：＜自機メールアドレス＞」をゲートウェイ装置ＧＷへ送信し、送信元のメールアドレスを通知する。ここで、ネットワークファクシミリ装置ＦＸは、受信したコマンド「ＭＡＩＬ　ＦＲＯＭ」のパラメータである「＜自機メールアドレス＞」を用いて、接続許可を判定することができる。
【０３２９】
そして、ネットワークファクシミリ装置ＦＸは、そのときの電子メールの受付を許可できる場合には、信号「２５０」をゲートウェイ装置ＧＷへ応答する。
【０３３０】
次に、ゲートウェイ装置ＧＷは、電子メールの宛先（この場合は、ネットワークファクシミリ装置ＦＸ）を指定するためのコマンド「ＲＣＰＴ　ＴＯ：＜相手メールアドレス（ネットワークファクシミリ装置ＦＸのメールアドレス）＞」をネットワークファクシミリ装置ＦＸへ送信する。
【０３３１】
これにより、ネットワークファクシミリ装置ＦＸは、信号「２５０　能力情報」をゲートウェイ装置ＧＷに送信する。ここで、信号「２５０」に付加される「能力情報」の値は、ネットワークファクシミリ装置ＦＸが備えている受信能力を通知するためのものである。ｌ
【０３３２】
それにより、ゲートウェイ装置ＧＷは、信号ＣＳＩ（着側端末識別情報）／ＤＩＳ（ネットワークファクシミリ装置ＦＸの受信能力）をグループ３ファクシミリ装置ＧＸに送信する。ここで、信号ＣＳＩのパラメータは、例えば、ネットワークファクシミリ装置ＦＸの識別情報（電子メールアドレス等）を用いることができる。
【０３３３】
それにより、グループ３ファクシミリ装置ＧＸは、受信した信号ＤＩＳのパラメータと、送信する画情報の画像モードおよび利用可能なモデム速度に基づいて、そのときに使用する通信機能を設定し、信号ＴＳＩ（送信端末識別情報）／ＤＣＳ（能力通知）をゲートウェイ装置ＧＷへ送信し、信号ＤＣＳで設定したモデム速度でモデムトレーニングを行うために、信号ＴＣＦをゲートウェイ装置ＧＷへ送信する。
【０３３４】
これにより、ゲートウェイ装置ＧＷは、そのときの受信結果が良好な場合には、信号ＣＦＲをグループ３ファクシミリ装置ＧＸへ応答して、画情報の受信準備が完了した旨を通知し、それにより、グループ３ファクシミリ装置ＧＸは、１ページ分の画情報ＰＩＸを順次ゲートウェイ装置ＧＷへ送信し、画情報ＰＩＸの送信を終了すると、メッセージ後信号として、信号ＥＯＰをゲートウェイ装置ＧＷへ送信する。
【０３３５】
ゲートウェイ装置ＧＷは、グループ３ファクシミリ装置ＧＸより画情報ＰＩＸを受信すると、その画情報ＰＩＸをＭＩＭＥ変換し、画情報データＤＡＴＡとして、ネットワークファクシミリ装置ＦＸへ順次送信する。また、メッセージ後信号の信号ＥＯＰをグループ３ファクシミリ装置ＧＸより受信すると、１ページ分の画情報の終了を通知するためにデータ「．（ピリオド）」をネットワークファクシミリ装置ＦＸへ送信する。
【０３３６】
これにより、ネットワークファクシミリ装置ＦＸは、信号「３５４」をゲートウェイ装置ＧＷへ応答し、それによって、ゲートウェイ装置ＧＷは、信号ＭＣＦをグループ３ファクシミリ装置ＧＸへ送信する。
【０３３７】
このようにして、ポーリング送信待機中の画情報の送信を終了すると、グループ３ファクシミリ装置ＧＸは、信号ＤＣＮをゲートウェイ装置ＧＷへ送信して、ゲートウェイ装置ＧＷとの間の回線を復旧する。
【０３３８】
また、ゲートウェイ装置ＧＷは、信号ＤＣＮを受信すると、コマンド「ＱＵＩＴ」をネットワークファクシミリ装置ＦＸへ送信し、それにより、ネットワークファクシミリ装置ＦＸへ送信は、信号「２２１」を応答し、これによって、ネットワークファクシミリ装置ＦＸとゲートウェイ装置ＧＷとの間の通信が終了する。
【０３３９】
このようにして、本実施例では、グループ３ファクシミリ装置ＧＸからネットワークファクシミリ装置ＦＸに対して、画情報の送信が可能となる。また、プッシュボタン信号を用いて宛先のネットワークファクシミリ装置ＦＸを指定するようにしているので、宛先指定のための特別の装置を必要としない。
【０３４０】
図２４および図２５は、アナログ公衆網ＰＳＴＮより発呼された場合のゲートウェイ装置ＧＷの動作の一例を示している。
【０３４１】
まず、ゲートウェイ装置ＧＷは、網制御装置３２がアナログ公衆網ＰＳＴＮから着信検出するかどうかを監視しており（判断５０１のＮＯループ）、着信検出して判断５０１の結果がＹＥＳになると、着信応答し（処理５０２）、信号ＲＩＮＧを受信し（処理５０３）、プッシュボタン信号により宛先番号を受信する（処理５０４）。
【０３４２】
次に、処理５０４で受信した宛先番号に対応した電子メールアドレスを、アドレス変換テーブルを参照して取得する（処理５０５）。このとき、受信した宛先番号が、アドレス変換テーブルに登録されているかどうかを調べ（判断５０６）、判断５０６の結果がＮＯになるときには、その時点でグループ３ファクシミリ装置ＧＸとの回線を切断復旧し（処理５０７）、エラー終了する。
【０３４３】
また、電子メールアドレスを適切に取得できた場合で判断５０６の結果がＹＥＳになるときには、ゲートウェイ装置ＧＷは、宛先の接続先（ネットワークファクシミリ装置ＦＸ）を指定してＳＭＴＰポートオープンを要求する（処理５０８）。
【０３４４】
そして、接続先から肯定応答である信号「２２０」を受信するかどうかを調べ（判断５０９）、判断５０９の結果がＮＯになるときには、処理５０７へ移行し、その時点でグループ３ファクシミリ装置ＧＸとの回線を切断復旧して、エラー終了する。
【０３４５】
一方、判断５０９の結果がＹＥＳになるときには、ゲートウェイ装置ＧＷは、ＥＳＭＴＰの開始コマンドであるコマンドＥＨＬＯを接続先へ送信し（処理５１０）、接続先から、信号「２５０」を受信するかどうかを調べる（判断５１１）。ここで、判断５１１の結果がＮＯになるときには、接続先がＥＳＭＴＰ通信機能を備えていないので、同じ接続先へＳＭＴＰのコマンド「ＨＥＬＯ」を送信し（処理５１２）、Ｔ．３７通信処理へ移行し、電子メールを用いた画情報送信動作を行う。
【０３４６】
また、判断５１１の結果がＹＥＳになるときには、接続先より信号「２５０　ＣＯＮＮＥＧ」を受信したかどうかを調べる（判断５１３）。判断５１３の結果がＮＯになるときには、接続先がＤ−ＳＭＴＰ方式通信機能を備えていないので、Ｔ．３７通信処理へ移行し、電子メールを用いた画情報送信動作を行う。
【０３４７】
また、判断５１３の結果がＹＥＳになるときには、ゲートウェイ装置ＧＷは、グループ３ファクシミリ装置ＧＸに対して信号ＣＥＤを送出し（処理５１４）、コマンド「ＭＡＩＬ　ＦＲＯＭ：＜自機メールアドレス＞」を接続先へ送信し（処理５１５）、送信元のメールアドレスを通知する。
【０３４８】
そして、ゲートウェイ装置ＧＷは、信号「２５０」を受信すると（処理５１６）、電子メールの宛先を指定するためのコマンド「ＲＣＰＴ　ＴＯ：＜相手メールアドレス＞」を接続先へ送信する（処理５１７）。
【０３４９】
次に、ゲートウェイ装置ＧＷは、接続先より信号「２５０　能力情報」を受信し（処理５１８）、信号ＣＳＩ（着側端末識別情報）／ＤＩＳ（ネットワークファクシミリ装置ＦＸの受信能力）をグループ３ファクシミリ装置ＧＸに送信する（処理５１９）。
【０３５０】
次いで、グループ３ファクシミリ装置ＧＸより信号ＴＳＩ（送信端末識別情報）／ＤＣＳ（能力通知）を受信すると（処理５２０）、所定のモデムトレーニング手順を行って、使用するモデム速度を決定する（処理５２１）。
【０３５１】
そして、ゲートウェイ装置ＧＷは、グループ３ファクシミリ装置ＧＸより画情報ＰＩＸを受信すると、その画情報ＰＩＸをＭＩＭＥ変換し、画情報データＤＡＴＡとして、接続先へ順次送信する（処理５２２）。この１ページ分の画情報の転送動作は、グループ３ファクシミリ装置ＧＸよりいずれかのメッセージ後信号を受信するまで継続して実行する（判断５２３のＮＯループ）。
【０３５２】
グループ３ファクシミリ装置ＧＸよりメッセージ後信号を受信して、判断５２３の結果がＹＥＳになると、ゲートウェイ装置ＧＷは、１ページ分の画情報の終了を通知するためにデータ「．（ピリオド）」を接続先へ送信し（処理５２４）、グループ３ファクシミリ装置ＧＸへ信号ＭＣＦを送出する（処理５２５）。
【０３５３】
ここで、そのときに受信したメッセージ後信号が、信号ＥＯＰであったかどうかを調べ（判断５２６）、判断５２６の結果がＮＯになるときには、メッセージ後信号が信号ＭＰＳであったかどうかを調べる（判断５２７）。
【０３５４】
判断５２７の結果がＮＯになるときには、メッセージ後信号として信号ＥＯＭを受信した場合である。したがって、この場合には、次ページの画像モードが変更されるので、接続先へコマンド「ＲＳＥＴ」を送信し（処理５２８）、所定の再ネゴシエーション処理を行って、新しい通信機能を設定し（処理５２９）、処理５２２へ戻り、次のページの画情報の転送動作を行う。
【０３５５】
また、判断５２７の結果がＹＥＳになるときには、処理５２２へ戻り、次のページの画情報の転送動作を行う。
【０３５６】
また、判断５２６の結果がＹＥＳになるときには、接続先へコマンド「ＱＵＩＴ」を送信して、接続先との間の通信を終了し（処理５３０）、また、グループ３ファクシミリ装置ＧＸより信号ＤＣＮを受信して、グループ３ファクシミリ装置ＧＸとの間の回線を復旧する（処理５３１）。
【０３５７】
図２６は、グループ３ファクシミリ装置ＧＸが、ゲートウェイ装置ＧＷを用いて、ネットワークファクシミリ装置ＦＸへ画情報を送信するときの動作の他の例を示している。この場合は、送信ページ数が１ページの場合である。
【０３５８】
まず、グループ３ファクシミリ装置ＧＸは、ゲートウェイ装置ＧＷへ発呼し、ゲートウェイ装置ＧＷが着信応答すると、モデム信号を用いて、着番号（宛先情報）を通知した後に、信号ＲＩＮＧを送出する。ここで、モデム信号としては、例えば、グループ３ファクシミリモデムの低速モデム（Ｖ．２１モデム）を利用することができる。
【０３５９】
一方、ゲートウェイ装置ＧＷは、アナログ公衆網ＰＳＴＮより発呼されると、着信応答し、モデム信号を受信するかどうかを待つ。そして、モデム信号を受信すると、そのモデム信号により通知される着番号（宛先情報）を認識して、保存する。なお、モデム信号の受信には、グループ３ファクシミリモデム３１の低速モデム機能を利用することができる。
【０３６０】
そして、アドレス変換テーブルを参照して、その認識にした番号に対応した電子メールアドレスを取得する。このとき、受信した番号が、アドレス変換テーブルに登録されていない場合には、このときの通信動作を行うことができないので、その時点でグループ３ファクシミリ装置ＧＸとの回線を切断復旧する。
【０３６１】
また、電子メールアドレスを適切に取得できた場合には、ゲートウェイ装置ＧＷは、ネットワークファクシミリ装置ＦＸを指定してＳＭＴＰポートオープンを要求する。これに対し、ネットワークファクシミリ装置ＦＸは、信号「２２０」をゲートウェイ装置ＧＷへ応答する。
【０３６２】
次に、ゲートウェイ装置ＧＷは、ＥＳＭＴＰの開始コマンドであるコマンドＥＨＬＯをネットワークファクシミリ装置ＦＸへ送信する。ここで、このコマンドＥＨＬＯは、拡張Ｄ−ＳＭＴＰ方式通信機能の開始を指令するコマンドを兼用している。
【０３６３】
コマンドＥＨＬＯを受信したネットワークファクシミリ装置ＦＸは、Ｄ−ＳＭＴＰ方式通信機能を備えている旨を通知する信号「２５０　ＣＯＮＮＥＧ」を、ゲートウェイ装置ＧＷへ応答する。また、それにより、ゲートウェイ装置ＧＷは、信号ＣＥＤをグループ３ファクシミリ装置ＧＸへ送出する。
【０３６４】
これにより、ゲートウェイ装置ＧＷは、コマンド「ＭＡＩＬ　ＦＲＯＭ：＜自機メールアドレス＞」をゲートウェイ装置ＧＷへ送信し、送信元のメールアドレスを通知する。ここで、ネットワークファクシミリ装置ＦＸは、受信したコマンド「ＭＡＩＬ　ＦＲＯＭ」のパラメータである「＜自機メールアドレス＞」を用いて、接続許可を判定することができる。
【０３６５】
そして、ネットワークファクシミリ装置ＦＸは、そのときの電子メールの受付を許可できる場合には、信号「２５０」をゲートウェイ装置ＧＷへ応答する。
【０３６６】
次に、ゲートウェイ装置ＧＷは、電子メールの宛先（この場合は、ネットワークファクシミリ装置ＦＸ）を指定するためのコマンド「ＲＣＰＴ　ＴＯ：＜相手メールアドレス（ネットワークファクシミリ装置ＦＸのメールアドレス）＞」をネットワークファクシミリ装置ＦＸへ送信する。
【０３６７】
これにより、ネットワークファクシミリ装置ＦＸは、信号「２５０　能力情報」をゲートウェイ装置ＧＷに送信する。ここで、信号「２５０」に付加される「能力情報」の値は、ネットワークファクシミリ装置ＦＸが備えている受信能力を通知するためのものである。
【０３６８】
それにより、ゲートウェイ装置ＧＷは、信号ＣＳＩ（着側端末識別情報）／ＤＩＳ（ネットワークファクシミリ装置ＦＸの受信能力）をグループ３ファクシミリ装置ＧＸに送信する。ここで、信号ＣＳＩのパラメータは、例えば、ネットワークファクシミリ装置ＦＸの識別情報（電子メールアドレス等）を用いることができる。
【０３６９】
それにより、グループ３ファクシミリ装置ＧＸは、受信した信号ＤＩＳのパラメータと、送信する画情報の画像モードおよび利用可能なモデム速度に基づいて、そのときに使用する通信機能を設定し、信号ＴＳＩ（送信端末識別情報）／ＤＣＳ（能力通知）をゲートウェイ装置ＧＷへ送信し、信号ＤＣＳで設定したモデム速度でモデムトレーニングを行うために、信号ＴＣＦをゲートウェイ装置ＧＷへ送信する。
【０３７０】
これにより、ゲートウェイ装置ＧＷは、そのときの受信結果が良好な場合には、信号ＣＦＲをグループ３ファクシミリ装置ＧＸへ応答して、画情報の受信準備が完了した旨を通知し、それにより、グループ３ファクシミリ装置ＧＸは、１ページ分の画情報ＰＩＸを順次ゲートウェイ装置ＧＷへ送信し、画情報ＰＩＸの送信を終了すると、メッセージ後信号として、信号ＥＯＰをゲートウェイ装置ＧＷへ送信する。
【０３７１】
ゲートウェイ装置ＧＷは、グループ３ファクシミリ装置ＧＸより画情報ＰＩＸを受信すると、その画情報ＰＩＸをＭＩＭＥ変換し、画情報データＤＡＴＡとして、ネットワークファクシミリ装置ＦＸへ順次送信する。また、メッセージ後信号の信号ＥＯＰをグループ３ファクシミリ装置ＧＸより受信すると、１ページ分の画情報の終了を通知するためにデータ「．（ピリオド）」をネットワークファクシミリ装置ＦＸへ送信する。
【０３７２】
これにより、ネットワークファクシミリ装置ＦＸは、信号「３５４」をゲートウェイ装置ＧＷへ応答し、それによって、ゲートウェイ装置ＧＷは、信号ＭＣＦをグループ３ファクシミリ装置ＧＸへ送信する。
【０３７３】
このようにして、画情報の送信を終了すると、グループ３ファクシミリ装置ＧＸは、信号ＤＣＮをゲートウェイ装置ＧＷへ送信して、ゲートウェイ装置ＧＷとの間の回線を復旧する。
【０３７４】
また、ゲートウェイ装置ＧＷは、信号ＤＣＮを受信すると、コマンド「ＱＵＩＴ」をネットワークファクシミリ装置ＦＸへ送信し、それにより、ネットワークファクシミリ装置ＦＸは、信号「２２１」を応答し、これによって、ネットワークファクシミリ装置ＦＸとゲートウェイ装置ＧＷとの間の通信が終了する。
【０３７５】
このようにして、本実施例では、グループ３ファクシミリ装置ＧＸからネットワークファクシミリ装置ＦＸに対して、画情報の送信が可能となる。また、モデム信号（例えば、グループ３ファクシミリモデムの低速モデムを用いてやりとりする信号）を用いて宛先のネットワークファクシミリ装置ＦＸを指定するようにしているので、宛先指定のための特別の装置を必要としない。
【０３７６】
図２７および図２８は、この場合に、アナログ公衆網ＰＳＴＮより発呼された場合のゲートウェイ装置ＧＷの動作の一例を示している。
【０３７７】
まず、ゲートウェイ装置ＧＷは、網制御装置３２がアナログ公衆網ＰＳＴＮから着信検出するかどうかを監視しており（判断６０１のＮＯループ）、着信検出して判断６０１の結果がＹＥＳになると、着信応答し（処理６０２）、モデム信号により着番号（宛先情報）を受信し（処理６０３）、信号ＲＩＮＧを受信する（処理６０４）。
【０３７８】
次に、処理６０３で受信した宛先番号に対応した電子メールアドレスを、アドレス変換テーブルを参照して取得する（処理６０５）。このとき、受信した宛先番号が、アドレス変換テーブルに登録されているかどうかを調べ（判断６０６）、判断６０６の結果がＮＯになるときには、その時点でグループ３ファクシミリ装置ＧＸとの回線を切断復旧し（処理６０７）、エラー終了する。
【０３７９】
また、電子メールアドレスを適切に取得できた場合で判断６０６の結果がＹＥＳになるときには、ゲートウェイ装置ＧＷは、宛先の接続先（ネットワークファクシミリ装置ＦＸ）を指定してＳＭＴＰポートオープンを要求する（処理６０８）。
【０３８０】
そして、接続先から肯定応答である信号「２２０」を受信するかどうかを調べ（判断６０９）、判断６０９の結果がＮＯになるときには、処理６０７へ移行し、その時点でグループ３ファクシミリ装置ＧＸとの回線を切断復旧して、エラー終了する。
【０３８１】
一方、判断６０９の結果がＹＥＳになるときには、ゲートウェイ装置ＧＷは、ＥＳＭＴＰの開始コマンドであるコマンドＥＨＬＯを接続先へ送信し（処理６１０）、接続先から、信号「２５０」を受信するかどうかを調べる（判断６１１）。ここで、判断６１１の結果がＮＯになるときには、接続先がＥＳＭＴＰ通信機能を備えていないので、同じ接続先へＳＭＴＰのコマンド「ＨＥＬＯ」を送信し（処理６１２）、Ｔ．３７通信処理へ移行し、電子メールを用いた画情報送信動作を行う。
【０３８２】
また、判断６１１の結果がＹＥＳになるときには、接続先より信号「２５０　ＣＯＮＮＥＧ」を受信したかどうかを調べる（判断６１３）。判断６１３の結果がＮＯになるときには、接続先がＤ−ＳＭＴＰ方式通信機能を備えていないので、Ｔ．３７通信処理へ移行し、電子メールを用いた画情報送信動作を行う。
【０３８３】
また、判断６１３の結果がＹＥＳになるときには、ゲートウェイ装置ＧＷは、グループ３ファクシミリ装置ＧＸに対して信号ＣＥＤを送出し（処理６１４）、コマンド「ＭＡＩＬ　ＦＲＯＭ：＜自機メールアドレス＞」を接続先へ送信し（処理６１５）、送信元のメールアドレスを通知する。
【０３８４】
そして、ゲートウェイ装置ＧＷは、信号「２５０」を受信すると（処理６１６）、電子メールの宛先を指定するためのコマンド「ＲＣＰＴ　ＴＯ：＜相手メールアドレス＞」を接続先へ送信する（処理６１７）。
【０３８５】
次に、ゲートウェイ装置ＧＷは、接続先より信号「２５０　能力情報」を受信し（処理６１８）、信号ＣＳＩ（着側端末識別情報）／ＤＩＳ（ネットワークファクシミリ装置ＦＸの受信能力）をグループ３ファクシミリ装置ＧＸに送信する（処理６１９）。
【０３８６】
次いで、グループ３ファクシミリ装置ＧＸより信号ＴＳＩ（送信端末識別情報）／ＤＣＳ（能力通知）を受信すると（処理６２０）、所定のモデムトレーニング手順を行って、使用するモデム速度を決定する（処理６２１）。
【０３８７】
そして、ゲートウェイ装置ＧＷは、グループ３ファクシミリ装置ＧＸより画情報ＰＩＸを受信すると、その画情報ＰＩＸをＭＩＭＥ変換し、画情報データＤＡＴＡとして、接続先へ順次送信する（処理６２２）。この１ページ分の画情報の転送動作は、グループ３ファクシミリ装置ＧＸよりいずれかのメッセージ後信号を受信するまで継続して実行する（判断６２３のＮＯループ）。
【０３８８】
グループ３ファクシミリ装置ＧＸよりメッセージ後信号を受信して、判断６２３の結果がＹＥＳになると、ゲートウェイ装置ＧＷは、１ページ分の画情報の終了を通知するためにデータ「．（ピリオド）」を接続先へ送信し（処理６２４）、グループ３ファクシミリ装置ＧＸへ信号ＭＣＦを送出する（処理６２５）。
【０３８９】
ここで、そのときに受信したメッセージ後信号が、信号ＥＯＰであったかどうかを調べ（判断６２６）、判断６２６の結果がＮＯになるときには、メッセージ後信号が信号ＭＰＳであったかどうかを調べる（判断６２７）。
【０３９０】
判断６２７の結果がＮＯになるときには、メッセージ後信号として信号ＥＯＭを受信した場合である。したがって、この場合には、次ページの画像モードが変更されるので、接続先へコマンド「ＲＳＥＴ」を送信し（処理６２８）、所定の再ネゴシエーション処理を行って、新しい通信機能を設定し（処理６２９）、処理６２２へ戻り、次のページの画情報の転送動作を行う。
【０３９１】
また、判断６２７の結果がＹＥＳになるときには、処理６２２へ戻り、次のページの画情報の転送動作を行う。
【０３９２】
また、判断６２６の結果がＹＥＳになるときには、接続先へコマンド「ＱＵＩＴ」を送信して、接続先との間の通信を終了し（処理６３０）、また、グループ３ファクシミリ装置ＧＸより信号ＤＣＮを受信して、グループ３ファクシミリ装置ＧＸとの間の回線を復旧する（処理６３１）。
【０３９３】
図２９は、グループ３ファクシミリ装置ＧＸが、ゲートウェイ装置ＧＷを用いて、ネットワークファクシミリ装置ＦＸへ画情報を送信するときの動作のさらに他の例を示している。この場合は、送信ページ数が１ページの場合である。
【０３９４】
まず、グループ３ファクシミリ装置ＧＸは、ゲートウェイ装置ＧＷへ発呼し、ゲートウェイ装置ＧＷが着信応答すると、モデム信号を用いて、着番号（宛先情報）と発番号（自端末のファクシミリ番号）を通知した後に、信号ＲＩＮＧを送出する。ここで、モデム信号としては、例えば、グループ３ファクシミリモデムの低速モデム（Ｖ．２１モデム）を利用することができる。
【０３９５】
一方、ゲートウェイ装置ＧＷは、アナログ公衆網ＰＳＴＮより発呼されると、着信応答し、モデム信号を受信するかどうかを待つ。そして、モデム信号を受信すると、そのモデム信号により通知される着番号と発番号を認識して、保存する。なお、モデム信号の受信には、グループ３ファクシミリモデム３１の低速モデム機能を利用することができる。
【０３９６】
そして、アドレス変換テーブルを参照して、その認識にした着番号に対応した電子メールアドレスを取得する。このとき、受信した着番号が、アドレス変換テーブルに登録されていない場合には、このときの通信動作を行うことができないので、その時点でグループ３ファクシミリ装置ＧＸとの回線を切断復旧する。
【０３９７】
また、電子メールアドレスを適切に取得できた場合には、ゲートウェイ装置ＧＷは、ネットワークファクシミリ装置ＦＸを指定してＳＭＴＰポートオープンを要求する。これに対し、ネットワークファクシミリ装置ＦＸは、信号「２２０」をゲートウェイ装置ＧＷへ応答する。
【０３９８】
次に、ゲートウェイ装置ＧＷは、ＥＳＭＴＰの開始コマンドであるコマンドＥＨＬＯをネットワークファクシミリ装置ＦＸへ送信する。ここで、このコマンドＥＨＬＯは、拡張Ｄ−ＳＭＴＰ方式通信機能の開始を指令するコマンドを兼用している。
【０３９９】
コマンドＥＨＬＯを受信したネットワークファクシミリ装置ＦＸは、Ｄ−ＳＭＴＰ方式通信機能を備えている旨を通知する信号「２５０　ＣＯＮＮＥＧ」を、ゲートウェイ装置ＧＷへ応答する。また、それにより、ゲートウェイ装置ＧＷは、信号ＣＥＤをグループ３ファクシミリ装置ＧＸへ送出する。
【０４００】
これにより、ゲートウェイ装置ＧＷは、コマンド「ＭＡＩＬ　ＦＲＯＭ：＜ｆａｘ＝（発番号）＠ｄｏｍａｉｎ＞」をネットワークファクシミリ装置ＦＸへ送信し、送信元のメールアドレスを通知する。ここで、パラメータ「＜ｆａｘ＝（発番号）＠ｄｏｍａｉｎ＞」は、前述した内容の機能を有するものである。また、ネットワークファクシミリ装置ＦＸは、受信したコマンド「ＭＡＩＬ　ＦＲＯＭ」のパラメータである「＜ｆａｘ＝（発番号）＠ｄｏｍａｉｎ＞」を用いて、接続許可を判定することができる。
【０４０１】
そして、ネットワークファクシミリ装置ＦＸは、そのときの電子メールの受付を許可できる場合には、信号「２５０」をゲートウェイ装置ＧＷへ応答する。
【０４０２】
次に、ゲートウェイ装置ＧＷは、電子メールの宛先（この場合は、ネットワークファクシミリ装置ＦＸ）を指定するためのコマンド「ＲＣＰＴ　ＴＯ：＜相手メールアドレス（ネットワークファクシミリ装置ＦＸのメールアドレス）＞」をネットワークファクシミリ装置ＦＸへ送信する。
【０４０３】
これにより、ネットワークファクシミリ装置ＦＸは、信号「２５０　能力情報」をゲートウェイ装置ＧＷに送信する。ここで、信号「２５０」に付加される「能力情報」の値は、ネットワークファクシミリ装置ＦＸが備えている受信能力を通知するためのものである。
【０４０４】
それにより、ゲートウェイ装置ＧＷは、信号ＣＳＩ（着側端末識別情報）／ＤＩＳ（ネットワークファクシミリ装置ＦＸの受信能力）をグループ３ファクシミリ装置ＧＸに送信する。ここで、信号ＣＳＩのパラメータは、例えば、ネットワークファクシミリ装置ＦＸの識別情報（電子メールアドレス等）を用いることができる。
【０４０５】
それにより、グループ３ファクシミリ装置ＧＸは、受信した信号ＤＩＳのパラメータと、送信する画情報の画像モードおよび利用可能なモデム速度に基づいて、そのときに使用する通信機能を設定し、信号ＴＳＩ（送信端末識別情報）／ＤＣＳ（能力通知）をゲートウェイ装置ＧＷへ送信し、信号ＤＣＳで設定したモデム速度でモデムトレーニングを行うために、信号ＴＣＦをゲートウェイ装置ＧＷへ送信する。
【０４０６】
これにより、ゲートウェイ装置ＧＷは、そのときの受信結果が良好な場合には、信号ＣＦＲをグループ３ファクシミリ装置ＧＸへ応答して、画情報の受信準備が完了した旨を通知し、それにより、グループ３ファクシミリ装置ＧＸは、１ページ分の画情報ＰＩＸを順次ゲートウェイ装置ＧＷへ送信し、画情報ＰＩＸの送信を終了すると、メッセージ後信号として、信号ＥＯＰをゲートウェイ装置ＧＷへ送信する。
【０４０７】
ゲートウェイ装置ＧＷは、グループ３ファクシミリ装置ＧＸより画情報ＰＩＸを受信すると、その画情報ＰＩＸをＭＩＭＥ変換し、画情報データＤＡＴＡとして、ネットワークファクシミリ装置ＦＸへ順次送信する。また、メッセージ後信号の信号ＥＯＰをグループ３ファクシミリ装置ＧＸより受信すると、１ページ分の画情報の終了を通知するためにデータ「．（ピリオド）」をネットワークファクシミリ装置ＦＸへ送信する。
【０４０８】
これにより、ネットワークファクシミリ装置ＦＸは、信号「３５４」をゲートウェイ装置ＧＷへ応答し、それによって、ゲートウェイ装置ＧＷは、信号ＭＣＦをグループ３ファクシミリ装置ＧＸへ送信する。
【０４０９】
このようにして、ポーリング送信待機中の画情報の送信を終了すると、グループ３ファクシミリ装置ＧＸは、信号ＤＣＮをゲートウェイ装置ＧＷへ送信して、ゲートウェイ装置ＧＷとの間の回線を復旧する。
【０４１０】
また、ゲートウェイ装置ＧＷは、信号ＤＣＮを受信すると、コマンド「ＱＵＩＴ」をネットワークファクシミリ装置ＦＸへ送信し、それにより、ネットワークファクシミリ装置ＦＸへ送信は、信号「２２１」を応答し、これによって、ネットワークファクシミリ装置ＦＸとゲートウェイ装置ＧＷとの間の通信が終了する。
【０４１１】
このようにして、本実施例では、グループ３ファクシミリ装置ＧＸからネットワークファクシミリ装置ＦＸに対して、画情報の送信が可能となる。また、モデム信号（例えば、グループ３ファクシミリモデムの低速モデムを用いてやりとりする信号）を用いて宛先のネットワークファクシミリ装置ＦＸを指定するようにしているので、宛先指定のための特別の装置を必要としない。また、グループ３ファクシミリモデムがゲートウェイ装置ＧＷに発番号も通知しているので、ゲートウェイ装置ＧＷからネットワークファクシミリ装置ＦＸに対して、画情報の原送信側を適切に通知することができる。
【０４１２】
図３０、図３１および図３２は、この場合に、アナログ公衆網ＰＳＴＮより発呼された場合のゲートウェイ装置ＧＷの動作の一例を示している。
【０４１３】
まず、ゲートウェイ装置ＧＷは、網制御装置３２がアナログ公衆網ＰＳＴＮから着信検出するかどうかを監視しており（判断７０１のＮＯループ）、着信検出して判断７０１の結果がＹＥＳになると、着信応答し（処理７０２）、モデム信号により着番号および発番号を受信し（処理７０３）、信号ＲＩＮＧを受信する（処理７０４）。
【０４１４】
次に、処理７０３で受信した着番号（宛先番号）に対応した電子メールアドレスを、アドレス変換テーブルを参照して取得する（処理７０５）。また、受信した発番号を調べて、そのときの発側が、通信サービスを提供しない相手先（通信サービスを提供する旨が登録されている以外の相手先）であるかどうかを調べ（判断７０６）、判断７０６の結果がＹＥＳになるときには、その時点でグループ３ファクシミリ装置ＧＸとの回線を切断復旧し（処理７０７）、エラー終了する。また、受信した宛先番号が、アドレス変換テーブルに登録されているかどうかを調べ（判断７０８）、判断７０８の結果がＮＯになるときには、処理７０７へ移行し、その時点でグループ３ファクシミリ装置ＧＸとの回線を切断復旧して、エラー終了する。
【０４１５】
また、電子メールアドレスを適切に取得できた場合で判断７０８の結果がＹＥＳになるときには、ゲートウェイ装置ＧＷは、宛先の接続先（ネットワークファクシミリ装置ＦＸ）を指定してＳＭＴＰポートオープンを要求する（処理７０９）。
【０４１６】
そして、接続先から肯定応答である信号「２２０」を受信するかどうかを調べ（判断７１０）、判断７１０の結果がＮＯになるときには、処理７０７へ移行し、その時点でグループ３ファクシミリ装置ＧＸとの回線を切断復旧して、エラー終了する。
【０４１７】
一方、判断７１０の結果がＹＥＳになるときには、ゲートウェイ装置ＧＷは、ＥＳＭＴＰの開始コマンドであるコマンドＥＨＬＯを接続先へ送信し（処理７１１）、接続先から、信号「２５０」を受信するかどうかを調べる（判断７１２）。ここで、判断７１２の結果がＮＯになるときには、接続先がＥＳＭＴＰ通信機能を備えていないので、同じ接続先へＳＭＴＰのコマンド「ＨＥＬＯ」を送信し（処理７１３）、Ｔ．３７通信処理へ移行し、電子メールを用いた画情報送信動作を行う。
【０４１８】
また、判断７１２の結果がＹＥＳになるときには、接続先より信号「２５０　ＣＯＮＮＥＧ」を受信したかどうかを調べる（判断７１４）。判断７１４の結果がＮＯになるときには、接続先がＤ−ＳＭＴＰ方式通信機能を備えていないので、Ｔ．３７通信処理へ移行し、電子メールを用いた画情報送信動作を行う。
【０４１９】
また、判断７１４の結果がＹＥＳになるときには、ゲートウェイ装置ＧＷは、グループ３ファクシミリ装置ＧＸに対して信号ＣＥＤを送出し（処理７１５）、コマンド「ＭＡＩＬ　ＦＲＯＭ：＜ｆａｘ＝（発番号）＠ｄｏｍａｉｎ＞」を接続先へ送信し（処理７１６）、送信元のメールアドレスを通知する。
【０４２０】
そして、ゲートウェイ装置ＧＷは、信号「２５０」を受信すると（処理７１７）、電子メールの宛先を指定するためのコマンド「ＲＣＰＴ　ＴＯ：＜相手メールアドレス＞」を接続先へ送信する（処理７１８）。
【０４２１】
次に、ゲートウェイ装置ＧＷは、接続先より信号「２５０　能力情報」を受信し（処理７１９）、信号ＣＳＩ（着側端末識別情報）／ＤＩＳ（ネットワークファクシミリ装置ＦＸの受信能力）をグループ３ファクシミリ装置ＧＸに送信する（処理７２０）。
【０４２２】
次いで、グループ３ファクシミリ装置ＧＸより信号ＴＳＩ（送信端末識別情報）／ＤＣＳ（能力通知）を受信すると（処理７２１）、所定のモデムトレーニング手順を行って、使用するモデム速度を決定する（処理７２２）。
【０４２３】
そして、ゲートウェイ装置ＧＷは、グループ３ファクシミリ装置ＧＸより画情報ＰＩＸを受信すると、その画情報ＰＩＸをＭＩＭＥ変換し、画情報データＤＡＴＡとして、接続先へ順次送信する（処理７２３）。この１ページ分の画情報の転送動作は、グループ３ファクシミリ装置ＧＸよりいずれかのメッセージ後信号を受信するまで継続して実行する（判断７２４のＮＯループ）。
【０４２４】
グループ３ファクシミリ装置ＧＸよりメッセージ後信号を受信して、判断７２４の結果がＹＥＳになると、ゲートウェイ装置ＧＷは、１ページ分の画情報の終了を通知するためにデータ「．（ピリオド）」を接続先へ送信し（処理７２５）、グループ３ファクシミリ装置ＧＸへ信号ＭＣＦを送出する（処理７２６）。
【０４２５】
ここで、そのときに受信したメッセージ後信号が、信号ＥＯＰであったかどうかを調べ（判断７２７）、判断７２７の結果がＮＯになるときには、メッセージ後信号が信号ＭＰＳであったかどうかを調べる（判断７２８）。
【０４２６】
判断７２８の結果がＮＯになるときには、メッセージ後信号として信号ＥＯＭを受信した場合である。したがって、この場合には、次ページの画像モードが変更されるので、接続先へコマンド「ＲＳＥＴ」を送信し（処理７２９）、所定の再ネゴシエーション処理を行って、新しい通信機能を設定し（処理７３０）、処理７２３へ戻り、次のページの画情報の転送動作を行う。
【０４２７】
また、判断７２８の結果がＹＥＳになるときには、処理７２３へ戻り、次のページの画情報の転送動作を行う。
【０４２８】
また、判断７２７の結果がＹＥＳになるときには、接続先へコマンド「ＱＵＩＴ」を送信して、接続先との間の通信を終了し（処理６３１）、また、グループ３ファクシミリ装置ＧＸより信号ＤＣＮを受信して、グループ３ファクシミリ装置ＧＸとの間の回線を復旧する（処理６３２）。
【０４２９】
図３３は、本発明の他の実施例にかかる通信システムを示している。
【０４３０】
同図において、ＩＰ網としてのインターネットＩＮＥＴには、ネットワークファクシミリ装置ＦＸが接続されており、デジタル公衆網ＩＳＤＮには、グループ４／３ファクシミリ装置ＧＸａが接続されている。ゲートウェイ装置ＧＷａは、インターネットＩＮＥＴのネットワークファクシミリ装置ＦＸと、デジタル公衆網ＩＳＤＮのグループ４／３ファクシミリ装置ＧＸａとの間を接続して、相互通信を可能にする機能を備えている。
【０４３１】
また、ネットワークファクシミリ装置ＦＸは、ファクシミリ画情報の作成および記録出力等のファクシミリ装置機能、電子メールを用いてファクシミリ画情報をやりとりするためのＴ．３７通信機能、Ｄ−ＳＭＴＰ方式の通信機能、および、ゲートウェイ装置ＧＷａを介して、デジタル公衆網ＩＳＤＮのグループ４／３ファクシミリ装置ＧＸａとの間でファクシミリ通信を行う拡張Ｄ−ＳＭＴＰ方式の通信機能を備えている。
【０４３２】
また、グループ４／３ファクシミリ装置ＧＸａは、通常のグループ４／３ファクシミリ通信機能と、ゲートウェイ装置ＧＷａを用いてネットワークファクシミリ装置ＦＸへ発呼する際には、宛先となるネットワークファクシミリ装置ＦＸを指定する宛先情報をゲートウェイ装置ＧＷａへ通知する宛先通知機能を備えている。
【０４３３】
ゲートウェイ装置ＧＷａは、電子メールを用いてファクシミリ画情報をやりとりするためのＴ．３７通信機能、Ｄ−ＳＭＴＰ方式の通信機能、および、デジタル公衆網ＩＳＤＮのグループ４／３ファクシミリ装置ＧＸａとの間でファクシミリ通信を行う拡張Ｄ−ＳＭＴＰ方式に対応したゲートウェイ機能（ＩＳＤＮ対応）を備えている。
【０４３４】
図３４は、ゲートウェイ装置ＧＷａの一例を示している。なお、このゲートウェイ装置ＧＷａは、ゲートウェイとして機能するのみならず、ネットワークファクシミリ装置ＦＸあるいはグループ４／３ファクシミリ装置ＧＸａと直接通信する機能も備えている。
【０４３５】
同図において、システム制御部４１は、このゲートウェイ装置ＧＷａの各部の制御処理、Ｔ．３７通信機能処理、Ｄ−ＳＭＴＰ方式通信機能処理、および、拡張Ｄ−ＳＭＴＰ方式ゲートウェイ機能処理などの各種制御処理を行うものであり、システムメモリ４２は、システム制御部４１が実行する制御処理プログラム、および、処理プログラムを実行するときに必要な各種データなどを記憶するとともに、システム制御部４１のワークエリアを構成するものであり、パラメータメモリ４３は、このゲートウェイ装置ＧＷａに固有な各種の情報を記憶するためのものであり、時計回路４４は、現在時刻情報を出力するものである。
【０４３６】
スキャナ４５は、所定の解像度で原稿画像を読み取るためのものであり、プロッタ４６は、所定の解像度で画像を記録出力するためのものであり、磁気ディスク装置４７は、このゲートウェイ装置ＧＷａの他の実行プログラムや、種々のパラメータデータ等を記憶するためのものである。
【０４３７】
また、操作表示部４８は、このゲートウェイ装置ＧＷａを操作するためのもので、各種の操作キー、および、各種の表示器からなる。
【０４３８】
符号化復号化部４９は、画信号を符号化圧縮するとともに、符号化圧縮されている画情報を元の画信号に復号化するためのものであり、画像蓄積装置５０は、符号化圧縮された状態の画情報を多数記憶するためのものである。
【０４３９】
ＩＳＤＮインタフェース回路５１は、このグループ４／３ファクシミリ装置ＧＸａをデジタル公衆網ＩＳＤＮに接続するとともに、レイヤ１の信号処理機能およびＤチャネル（信号チャネル）の信号と２つのＢチャネル（情報チャネル）の信号の統合／分離機能を備えたものであり、Ｄチャネル伝送制御部５２は、呼設定／呼解放手順処理などＩＳＤＮのＤチャネル上の信号処理を実行するためのものであり、Ｂチャネル伝送制御部５３，５４，１２は、Ｂチャネル上で行うグループ４ファクシミリ伝送手順機能を実現するためのものである。また、Ｂチャネル伝送制御部５４には、グループ３ファクシミリモデム５５が接続され、デジタル公衆網ＩＳＤＮを用いてグループ３ファクシミリ装置との間で画情報をやりとりする際には、Ｂチャネル伝送制御部５４が用いられる。
【０４４０】
また、グループ３ファクシミリモデム５５は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【０４４１】
インターネットインターフェース回路５６は、このゲートウェイ装置ＧＷａをインターネットＩＮＥＴに接続するためのものであり、インターネット伝送制御部５８は、インターネットＩＮＥＴを介して、他の端末装置との間で種々のデータをやりとりするための各種所定のプロトコルスイートの通信制御処理を実行するためのものである。
【０４４２】
これらの、システム制御部４１、システムメモリ４２、パラメータメモリ４３、時計回路４４、スキャナ４５、プロッタ４６、磁気ディスク装置４７、操作表示部４８、符号化復号化部４９、画像蓄積装置５０、Ｄチャネル伝送制御部５３，５４、グループ３ファクシミリモデム５５、および、ローカルエリアネットワーク伝送制御部５８は、内部バス５９に接続されており、これらの各要素間でのデータのやりとりは、主としてこの内部バス５９を介して行われている。
【０４４３】
また、Ｂチャネル伝送制御部５４とグループ３ファクシミリモデム５５との間のデータのやりとりは、直接行なわれている。
【０４４４】
図３５は、グループ４／３ファクシミリ装置ＧＸａが、ゲートウェイ装置ＧＷａを用いて、ネットワークファクシミリ装置ＦＸへ画情報を送信するときの動作の一例を示している。この場合は、送信ページ数が１ページの場合である。
【０４４５】
まず、グループ４／３ファクシミリ装置ＧＸａは、着番号として、ゲートウェイ装置ＧＷａのファクシミリ番号をセットし、着サブアドレスとして、宛先のネットワークファクシミリ装置ＦＸの宛先番号をセットした状態で、デジタル公衆網ＩＳＤＮへ呼設定メッセージＳＥＴＵＰを送出する。
【０４４６】
これにより、デジタル公衆網ＩＳＤＮは、宛先のゲートウェイ装置ＧＷａに、着サブアドレス付きの呼設定メッセージＳＥＴＵＰを送出する。
【０４４７】
それによって、ゲートウェイ装置ＧＷａは、着信検出し、受信した呼設定メッセージＳＥＴＵＰに付加されている着サブアドレスを抽出し、アドレス変換テーブルを参照して、その抽出した着サブアドレスの番号に対応した電子メールアドレスを取得する。このとき、着サブアドレスが、アドレス変換テーブルに登録されていない場合には、このときの通信動作を行うことができないので、その時点でグループ４／３ファクシミリ装置ＧＸａとの回線を切断復旧する。
【０４４８】
また、電子メールアドレスを適切に取得できた場合には、ゲートウェイ装置ＧＷは、ネットワークファクシミリ装置ＦＸを指定してＳＭＴＰポートオープンを要求する。これに対し、ネットワークファクシミリ装置ＦＸは、信号「２２０」をゲートウェイ装置ＧＷへ応答する。
【０４４９】
次に、ゲートウェイ装置ＧＷは、ＥＳＭＴＰの開始コマンドであるコマンドＥＨＬＯをネットワークファクシミリ装置ＦＸへ送信する。ここで、このコマンドＥＨＬＯは、拡張Ｄ−ＳＭＴＰ方式通信機能の開始を指令するコマンドを兼用している。
【０４５０】
コマンドＥＨＬＯを受信したネットワークファクシミリ装置ＦＸは、Ｄ−ＳＭＴＰ方式通信機能を備えている旨を通知する信号「２５０　ＣＯＮＮＥＧ」を、ゲートウェイ装置ＧＷへ応答する。また、それにより、ゲートウェイ装置ＧＷは、応答メッセージＣＯＮＮをデジタル公衆網ＩＳＤＮへ送信し、これによって、グループ４／３ファクシミリ装置ＧＸａとゲートウェイ装置ＧＷａとの間に情報チャネルが確立される。そして、その確立された情報チャネルを用いて、グループ４／３ファクシミリ装置ＧＸａとゲートウェイ装置ＧＷａとの間で、所定のグループ４ファクシミリ伝送手順が開始され、グループ４／３ファクシミリ装置ＧＸａとゲートウェイ装置ＧＷａとの間でリンクレイヤ、トランスポートレイヤ、セッションレイヤコネクションが順次設定される。
【０４５１】
それとともに、ゲートウェイ装置ＧＷａは、コマンド「ＭＡＩＬ　ＦＲＯＭ：＜自機メールアドレス＞」をゲートウェイ装置ＧＷａへ送信し、送信元のメールアドレスを通知する。ここで、ネットワークファクシミリ装置ＦＸは、受信したコマンド「ＭＡＩＬ　ＦＲＯＭ」のパラメータである「＜自機メールアドレス＞」を用いて、接続許可を判定することができる。ネットワークファクシミリ装置ＦＸは、そのときの電子メールの受付を許可できる場合には、信号「２５０」をゲートウェイ装置ＧＷａへ応答する。
【０４５２】
次に、ゲートウェイ装置ＧＷａは、電子メールの宛先（この場合は、ネットワークファクシミリ装置ＦＸ）を指定するためのコマンド「ＲＣＰＴ　ＴＯ：＜相手メールアドレス（ネットワークファクシミリ装置ＦＸのメールアドレス）＞」をネットワークファクシミリ装置ＦＸへ送信する。
【０４５３】
これにより、ネットワークファクシミリ装置ＦＸは、信号「２５０　能力情報」をゲートウェイ装置ＧＷａに送信する。ここで、信号「２５０」に付加される「能力情報」の値は、ネットワークファクシミリ装置ＦＸが備えている受信能力を通知するためのものである。
【０４５４】
それにより、ゲートウェイ装置ＧＷａは、グループ４／３ファクシミリ装置ＧＸａより信号ＣＤＣＬを受信するのを待ち、信号ＣＤＣＬにより通知されたグループ４／３ファクシミリ装置ＧＸａの通信能力と、ネットワークファクシミリ装置ＦＸより通知された能力情報に基づいて、そのときに使用する伝送機能を設定し、信号ＲＤＣＬＰを用いて、設定した伝送機能をグループ４／３ファクシミリ装置ＧＸａへ通知する。
【０４５５】
それにより、グループ４／３ファクシミリ装置ＧＸａは、信号ＣＤＳを送信して文書管理情報を通知した後、複数の信号ＣＤＵＩ用いて１ページ分の画情報を順次ゲートウェイ装置ＧＷａへ送信し、画情報の送信を終了すると、送信終了をあらわす信号ＣＤＥをゲートウェイ装置ＧＷａへ送信する。
【０４５６】
ゲートウェイ装置ＧＷａは、グループ４／３ファクシミリ装置ＧＸａより信号ＣＤＵＩを受信すると、その画情報をＭＩＭＥ変換し、画情報データＤＡＴＡとして、ネットワークファクシミリ装置ＦＸへ順次送信する。また、信号ＣＤＥを受信すると、１ページ分の画情報の終了を通知するためにデータ「．（ピリオド）」をネットワークファクシミリ装置ＦＸへ送信する。
【０４５７】
これにより、ネットワークファクシミリ装置ＦＸは、信号「３５４」をゲートウェイ装置ＧＷａへ応答し、それによって、ゲートウェイ装置ＧＷａは、画情報を適切に受診した旨をあらわす信号ＲＤＥＰをグループ４／３ファクシミリ装置ＧＸａへ送信する。
【０４５８】
このようにして、画情報の送信を終了すると、グループ４／３ファクシミリ装置ＧＸａは、伝送後手順をゲートウェイ装置ＧＷａとの間で実行し、セッションレイヤコネクション、トランスポートレイヤ、リンクレイヤを順次終了し、情報チャネルを終了する。次いで、Ｄチャネルの呼終了手順を実行し、呼を解放する。
【０４５９】
また、ゲートウェイ装置ＧＷａは、信号「３５４」を受信すると、その後の適宜なタイミングで、コマンド「ＱＵＩＴ」をネットワークファクシミリ装置ＦＸへ送信し、それにより、ネットワークファクシミリ装置ＦＸは、信号「２２１」を応答し、これによって、ネットワークファクシミリ装置ＦＸとゲートウェイ装置ＧＷａとの間の通信が終了する。
【０４６０】
図３６は、グループ４／３ファクシミリ装置ＧＸａが、ゲートウェイ装置ＧＷａを用いて、ネットワークファクシミリ装置ＦＸへ画情報を送信するときの動作の他の例を示している。この場合は、送信ページ数が１ページの場合である。
【０４６１】
まず、グループ４／３ファクシミリ装置ＧＸａは、発番号として自端末のファクシミリ番号をセットし、着番号としてゲートウェイ装置ＧＷａのファクシミリ番号をセットし、着サブアドレスとして宛先のネットワークファクシミリ装置ＦＸの宛先番号をセットした状態で、デジタル公衆網ＩＳＤＮへ呼設定メッセージＳＥＴＵＰを送出する。
【０４６２】
これにより、デジタル公衆網ＩＳＤＮは、宛先のゲートウェイ装置ＧＷａに、発番号と着サブアドレス付きの呼設定メッセージＳＥＴＵＰを送出する。
【０４６３】
それによって、ゲートウェイ装置ＧＷａは、着信検出し、受信した呼設定メッセージＳＥＴＵＰに付加されている発番号および着サブアドレスを抽出する。そして、アドレス変換テーブルを参照して、その抽出した着サブアドレスの番号に対応した電子メールアドレスを取得する。このとき、着サブアドレスが、アドレス変換テーブルに登録されていない場合には、このときの通信動作を行うことができないので、グループ４／３ファクシミリ装置ＧＸａとの呼接続を行わない。また、発番号の値を調べて、自端末のサービス（ゲートウェイサービス）を受けられる端末以外である旨を判別した場合には、グループ４／３ファクシミリ装置ＧＸａとの呼接続を行わない。
【０４６４】
また、電子メールアドレスを適切に取得できた場合には、ゲートウェイ装置ＧＷは、ネットワークファクシミリ装置ＦＸを指定してＳＭＴＰポートオープンを要求する。これに対し、ネットワークファクシミリ装置ＦＸは、信号「２２０」をゲートウェイ装置ＧＷへ応答する。
【０４６５】
次に、ゲートウェイ装置ＧＷは、ＥＳＭＴＰの開始コマンドであるコマンドＥＨＬＯをネットワークファクシミリ装置ＦＸへ送信する。ここで、このコマンドＥＨＬＯは、拡張Ｄ−ＳＭＴＰ方式通信機能の開始を指令するコマンドを兼用している。
【０４６６】
コマンドＥＨＬＯを受信したネットワークファクシミリ装置ＦＸは、Ｄ−ＳＭＴＰ方式通信機能を備えている旨を通知する信号「２５０　ＣＯＮＮＥＧ」を、ゲートウェイ装置ＧＷへ応答する。また、それにより、ゲートウェイ装置ＧＷは、応答メッセージＣＯＮＮをデジタル公衆網ＩＳＤＮへ送信し、これによって、グループ４／３ファクシミリ装置ＧＸａとゲートウェイ装置ＧＷａとの間に情報チャネルが確立される。そして、その確立された情報チャネルを用いて、グループ４／３ファクシミリ装置ＧＸａとゲートウェイ装置ＧＷａとの間で、所定のグループ４ファクシミリ伝送手順が開始され、グループ４／３ファクシミリ装置ＧＸａとゲートウェイ装置ＧＷａとの間でリンクレイヤ、トランスポートレイヤ、セッションレイヤコネクションが順次設定される。
【０４６７】
それとともに、ゲートウェイ装置ＧＷａは、コマンド「ＭＡＩＬ　ＦＲＯＭ：＜ｆａｘ＝（発番号）＠ｄｏｍａｉｎ＞」をネットワークファクシミリ装置ＦＸへ送信し、送信元のメールアドレスを通知する。ここで、パラメータ「＜ｆａｘ＝（発番号）＠ｄｏｍａｉｎ＞」は、前述した内容の機能を有するものである。また、ネットワークファクシミリ装置ＦＸは、受信したコマンド「ＭＡＩＬ　ＦＲＯＭ」のパラメータである「＜ｆａｘ＝（発番号）＠ｄｏｍａｉｎ＞」を用いて、接続許可を判定することができる。ネットワークファクシミリ装置ＦＸは、そのときの電子メールの受付を許可できる場合には、信号「２５０」をゲートウェイ装置ＧＷａへ応答する。
【０４６８】
次に、ゲートウェイ装置ＧＷａは、電子メールの宛先（この場合は、ネットワークファクシミリ装置ＦＸ）を指定するためのコマンド「ＲＣＰＴ　ＴＯ：＜相手メールアドレス（ネットワークファクシミリ装置ＦＸのメールアドレス）＞」をネットワークファクシミリ装置ＦＸへ送信する。
【０４６９】
これにより、ネットワークファクシミリ装置ＦＸは、信号「２５０　能力情報」をゲートウェイ装置ＧＷａに送信する。ここで、信号「２５０」に付加される「能力情報」の値は、ネットワークファクシミリ装置ＦＸが備えている受信能力を通知するためのものである。
【０４７０】
それにより、ゲートウェイ装置ＧＷａは、グループ４／３ファクシミリ装置ＧＸａより信号ＣＤＣＬを受信するのを待ち、信号ＣＤＣＬにより通知されたグループ４／３ファクシミリ装置ＧＸａの通信能力と、ネットワークファクシミリ装置ＦＸより通知された能力情報に基づいて、そのときに使用する伝送機能を設定し、信号ＲＤＣＬＰを用いて、設定した伝送機能をグループ４／３ファクシミリ装置ＧＸａへ通知する。
【０４７１】
それにより、グループ４／３ファクシミリ装置ＧＸａは、信号ＣＤＳを送信して文書管理情報を通知した後、複数の信号ＣＤＵＩ用いて１ページ分の画情報を順次ゲートウェイ装置ＧＷａへ送信し、画情報の送信を終了すると、送信終了をあらわす信号ＣＤＥをゲートウェイ装置ＧＷａへ送信する。
【０４７２】
ゲートウェイ装置ＧＷａは、グループ４／３ファクシミリ装置ＧＸａより信号ＣＤＵＩを受信すると、その画情報をＭＩＭＥ変換し、画情報データＤＡＴＡとして、ネットワークファクシミリ装置ＦＸへ順次送信する。また、信号ＣＤＥを受信すると、１ページ分の画情報の終了を通知するためにデータ「．（ピリオド）」をネットワークファクシミリ装置ＦＸへ送信する。
【０４７３】
これにより、ネットワークファクシミリ装置ＦＸは、信号「３５４」をゲートウェイ装置ＧＷａへ応答し、それによって、ゲートウェイ装置ＧＷａは、画情報を適切に受診した旨をあらわす信号ＲＤＥＰをグループ４／３ファクシミリ装置ＧＸａへ送信する。
【０４７４】
このようにして、画情報の送信を終了すると、グループ４／３ファクシミリ装置ＧＸａは、伝送後手順をゲートウェイ装置ＧＷａとの間で実行し、セッションレイヤコネクション、トランスポートレイヤ、リンクレイヤを順次終了し、情報チャネルを終了する。次いで、Ｄチャネルの呼終了手順を実行し、呼を解放する。
【０４７５】
また、ゲートウェイ装置ＧＷａは、信号「３５４」を受信すると、その後の適宜なタイミングで、コマンド「ＱＵＩＴ」をネットワークファクシミリ装置ＦＸへ送信し、それにより、ネットワークファクシミリ装置ＦＸは、信号「２２１」を応答し、これによって、ネットワークファクシミリ装置ＦＸとゲートウェイ装置ＧＷａとの間の通信が終了する。
【０４７６】
このようにして、本実施例では、グループ４／３ファクシミリ装置ＧＸａからネットワークファクシミリ装置ＦＸに対して、画情報の送信が可能となる。また、呼設定メッセージＳＥＴＵＰの情報要素である着サブアドレスを用いて宛先のネットワークファクシミリ装置ＦＸを指定するようにしているので、宛先指定のための特別の装置を必要としない。
【０４７７】
図３７、図３８および図３９は、この場合に、デジタル公衆網ＩＳＤＮより発呼された場合のゲートウェイ装置ＧＷａの動作の一例を示している。
【０４７８】
まず、ゲートウェイ装置ＧＷａは、Ｄチャネル伝送制御部５２がデジタル公衆網ＩＳＤＮから呼設定メッセージＳＥＴＵＰを受信するかどうかを監視しており（判断８０１のＮＯループ）、呼設定メッセージＳＥＴＵＰを受信して判断８０１の結果がＹＥＳになると、その呼設定メッセージＳＥＴＵＰに発番号が含まれているかどうかを調べる（判断８０２）。判断８０２の結果がＹＥＳになるときには、その発番号を調べて、アクセス拒否すべきかどうかを判定する（判断８０３）。判断８０３の結果がＹＥＳになるときには、そのときの着呼を無視し（処理８０４）、エラー終了する。
【０４７９】
また、判断８０２の結果がＹＥＳになるときには、受信した着サブアドレス（宛先番号）に対応した電子メールアドレスを、アドレス変換テーブルを参照して取得する（処理８０５）。また、受信した着サブアドレスが、アドレス変換テーブルに登録されているかどうかを調べ（判断８０６）、判断８０６の結果がＮＯになるときには、処理８０４へ移行し、このときの着呼を無視して、エラー終了する。
【０４８０】
また、電子メールアドレスを適切に取得できた場合で判断８０６の結果がＹＥＳになるときには、ゲートウェイ装置ＧＷａは、宛先の接続先（ネットワークファクシミリ装置ＦＸ）を指定してＳＭＴＰポートオープンを要求する（処理８０７）。
【０４８１】
そして、接続先から肯定応答である信号「２２０」を受信するかどうかを調べ（判断８０８）、判断８０８の結果がＮＯになるときには、処理８０４へ移行し、そのときの着呼を無視して、エラー終了する。
【０４８２】
一方、判断８０８の結果がＹＥＳになるときには、ゲートウェイ装置ＧＷａは、ＥＳＭＴＰの開始コマンドであるコマンドＥＨＬＯを接続先へ送信し（処理８０９）、接続先から、信号「２５０」を受信するかどうかを調べる（判断８１０）。ここで、判断８１０の結果がＮＯになるときには、接続先がＥＳＭＴＰ通信機能を備えていないので、同じ接続先へＳＭＴＰのコマンド「ＨＥＬＯ」を送信し（処理８１１）、Ｔ．３７通信処理へ移行し、電子メールを用いた画情報送信動作を行う。
【０４８３】
また、判断８１０の結果がＹＥＳになるときには、接続先より信号「２５０　ＣＯＮＮＥＧ」を受信したかどうかを調べる（判断８１２）。判断８１２の結果がＮＯになるときには、接続先がＤ−ＳＭＴＰ方式通信機能を備えていないので、Ｔ．３７通信処理へ移行し、電子メールを用いた画情報送信動作を行う。
【０４８４】
また、判断８１２の結果がＹＥＳになるときには、ゲートウェイ装置ＧＷａは、デジタル公衆網ＩＳＤＮに対して応答メッセージＣＯＮＮを送出して、グループ４／３ファクシミリ装置ＧＸａとの間に情報チャネルを確立し（処理８１５）、所定のグループ４ファクシミリ伝送前手順を開始する（処理８１６）。
【０４８５】
ここで、このときに発番号を記憶しているかどうかを調べ（判断８１７）、判断８１７の結果がＹＥＳになるときには、コマンド「ＭＡＩＬ　ＦＲＯＭ：＜ｆａｘ＝（発番号）＠ｄｏｍａｉｎ＞」を接続先へ送信し（処理８１８）、送信元のメールアドレスを通知する。
【０４８６】
また、判断８１７の結果がＮＯになるときには、コマンド「ＭＡＩＬ　ＦＲＯＭ：＜自機メールアドレス＞」を接続先へ送信し（処理８１９）、送信元のメールアドレスを通知する。
【０４８７】
そして、ゲートウェイ装置ＧＷａは、信号「２５０」を受信すると（処理８２０）、電子メールの宛先を指定するためのコマンド「ＲＣＰＴ　ＴＯ：＜相手メールアドレス＞」を接続先へ送信する（処理８２１）。
【０４８８】
次に、ゲートウェイ装置ＧＷａは、接続先より信号「２５０　能力情報」を受信し（処理８２２）、グループ４／３ファクシミリ装置ＧＸａより信号ＣＤＣＬを受信し（処理８２３）、そのときに使用する通信機能（画像モード等）を設定し（処理８２４）、信号ＲＤＣＬＰをグループ４／３ファクシミリ装置ＧＸａに送信する（処理８２５）。
【０４８９】
次いで、グループ４／３ファクシミリ装置ＧＸａより信号ＣＤＳを受信して保存する（処理８２６）。
【０４９０】
そして、ゲートウェイ装置ＧＷａは、グループ４／３ファクシミリ装置ＧＸａより信号ＣＤＵＩを受信すると、その受信した信号ＣＤＵＩの画情報をＭＩＭＥ変換し、画情報データＤＡＴＡとして、接続先へ順次送信する（処理８２７）。この画情報の転送動作は、グループ４／３ファクシミリ装置ＧＸａより信号ＣＤＥを受信するまで継続して実行する（判断８２８のＮＯループ）。
【０４９１】
グループ４／３ファクシミリ装置ＧＸａより信号ＣＤＥを受信して、判断８２８の結果がＹＥＳになると、ゲートウェイ装置ＧＷａは、画情報の終了を通知するためにデータ「．（ピリオド）」を接続先へ送信し（処理８２９）、接続先より信号「３５４」を受信すると（処理８３０）、グループ４／３ファクシミリ装置ＧＸａへ信号ＲＤＥＰを送信する（処理８３１）。
【０４９２】
そして、接続先へコマンド「ＱＵＩＴ」を送信して、接続先との間の通信を終了し（処理８３２）、また、グループ４／３ファクシミリ装置ＧＸａとの間では、Ｇ４ファクシミリ伝送後手順を実行して情報チャネルを終了し（処理８３３）、呼切断解放手順処理を実行して（処理８３４）、グループ４／３ファクシミリ装置ＧＸａとの間の呼を解放する。
【０４９３】
図４０は、本発明の別な実施例にかかる通信システムを示している。
【０４９４】
同図において、ＩＰ網としてのインターネットＩＮＥＴには、ゲートウェイ装置ＧＷ１，ＧＷ２が接続され、アナログ公衆網ＰＳＴＮ１，ＰＳＴＮ２には、グループ３ファクシミリ装置ＧＸ１，ＧＸ２がそれぞれ接続されている。
【０４９５】
また、ゲートウェイ装置ＧＷ１は、インターネットＩＮＥＴの他のゲートウェイ装置ＧＷ２と、アナログ公衆網ＰＳＴＮ１のグループ３ファクシミリ装置ＧＸ１との間を接続して、相互通信を可能にする機能を備え、ゲートウェイ装置ＧＷ２は、インターネットＩＮＥＴの他のゲートウェイ装置ＧＷ１と、アナログ公衆網ＰＳＴＮ２のグループ３ファクシミリ装置ＧＸ２との間を接続して、相互通信を可能にする機能を備えている。
【０４９６】
また、グループ３ファクシミリ装置ＧＸ１，ＧＸ２は、通常のグループ３ファクシミリ通信機能と、ゲートウェイ装置ＧＷ１，２を用いて他のグループ３ファクシミリ装置ＧＸ２，ＧＸ１へ発呼する際には、宛先となる他のグループ３ファクシミリ装置ＧＸ２，ＧＸ１を指定する宛先情報をゲートウェイ装置ＧＷ１，ＧＷ２へ通知する宛先通知機能を備えている。
【０４９７】
さらに、ゲートウェイ装置ＧＷ１，ＧＷ２は、電子メールを用いてファクシミリ画情報をやりとりするためのＴ．３７通信機能、Ｄ−ＳＭＴＰ方式の通信機能、および、アナログ公衆網ＰＳＴＮのグループ３ファクシミリ装置ＧＸ１，ＧＸ２との間でファクシミリ通信を行う拡張Ｄ−ＳＭＴＰ方式に対応したゲートウェイ機能を備えている。
【０４９８】
図４１および図４２は、ゲートウェイ装置ＧＷ１，ＧＷ２を用いて、グループ３ファクシミリ装置ＧＸ１からグループ３ファクシミリ装置ＧＸ２へ画情報を送信するときの動作の一例を示している。
【０４９９】
まず、グループ３ファクシミリ装置ＧＸ１は、ゲートウェイ装置ＧＷ１へ発呼し、ゲートウェイ装置ＧＷ１が着信応答すると、信号ＲＩＮＧを送出した後に、プッシュボタン信号を用いて、宛先情報を送信する。例えば、番号「０００４」の宛先情報を送信する場合、プッシュボタン信号の番号「０」、番号「０」、番号「０」、番号「４」を連続的にゲートウェイ装置ＧＷ１へ送信する。
【０５００】
一方、ゲートウェイ装置ＧＷ１は、アナログ公衆網ＰＳＴＮ１より発呼されると、着信応答し、信号ＲＩＮＧを受信するかどうかを待つ。そして、信号ＲＩＮＧを受信すると、グループ３ファクシミリ装置ＧＸ１よりプッシュボタン信号を受信し、その受信したプッシュボタン信号により運ばれた番号を認識する。
【０５０１】
そして、アドレス変換テーブルを参照して、その認識にした番号に対応した電子メールアドレスを取得する。このとき、受信した番号が、アドレス変換テーブルに登録されていない場合には、このときの通信動作を行うことができないので、その時点でグループ３ファクシミリ装置ＧＸ１との回線を切断復旧する。
【０５０２】
また、電子メールアドレスを適切に取得できた場合には、ゲートウェイ装置ＧＷ１は、発呼側のグループ３ファクシミリ装置ＧＸ１との間で、仮の受信能力を適用して、グループ３ファクシミリ伝送手順を行う（モデムトレーニングの信号ＴＣＦの受信まで）。
【０５０３】
また、ゲートウェイ装置ＧＷ１は、ゲートウェイ装置ＧＷ２を指定して、ＳＭＴＰポートオープンを要求する。これに対し、ゲートウェイ装置ＧＷ２は、信号「２２０」をゲートウェイ装置ＧＷ１へ応答する。
【０５０４】
次に、ゲートウェイ装置ＧＷ１は、ＥＳＭＴＰの開始コマンドであるコマンドＥＨＬＯをゲートウェイ装置ＧＷ２へ送信する。
【０５０５】
コマンドＥＨＬＯを受信したゲートウェイ装置ＧＷ２は、拡張Ｄ−ＳＭＴＰ方式通信機能を備えている旨を通知する信号「２５０−ＦＡＸＧＷ」と、Ｄ−ＳＭＴＰ方式通信機能を備えている旨を通知する信号「２５０　ＣＯＮＮＥＧ」を、ゲートウェイ装置ＧＷへ応答する。
【０５０６】
これにより、ゲートウェイ装置ＧＷ１は、コマンド「ＭＡＩＬ　ＦＲＯＭ：＜自機メールアドレス＞能力情報」をゲートウェイ装置ＧＷ２へ送信し、送信元のメールアドレスと、発端末（グループ３ファクシミリ装置ＧＸ１）の通信能力情報を通知する。ここで、ゲートウェイ装置ＧＷ２は、受信したコマンド「ＭＡＩＬ　ＦＲＯＭ」のパラメータである「＜自機メールアドレス＞」を用いて、接続許可を判定することができる。
【０５０７】
そして、ゲートウェイ装置ＧＷ２は、そのときの電子メールの受付を許可できる場合には、信号「２５０」をゲートウェイ装置ＧＷ１へ応答する。
【０５０８】
次に、ゲートウェイ装置ＧＷ１は、最終宛先（この場合は、グループ３ファクシミリ装置ＧＸ２）を指定するためのコマンド「ＲＣＰＴ　ＴＯ：＜ｆａｘ＝１２３４＠ｄｏｍａｉｎ＞」をゲートウェイ装置ＧＷ２へ送信する。ここで、コマンド「ＲＣＰＴ　ＴＯ」のパラメータは、アドレス変換テーブルを参照して取得した電子メールアドレスを適用する。例えば、宛先番号「０００４」に登録されている電子メールアドレスが「ｆａｘ＝０１２３４５６７８９＠ｉｆａｘ．ｔｏｋｙｏ．ａｂｃ．ｃｏ．ｊｐ」の場合は、その値がセットされる。
【０５０９】
これにより、ゲートウェイ装置ＧＷ２は、コマンド「ＲＣＰＴ　ＴＯ：＜ｆａｘ＝１２３４＠ｄｏｍａｉｎ＞」で指定された宛先のグループ３ファクシミリ装置ＧＸ２へ、アナログ公衆網ＰＳＴＮ２を用いて発呼する。
【０５１０】
それにより、グループ３ファクシミリ装置ＧＸ２は、着信応答し、所定のグループ３ファクシミリ伝送手順を開始する。したがって、グループ３ファクシミリ装置ＧＸ２は、信号ＣＥＤをゲートウェイ装置ＧＷ２へ応答し、次に、信号ＣＳＩ（自端末の識別情報）／ＤＩＳ（自端末の能力情報）をゲートウェイ装置ＧＷ２へ応答する。
【０５１１】
ゲートウェイ装置ＧＷ２は、信号ＣＳＩ／ＤＩＳを受信すると、信号ＤＩＳに含まれる受信能力パラメータ（バイナリデータ）を認識し、そのときに保存しているゲートウェイ装置ＧＷ１から通知された「能力情報」に基づいて、使用する伝送機能（モデム速度等）を設定し、信号ＴＳＩ／ＤＣＳを作成し、グループ３ファクシミリ装置ＧＸ２へ送信する。ここで、信号ＴＳＩのパラメータは、例えば、コマンド「ＭＡＩＬ　ＦＲＯＭ」のパラメータ「＜自機メールアドレス＞」の値を用いることができる。
【０５１２】
次いで、ゲートウェイ装置ＧＷ２は、そのときに設定したモデム速度でモデムトレーニングするために信号ＴＣＦをグループ３ファクシミリ装置ＧＸ２へ送信する。
【０５１３】
ここで、グループ３ファクシミリ装置ＧＸ２は、トレーニングに失敗した場合、信号ＦＴＴをゲートウェイ装置ＧＷ２へ送信する。
【０５１４】
それにより、ゲートウェイ装置ＧＷは、保存している「能力情報」から次のモデム速度を設定し、信号ＴＳＩ／ＤＣＳを作成し、グループ３ファクシミリ装置ＧＸ２へ送信し、そのときに設定したモデム速度でモデムトレーニングするために信号ＴＣＦをグループ３ファクシミリ装置ＧＸ２へ送信する。
【０５１５】
ここで、グループ３ファクシミリ装置ＧＸ２は、トレーニングに成功した場合、信号ＣＦＲをゲートウェイ装置ＧＷ２へ送信する。
【０５１６】
それにより、ゲートウェイ装置ＧＷ２は、信号「２５０　能力情報」をゲートウェイ装置ＧＷ１へ応答する。このとき、「能力情報」としては、直前に信号ＤＣＳで指定した伝送機能の値が配置される。
【０５１７】
これにより、ゲートウェイ装置ＧＷ１は、グループ３ファクシミリ装置ＧＸ１に対し、信号ＴＣＦの応答信号として信号ＦＴＴを応答する。それにより、グループ３ファクシミリ装置ＧＸ１は、モデム速度を再設定し、信号ＴＳＩ／ＤＣＳを用いて、再設定したモデム速度等を指定し、再設定したモデム速度で信号ＴＣＦを送信する。ゲートウェイ装置ＧＷ１は、再設定されたモデム速度が、ゲートウェイ装置ＧＷ２から通知された能力情報に合致する場合には、信号ＣＦＲを応答する。
【０５１８】
このようにして、使用する通信機能が設定されると、グループ３ファクシミリ装置ＧＸ１は、１ページ分の画情報ＰＩＸを送信し、送信を終了すると、メッセージ後信号として信号ＥＯＰを送信する。
【０５１９】
また、ゲートウェイ装置ＧＷ１は、グループ３ファクシミリ装置ＧＸ１より受信した画情報ＰＩＸをＭＩＭＥ変換し、送信データＤＡＴＡとして、ゲートウェイ装置ＧＷ２へ送信し、メッセージ後信号を受信すると、データ転送の終了をあらわすデータ「．（ピリオド）」をゲートウェイ装置ＧＷ２へ送信する。
【０５２０】
ゲートウェイ装置ＧＷ２は、ゲートウェイ装置ＧＷ１より受信した送信データＤＡＴＡを逆ＭＩＭＥ変換し、画情報ＰＩＸとしてグループ３ファクシミリ装置ＧＸ２へ送信する。また、データ転送の終了をあらわすデータ「．（ピリオド）」を受信すると、メッセージ後信号ＥＯＰをグループ３ファクシミリ装置ＧＸ２に送信する。
【０５２１】
グループ３ファクシミリ装置ＧＸ２は、画情報ＰＩＸを正常に受信できた場合には、信号ＭＣＦをゲートウェイ装置ＧＷ２へ送信する。それにより、ゲートウェイ装置ＧＷ２は、信号「３５４」をゲートウェイ装置ＧＷ１へ送信する。それにより、ゲートウェイ装置ＧＷ１は、信号ＭＣＦをグループ３ファクシミリ装置ＧＸ１へ送信する。
【０５２２】
これにより、画情報の送信を終了したので、グループ３ファクシミリ装置ＧＸ１は、信号ＤＣＮをゲートウェイ装置ＧＷ１へ送信して、回線を復旧する。また、ゲートウェイ装置ＧＷ１は、信号ＤＣＮを受信すると、ゲートウェイ装置ＧＷ２へコマンド「ＱＵＩＴ」を送信する。
【０５２３】
それにより、ゲートウェイ装置ＧＷ２は、信号ＤＣＮをグループ３ファクシミリ装置ＧＸ２へ送信し、これにより、グループ３ファクシミリ装置ＧＸ２とゲートウェイ装置ＧＷ２との間の回線が復旧される。
【０５２４】
また、ゲートウェイ装置ＧＷ２は、ゲートウェイ装置ＧＷ１へ信号「２２１」を送信し、一連の送信動作が終了する。
【０５２５】
このようにして、ゲートウェイ装置ＧＷ１，ＧＷ２を介し、グループ３ファクシミリ装置ＧＸ１からグループ３ファクシミリ装置ＧＸ２へ画情報が送信される。
【０５２６】
図４３および図４４は、ゲートウェイ装置ＧＷ１，ＧＷ２を用いて、グループ３ファクシミリ装置ＧＸ１からグループ３ファクシミリ装置ＧＸ２へ画情報を送信するときの動作の他の例を示している。
【０５２７】
まず、グループ３ファクシミリ装置ＧＸ１は、ゲートウェイ装置ＧＷ１へ発呼し、ゲートウェイ装置ＧＷ１が着信応答すると、信号ＲＩＮＧを送出した後に、プッシュボタン信号を用いて、宛先情報を送信する。例えば、番号「０００４」の宛先情報を送信する場合、プッシュボタン信号の番号「０」、番号「０」、番号「０」、番号「４」を連続的にゲートウェイ装置ＧＷ１へ送信する。
【０５２８】
一方、ゲートウェイ装置ＧＷ１は、アナログ公衆網ＰＳＴＮ１より発呼されると、着信応答し、信号ＲＩＮＧを受信するかどうかを待つ。そして、信号ＲＩＮＧを受信すると、グループ３ファクシミリ装置ＧＸ１よりプッシュボタン信号を受信し、その受信したプッシュボタン信号により運ばれた番号を認識する。
【０５２９】
そして、アドレス変換テーブルを参照して、その認識にした番号に対応した電子メールアドレスを取得する。このとき、受信した番号が、アドレス変換テーブルに登録されていない場合には、このときの通信動作を行うことができないので、その時点でグループ３ファクシミリ装置ＧＸ１との回線を切断復旧する。
【０５３０】
また、電子メールアドレスを適切に取得できた場合には、ゲートウェイ装置ＧＷ１は、発呼側のグループ３ファクシミリ装置ＧＸ１に信号ＣＥＤを送出する。また、ゲートウェイ装置ＧＷ１は、ゲートウェイ装置ＧＷ２を指定して、ＳＭＴＰポートオープンを要求する。これに対し、ゲートウェイ装置ＧＷ２は、信号「２２０」をゲートウェイ装置ＧＷ１へ応答する。
【０５３１】
次に、ゲートウェイ装置ＧＷ１は、ＥＳＭＴＰの開始コマンドであるコマンドＥＨＬＯをゲートウェイ装置ＧＷ２へ送信する。
【０５３２】
コマンドＥＨＬＯを受信したゲートウェイ装置ＧＷ２は、拡張Ｄ−ＳＭＴＰ方式通信機能を備えている旨を通知する信号「２５０−ＦＡＸＧＷ」と、Ｄ−ＳＭＴＰ方式通信機能を備えている旨を通知する信号「２５０　ＣＯＮＮＥＧ」を、ゲートウェイ装置ＧＷへ応答する。
【０５３３】
これにより、ゲートウェイ装置ＧＷ１は、コマンド「ＭＡＩＬ　ＦＲＯＭ：＜自機メールアドレス＞」をゲートウェイ装置ＧＷ２へ送信し、送信元のメールアドレスを通知する。ここで、ゲートウェイ装置ＧＷ２は、受信したコマンド「ＭＡＩＬ　ＦＲＯＭ」のパラメータである「＜自機メールアドレス＞」を用いて、接続許可を判定することができる。
【０５３４】
そして、ゲートウェイ装置ＧＷ２は、そのときの電子メールの受付を許可できる場合には、信号「２５０」をゲートウェイ装置ＧＷ１へ応答する。
【０５３５】
次に、ゲートウェイ装置ＧＷ１は、最終宛先（この場合は、グループ３ファクシミリ装置ＧＸ２）を指定するためのコマンド「ＲＣＰＴ　ＴＯ：＜ｆａｘ＝１２３４＠ｄｏｍａｉｎ＞」をゲートウェイ装置ＧＷ２へ送信する。ここで、コマンド「ＲＣＰＴ　ＴＯ」のパラメータは、アドレス変換テーブルを参照して取得した電子メールアドレスを適用する。例えば、宛先番号「０００４」に登録されている電子メールアドレスが「ｆａｘ＝０１２３４５６７８９＠ｉｆａｘ．ｔｏｋｙｏ．ａｂｃ．ｃｏ．ｊｐ」の場合は、その値がセットされる。
【０５３６】
これにより、ゲートウェイ装置ＧＷ２は、コマンド「ＲＣＰＴ　ＴＯ：＜ｆａｘ＝１２３４＠ｄｏｍａｉｎ＞」で指定された宛先のグループ３ファクシミリ装置ＧＸ２へ、アナログ公衆網ＰＳＴＮ２を用いて発呼する。
【０５３７】
それにより、グループ３ファクシミリ装置ＧＸ２は、着信応答し、所定のグループ３ファクシミリ伝送手順を開始する。したがって、グループ３ファクシミリ装置ＧＸ２は、信号ＣＥＤをゲートウェイ装置ＧＷ２へ応答し、次に、信号ＣＳＩ（自端末の識別情報）／ＤＩＳ（自端末の能力情報）をゲートウェイ装置ＧＷ２へ応答する。
【０５３８】
ゲートウェイ装置ＧＷ２は、信号ＣＳＩ／ＤＩＳを受信すると、信号ＤＩＳに含まれる受信能力パラメータ（バイナリデータ）を認識し、コマンド「ＲＣＰＴＴＯ：＜ｆａｘ＝１２３４＠ｄｏｍａｉｎ＞」に対応して、ゲートウェイ装置ＧＷ１へ応答する応答信号「２５０」に、パラメータとして、認識した受信能力パラメータを通知するための「能力情報」を付加する。また、このときの「能力情報」は、受信パラメータをＭＩＭＥ変換して得た値である。
【０５３９】
それにより、ゲートウェイ装置ＧＷ１は、信号ＣＳＩ（着側端末識別情報）／ＤＩＳ（ネットワークファクシミリ装置ＦＸの受信能力）をグループ３ファクシミリ装置ＧＸ１に送信する。
【０５４０】
それにより、グループ３ファクシミリ装置ＧＸ１は、受信した信号ＤＩＳのパラメータと、送信する画情報の画像モードおよび利用可能なモデム速度に基づいて、そのときに使用する通信機能を設定し、信号ＴＳＩ（送信端末識別情報）／ＤＣＳ（能力通知）をゲートウェイ装置ＧＷ１へ送信し、信号ＤＣＳで設定したモデム速度でモデムトレーニングを行うために、信号ＴＣＦをゲートウェイ装置ＧＷ１へ送信する。
【０５４１】
ゲートウェイ装置ＧＷ１は、信号ＴＳＩ／ＤＣＳを受信すると、信号ＤＣＳのパラメータを通知するために、コマンド「ＲＣＰＴ　ＴＯ：＜ｆａｘ＝１２３４＠ｄｏｍａｉｎ＞　能力情報」をゲートウェイ装置ＧＷ２へ送信する。ここで、パラメータ「能力情報」は、信号ＤＣＳのパラメータをＭＩＭＥ変換した値のものである。
【０５４２】
ゲートウェイ装置ＧＷ２は、コマンド「ＲＣＰＴ　ＴＯ：＜ｆａｘ＝１２３４＠ｄｏｍａｉｎ＞　能力情報」を受信すると、パラメータ「能力情報」を解釈して、対応する信号ＴＳＩ／ＤＣＳを作成し、グループ３ファクシミリ装置ＧＸ２へ送信する。
【０５４３】
次いで、ゲートウェイ装置ＧＷ２は、そのときのパラメータ「能力情報」で指定したモデム速度でモデムトレーニングするために信号ＴＣＦをグループ３ファクシミリ装置ＧＸ２へ送信する。
【０５４４】
ここで、グループ３ファクシミリ装置ＧＸ２は、トレーニングに失敗した場合、信号ＦＴＴをゲートウェイ装置ＧＷ２へ送信する。
【０５４５】
それにより、ゲートウェイ装置ＧＷ２は、コマンド「ＲＣＰＴ　ＴＯ：＜ｆａｘ＝１２３４＠ｄｏｍａｉｎ＞　能力情報」の応答として、応答信号「４５０　ＦＴＴ」をゲートウェイ装置ＧＷ１へ応答する。
【０５４６】
したがって、ゲートウェイ装置ＧＷ１は、信号ＦＴＴをグループ３ファクシミリ装置ＧＸ１へ応答する。それにより、グループ３ファクシミリ装置ＧＸ１は、そのときに使用する通信機能を再設定し、信号ＴＳＩ／ＤＣＳをゲートウェイ装置ＧＷ１へ送信し、信号ＤＣＳで再設定したモデム速度でモデムトレーニングを行うために、信号ＴＣＦをゲートウェイ装置ＧＷ１へ送信する。
【０５４７】
ゲートウェイ装置ＧＷ１は、信号ＴＳＩ／ＤＣＳを受信すると、信号ＤＣＳのパラメータを通知するために、コマンド「ＲＣＰＴ　ＴＯ：＜ｆａｘ＝１２３４＠ｄｏｍａｉｎ＞　能力情報」をゲートウェイ装置ＧＷ２へ送信する。
【０５４８】
ゲートウェイ装置ＧＷ２は、コマンド「ＲＣＰＴ　ＴＯ：＜ｆａｘ＝１２３４＠ｄｏｍａｉｎ＞　能力情報」を受信すると、パラメータ「能力情報」を解釈して、対応する信号ＴＳＩ／ＤＣＳを作成し、グループ３ファクシミリ装置ＧＸ２へ送信する。
【０５４９】
次いで、ゲートウェイ装置ＧＷ２は、そのときのパラメータ「能力情報」で指定したモデム速度でモデムトレーニングするために信号ＴＣＦをグループ３ファクシミリ装置ＧＸ２へ送信する。
【０５５０】
ここで、グループ３ファクシミリ装置ＧＸ２は、トレーニングに成功した場合、信号ＣＦＲをゲートウェイ装置ＧＷ２へ送信する。
【０５５１】
それにより、ゲートウェイ装置ＧＷ２は、信号「２５０　ＣＦＲ」をゲートウェイ装置ＧＷ１へ応答する。また、ゲートウェイ装置ＧＷ１は、信号ＣＦＲをグループ３ファクシミリ装置ＧＸ１へ送信する。
【０５５２】
このようにして、使用する通信機能が設定されると、グループ３ファクシミリ装置ＧＸ１は、１ページ分の画情報ＰＩＸを送信し、送信を終了すると、メッセージ後信号として信号ＥＯＰを送信する。
【０５５３】
また、ゲートウェイ装置ＧＷ１は、グループ３ファクシミリ装置ＧＸ１より受信した画情報ＰＩＸをＭＩＭＥ変換し、送信データＤＡＴＡとして、ゲートウェイ装置ＧＷ２へ送信し、メッセージ後信号を受信すると、データ転送の終了をあらわすデータ「．（ピリオド）」をゲートウェイ装置ＧＷ２へ送信する。
【０５５４】
ゲートウェイ装置ＧＷ２は、ゲートウェイ装置ＧＷ１より受信した送信データＤＡＴＡを逆ＭＩＭＥ変換し、画情報ＰＩＸとしてグループ３ファクシミリ装置ＧＸ２へ送信する。また、データ転送の終了をあらわすデータ「．（ピリオド）」を受信すると、メッセージ後信号ＥＯＰをグループ３ファクシミリ装置ＧＸ２に送信する。
【０５５５】
グループ３ファクシミリ装置ＧＸ２は、画情報ＰＩＸを正常に受信できた場合には、信号ＭＣＦをゲートウェイ装置ＧＷ２へ送信する。それにより、ゲートウェイ装置ＧＷ２は、信号「３５４」をゲートウェイ装置ＧＷ１へ送信する。それにより、ゲートウェイ装置ＧＷ１は、信号ＭＣＦをグループ３ファクシミリ装置ＧＸ１へ送信する。
【０５５６】
これにより、画情報の送信を終了したので、グループ３ファクシミリ装置ＧＸ１は、信号ＤＣＮをゲートウェイ装置ＧＷ１へ送信して、回線を復旧する。また、ゲートウェイ装置ＧＷ１は、信号ＤＣＮを受信すると、ゲートウェイ装置ＧＷ２へコマンド「ＱＵＩＴ」を送信する。
【０５５７】
それにより、ゲートウェイ装置ＧＷ２は、信号ＤＣＮをグループ３ファクシミリ装置ＧＸ２へ送信し、これにより、グループ３ファクシミリ装置ＧＸ２とゲートウェイ装置ＧＷ２との間の回線が復旧される。
【０５５８】
また、ゲートウェイ装置ＧＷ２は、ゲートウェイ装置ＧＷ１へ信号「２２１」を送信し、一連の送信動作が終了する。
【０５５９】
このようにして、ゲートウェイ装置ＧＷ１，ＧＷ２を介し、グループ３ファクシミリ装置ＧＸ１からグループ３ファクシミリ装置ＧＸ２へ画情報が送信される。
【０５６０】
なお、上述した各実施例では、ネットワークファクシミリ装置とゲートウェイ装置とを別々の装置として記載しているが、ネットワークファクシミリ装置にゲートウェイ装置の機能を組み込んだもの、あるいは、ゲートウェイ装置にネットワークファクシミリ装置の機能を組み込んだものについても、本発明を同様にして提供することができる。例えば、通常のネットワークファクシミリ装置が、そのようなゲートウェイ機能を有するネットワークファクシミリ装置を介して、グループ３／グループ４ファクシミリ装置と通信を行う場合についても、本発明を同様にして適用することができる。
【０５６１】
【発明の効果】
以上説明したように、本発明によれば、ＩＰ網に接続するＩＰ網接続手段と、公衆網に接続する公衆網接続手段を備えたネットワークゲートウェイ装置を備え、ＩＰ網に接続されたネットワークファクシミリ装置と、公衆網に接続されたファクシミリ装置との間のファクシミリ通信をリアルタイム的に行うようにしたので、ＩＰ網に接続されているネットワークファクシミリ装置と、公衆網に接続されているＧ３／Ｇ４ファクシミリ装置との間の通信を適切に行うことができるという効果を得る。
【０５６２】
また、前記ネットワークゲートウェイ装置は、前記ネットワークファクシミリ装置からＥＨＬＯコマンドを受信すると、当該ＥＨＬＯコマンドの応答メッセージを用いて自端末のゲートウェイ機能を通知するので、相手端末との間の機能の確認が容易に行え、結果的により良好なファクシミリ通信を実現できるという効果も得る。
【０５６３】
また、前記ネットワークファクシミリ装置は、前記ファクシミリ装置に対して発呼する際、前記ネットワークゲートウェイ装置に対して通信能力情報を通知した後に宛先情報を通知し、上記ネットワークゲートウェイ装置は、その通知された宛先情報の上記ファクシミリ装置へ発呼し、上記通知された通信能力情報を用いて、宛先の上記ファクシミリ装置との間で伝送前手順を行い、それによって上記ファクシミリ装置との間で設定された通信機能情報を上記ネットワークファクシミリ装置へ通知するので、相手端末との間で円滑な通信を行えるという効果も得る。
【０５６４】
また、前記ネットワークファクシミリ装置は、前記ファクシミリ装置に対して発呼する際、前記ネットワークゲートウェイ装置に対して宛先情報を通知し、上記ネットワークゲートウェイ装置は、その通知された宛先情報の上記ファクシミリ装置へ発呼し、当該ファクシミリ装置より能力情報を受信すると、その受信した能力情報を上記ネットワークファクシミリ装置へ通知するので、相手端末の間で円滑な通信を行えるという効果も得る。
【０５６５】
また、複数送信ページがあり、かつ、次のページでは通信モードを変更する場合には、当該次のページについては、前記ネットワークファクシミリ装置が前記ネットワークゲートウェイ装置に対して通信能力情報を通知する段階から通信動作を行うようにしたので、より自由度の高いファクシミリ通信が可能となるという効果も得る。
【０５６６】
また、非ＥＣＭモードの通信動作を行う場合、１ページ分の画情報送信後に、前記ファクシミリ装置より受信エラーが通知された場合には、前記ネットワークファクシミリ装置は、受信エラーが通知されたページの画情報を再送するようにしたので、より信頼性の高いファクシミリ通信が可能となるという効果も得る。
【０５６７】
また、ＥＣＭモードの通信動作を行う場合、前記ネットワークファクシミリ装置は、前記ファクシミリ装置より通知された再送要求フレームの画情報を再送するようにしたので、適切にＥＣＭモードを用いたファクシミリ通信が可能になると言う効果も得る。
【０５６８】
また、ポーリング送信要求時、前記ネットワークファクシミリ装置は、前記ネットワークゲートウェイ装置に対してポーリング要求を通知し、上記ネットワークゲートウェイ装置は、所定のポーリング要求用の伝送手順信号を前記ファクシミリ装置へ送信し、それ以降は送受信方向を逆転するようにしたので、適切にポーリング送信動作を行えるという効果も得る。
【０５６９】
また、前記ファクシミリ装置は、発呼時、宛先の前記ネットワークファクシミリ装置を指定する宛先情報を前記ネットワークゲートウェイ装置に通知し、上記ネットワークゲートウェイ装置は、その通知された宛先情報に対応した上記ネットワークファクシミリ装置へ接続要求するようにしたので、ファクシミリ装置から所望する宛先を適切に通知できるという効果も得る。
【０５７０】
また、前記ネットワークゲートウェイ装置は、前記ファクシミリ装置から発呼されたとき、当該ファクシミリ装置よりファクシミリ番号が通知されている場合には、そのファクシミリ番号を、宛先の前記ネットワークファクシミリ装置へ通知するようにしたので、通信相手を適切に通知することができるという効果も得る。
【図面の簡単な説明】
【図１】本発明の一実施例にかかる通信システムを示したブロック図。
【図２】ネットワークファクシミリ装置ＦＸの構成の一例を示したブロック図。
【図３】ゲートウェイ装置ＧＷの構成例を示したブロック図。
【図４】アドレス変換テーブルの一例を示した概略図。
【図５】ネットワークファクシミリ装置ＦＸが、ゲートウェイ装置ＧＷを用いて、グループ３ファクシミリ装置ＧＸへ画情報を送信するときの動作の一例を説明するためのタイムチャート。
【図６】ネットワークファクシミリ装置ＦＸが、ゲートウェイ装置ＧＷを用いて、グループ３ファクシミリ装置ＧＸへ画情報を送信するときの動作の一例を説明するためのタイムチャート（マルチページの場合）。
【図７】ネットワークファクシミリ装置ＦＸが、ゲートウェイ装置ＧＷを用いて、グループ３ファクシミリ装置ＧＸへ画情報を送信するときの動作の一例を説明するためのタイムチャート（マルチページの場合の続き）。
【図８】ネットワークファクシミリ装置ＦＸが拡張Ｄ−ＳＭＴＰ方式通信機能を用いて画情報を送信するときの処理の一例を示したフローチャート。
【図９】ネットワークファクシミリ装置ＦＸが拡張Ｄ−ＳＭＴＰ方式通信機能を用いて画情報を送信するときの処理の一例を示したフローチャート（続き）。
【図１０】ゲートウェイ装置ＧＷがネットワークファクシミリ装置ＦＸより接続要求されて、拡張Ｄ−ＳＭＴＰ方式通信機能の通信動作を行うときの処理の一例を示したフローチャート。
【図１１】ゲートウェイ装置ＧＷがネットワークファクシミリ装置ＦＸより接続要求されて、拡張Ｄ−ＳＭＴＰ方式通信機能の通信動作を行うときの処理の一例を示したフローチャート（続き）。
【図１２】ネットワークファクシミリ装置ＦＸが、ゲートウェイ装置ＧＷを用いて、グループ３ファクシミリ装置ＧＸへ画情報を送信するときの動作の他の例を示したタイムチャート。
【図１３】ネットワークファクシミリ装置ＦＸが、ゲートウェイ装置ＧＷを用いて、グループ３ファクシミリ装置ＧＸへ画情報を送信するときの動作の他の例を示したタイムチャート（マルチページの場合）。
【図１４】ネットワークファクシミリ装置ＦＸが、ゲートウェイ装置ＧＷを用いて、グループ３ファクシミリ装置ＧＸへ画情報を送信するときの動作の他の例を示したタイムチャート（マルチページの場合の続き）。
【図１５】ネットワークファクシミリ装置ＦＸが拡張Ｄ−ＳＭＴＰ方式通信機能を用いて画情報を送信するときの処理の他の例を示したフローチャート。
【図１６】ネットワークファクシミリ装置ＦＸが拡張Ｄ−ＳＭＴＰ方式通信機能を用いて画情報を送信するときの処理の他の例を示したフローチャート（続き）。
【図１７】ゲートウェイ装置ＧＷがネットワークファクシミリ装置ＦＸより接続要求されて、拡張Ｄ−ＳＭＴＰ方式通信機能の通信動作を行うときの処理の他の例を示したフローチャート。
【図１８】ゲートウェイ装置ＧＷがネットワークファクシミリ装置ＦＸより接続要求されて、拡張Ｄ−ＳＭＴＰ方式通信機能の通信動作を行うときの処理の他の例を示したフローチャート（続き）。
【図１９】ゲートウェイ装置ＧＷがネットワークファクシミリ装置ＦＸより接続要求されて、拡張Ｄ−ＳＭＴＰ方式通信機能の通信動作を行うときの処理の他の例を示したフローチャート（続き）。
【図２０】非ＥＣＭモードの時の再送動作について示したタイムチャート。
【図２１】ＥＣＭモードの時の通信動作および再送動作について示したタイムチャート。
【図２２】ネットワークファクシミリ装置ＦＸが、ゲートウェイ装置ＧＷを用いて、グループ３ファクシミリ装置ＧＸに対し、ポーリング送信要求を行って、グループ３ファクシミリ装置ＧＸから画情報を受信するときの動作の一例を示したタイムチャート。
【図２３】グループ３ファクシミリ装置ＧＸが、ゲートウェイ装置ＧＷを用いて、ネットワークファクシミリ装置ＦＸへ画情報を送信するときの動作の一例を示したタイムチャート。
【図２４】アナログ公衆網ＰＳＴＮより発呼された場合のゲートウェイ装置ＧＷの動作の一例を示したフローチャート。
【図２５】アナログ公衆網ＰＳＴＮより発呼された場合のゲートウェイ装置ＧＷの動作の一例を示したフローチャート（続き）。
【図２６】グループ３ファクシミリ装置ＧＸが、ゲートウェイ装置ＧＷを用いて、ネットワークファクシミリ装置ＦＸへ画情報を送信するときの動作の他の例を示したタイムチャート。
【図２７】アナログ公衆網ＰＳＴＮより発呼された場合のゲートウェイ装置ＧＷの動作の他の例を示したフローチャート。
【図２８】アナログ公衆網ＰＳＴＮより発呼された場合のゲートウェイ装置ＧＷの動作の他の例を示したフローチャート（続き）。
【図２９】グループ３ファクシミリ装置ＧＸが、ゲートウェイ装置ＧＷを用いて、ネットワークファクシミリ装置ＦＸへ画情報を送信するときの動作のさらに他の例を示したタイムチャート。
【図３０】アナログ公衆網ＰＳＴＮより発呼された場合のゲートウェイ装置ＧＷの動作のさらに他の例を示したフローチャート。
【図３１】アナログ公衆網ＰＳＴＮより発呼された場合のゲートウェイ装置ＧＷの動作のさらに他の例を示したフローチャート（続き）。
【図３２】アナログ公衆網ＰＳＴＮより発呼された場合のゲートウェイ装置ＧＷの動作のさらに他の例を示したフローチャート（続き）。
【図３３】本発明の他の実施例にかかる通信システムを示したブロック図。
【図３４】ゲートウェイ装置ＧＷａの一例を示したブロック図。
【図３５】グループ４／３ファクシミリ装置ＧＸａが、ゲートウェイ装置ＧＷａを用いて、ネットワークファクシミリ装置ＦＸへ画情報を送信するときの動作の一例を示したタイムチャート。
【図３６】グループ４／３ファクシミリ装置ＧＸａが、ゲートウェイ装置ＧＷａを用いて、ネットワークファクシミリ装置ＦＸへ画情報を送信するときの動作の他の例を示したタイムチャート。
【図３７】デジタル公衆網ＩＳＤＮより発呼された場合のゲートウェイ装置ＧＷａの動作の一例を示したフローチャート。
【図３８】デジタル公衆網ＩＳＤＮより発呼された場合のゲートウェイ装置ＧＷａの動作の一例を示したフローチャート（続き）。
【図３９】デジタル公衆網ＩＳＤＮより発呼された場合のゲートウェイ装置ＧＷａの動作の一例を示したフローチャート（続き）。
【図４０】本発明の別な実施例にかかる通信システムを示したブロック図。
【図４１】ゲートウェイ装置ＧＷ１，ＧＷ２を用いて、グループ３ファクシミリ装置ＧＸ１からグループ３ファクシミリ装置ＧＸ２へ画情報を送信するときの動作の一例を示したタイムチャート。
【図４２】ゲートウェイ装置ＧＷ１，ＧＷ２を用いて、グループ３ファクシミリ装置ＧＸ１からグループ３ファクシミリ装置ＧＸ２へ画情報を送信するときの動作の一例を示したタイムチャート（続き）。
【図４３】ゲートウェイ装置ＧＷ１，ＧＷ２を用いて、グループ３ファクシミリ装置ＧＸ１からグループ３ファクシミリ装置ＧＸ２へ画情報を送信するときの動作の他の例を示したタイムチャート。
【図４４】ゲートウェイ装置ＧＷ１，ＧＷ２を用いて、グループ３ファクシミリ装置ＧＸ１からグループ３ファクシミリ装置ＧＸ２へ画情報を送信するときの動作の他の例を示したタイムチャート（続き）。
【符号の説明】
ＦＸ　ネットワークファクシミリ装置
ＧＷ，ＧＷａ．ＧＷ１，ＧＷ２　ゲートウェイ装置
ＧＸ，ＧＸ１，ＧＸ２　グループ３ファクシミリ装置
ＧＸａ　グループ４／３ファクシミリ装置
【図１】
2004104200.tif 000003
【図２】
2004104200.tif 000004
【図３】
2004104200.tif 000005
【図４】
2004104200.tif 000006
【図５】
2004104200.tif 000007
【図６】
2004104200.tif 000008
【図７】
2004104200.tif 000009
【図８】
2004104200.tif 000010
【図９】
2004104200.tif 000011
【図１０】
2004104200.tif 000012
【図１１】
2004104200.tif 000013
【図１２】
2004104200.tif 000014
【図１３】
2004104200.tif 000015
【図１４】
2004104200.tif 000016
【図１５】
2004104200.tif 000017
【図１６】
2004104200.tif 000018
【図１７】
2004104200.tif 000019
【図１８】
2004104200.tif 000020
【図１９】
2004104200.tif 000021
【図２０】
2004104200.tif 000022
【図２１】
2004104200.tif 000023
【図２２】
2004104200.tif 000024
【図２３】
2004104200.tif 000025
【図２４】
2004104200.tif 000026
【図２５】
2004104200.tif 000027
【図２６】
2004104200.tif 000028
【図２７】
2004104200.tif 000029
【図２８】
2004104200.tif 000030
【図２９】
2004104200.tif 000031
【図３０】
2004104200.tif 000032
【図３１】
2004104200.tif 000033
【図３２】
2004104200.tif 000034
【図３３】
2004104200.tif 000035
【図３４】
2004104200.tif 000036
【図３５】
2004104200.tif 000037
【図３６】
2004104200.tif 000038
【図３７】
2004104200.tif 000039
【図３８】
2004104200.tif 000040
【図３９】
2004104200.tif 000041
【図４０】
2004104200.tif 000042
【図４１】
2004104200.tif 000043
【図４２】
2004104200.tif 000044
【図４３】
2004104200.tif 000045
【図４４】
2004104200.tif 000046